(57)【要約】【課題】画像読み取り装置、画像読み取り方法、及び記録媒体を提供する。【解決手段】撮像された複数の原画像が記録されている記録媒体から、複数の原画像を読み取る画像読み取り装置は、記録媒体からインデックスマニフェストファイルを読み取るインデックス読み取り部と、読み取られたインデックスマニフェストファイルに格納されているアセットマニフェストファイルへのパスを用いて、記録媒体からアセットマニフェストファイルを読み取るアセットマニフェスト読み取り部と、読み取られたアセットマニフェストファイルに格納されている複数の原画像のそれぞれへのパスを用いて、記録媒体から複数の原画像の少なくとも一部を読み取る画像読み取り部とを備え、記録媒体は、複数の原画像と、複数の原画像のそれぞれへのパスを格納しているアセットマニフェストファイルと、アセットマニフェストファイルへのパスを格納しているインデックスマニフェストファイルとを有し、インデックスマニフェストファイルは、記録媒体毎に異なることのない、予め定められたパスに記録されている。【選択図】図４
2008530629.tif 000002
【特許請求の範囲】
【請求項１】
撮像された複数の原画像が記録されている記録媒体から、複数の原画像を読み取る画像読み取り装置であって、
前記記録媒体からインデックスマニフェストファイルを読み取るインデックス読み取り部と、
読み取られた前記インデックスマニフェストファイルに格納されているアセットマニフェストファイルへのパスを用いて、前記記録媒体から前記アセットマニフェストファイルを読み取るアセットマニフェスト読み取り部と、
読み取られた前記アセットマニフェストファイルに格納されている前記複数の原画像のそれぞれへのパスを用いて、前記記録媒体から前記複数の原画像の少なくとも一部を読み取る画像読み取り部と
を備え、
前記記録媒体は、
前記複数の原画像と、
前記複数の原画像のそれぞれへの前記パスを格納している前記アセットマニフェストファイルと、
前記アセットマニフェストファイルへの前記パスを格納している前記インデックスマニフェストファイルと
を有し、
前記インデックスマニフェストファイルは、前記記録媒体毎に異なることのない、予め定められたパスに記録されている
画像読み取り装置。
【請求項２】
読み取られた表示用画像を表示する画像表示部
を更に備え、
前記記録媒体は、前記複数の原画像の解像度を下げることによって生成された複数の表示用画像を更に有し、
前記アセットマニフェストファイルは、前記複数の表示用画像のそれぞれへのパスを更に格納しており、
前記画像読み取り部は、読み取られた前記アセットマニフェストファイルに格納されている前記複数の表示用画像のそれぞれへのパスを用いて、前記記録媒体から前記複数の表示用画像の少なくとも一部を読み取る
請求項１に記載の画像読み取り装置。
【請求項３】
読み取られた前記インデックスマニフェストファイルに格納されているアルバムマニフェストファイルへのパスを用いて、前記記録媒体から前記アルバムマニフェストファイルを読み取るアルバムマニフェスト読み取り部
を更に備え、
前記記録媒体は、前記複数の原画像のうち少なくとも一部の表示順序を定める前記アルバムマニフェストファイルを更に有し、
前記インデックスマニフェストファイルは、前記アルバムマニフェストファイルへのパスを更に格納しており、
前記画像読み取り部は、読み取られた前記アルバムマニフェストファイルが定める前記表示順序に従って、表示されるべき前記原画像のそれぞれについて、当該原画像から生成された前記表示用画像への前記パスが前記アセットマニフェストファイルに格納されている場合には、当該表示用画像を読み取り、当該原画像から生成された前記表示用画像への前記パスが前記アセットマニフェストファイルに格納されていない場合には、当該原画像を読み取り、
前記画像表示部は、前記表示用画像または前記原画像を表示する
請求項２に記載の画像読み取り装置。
【請求項４】
撮像された複数の原画像が記録されている記録媒体から、複数の原画像を読み取る画像読み取り方法であって、
前記記録媒体からインデックスマニフェストファイルを読み取るインデックス読み取り段階と、
読み取られた前記インデックスマニフェストファイルに格納されているアセットマニフェストファイルへのパスを用いて、前記記録媒体から前記アセットマニフェストファイルを読み取るアセットマニフェスト読み取り段階と、
読み取られた前記アセットマニフェストファイルに格納されている前記複数の原画像のそれぞれへのパスを用いて、前記記録媒体から前記複数の原画像の少なくとも一部を読み取る画像読み取り段階と
を備え
前記記録媒体は、
前記複数の原画像と、
前記複数の原画像のそれぞれへの前記パスを格納している前記アセットマニフェストファイルと、
前記アセットマニフェストファイルへの前記パスを格納している前記インデックスマニフェストファイルと
を有し、
前記インデックスマニフェストファイルは、前記記録媒体毎に異なることのない、予め定められたパスに記録されている
画像読み取り方法。
【請求項５】
読み取られた表示用画像を表示する画像表示段階
を更に備え、
前記記録媒体は、前記複数の原画像の解像度を下げることによって生成された複数の表示用画像を更に有し、
前記アセットマニフェストファイルは、前記複数の表示用画像のそれぞれへのパスを更に格納しており、
前記画像読み取り段階は、読み取られた前記アセットマニフェストファイルに格納されている前記複数の表示用画像のそれぞれへのパスを用いて、前記記録媒体から前記複数の表示用画像の少なくとも一部を読み取る
請求項４に記載の画像読み取り方法。
【請求項６】
読み取られた前記インデックスマニフェストファイルに格納されているアルバムマニフェストファイルへのパスを用いて、前記記録媒体から前記アルバムマニフェストファイルを読み取るアルバムマニフェスト読み取り段階
を更に備え、
前記記録媒体は、前記複数の原画像のうち少なくとも一部の表示順序を定める前記アルバムマニフェストファイルを更に有し、
前記インデックスマニフェストスファイルは、前記アルバムマニフェストファイルへの前記パスを更に格納しており、
前記画像読み取り段階は、読み取られた前記アルバムマニフェストファイルが定める前記表示順序に従って、表示されるべき原画像のそれぞれについて、当該原画像から生成された前記表示用画像への前記パスが前記アセットマニフェストファイルに格納されている場合には、当該表示用画像を読み取り、当該原画像から生成された前記表示用画像への前記パスが前記アセットマニフェストファイルに格納されていない場合には、当該原画像を読み取り、
前記画像表示段階は、前記表示用画像または前記原画像を表示する
請求項５に記載の画像読み取り方法。
【請求項７】
撮像された複数の原画像が記録されている記録媒体であって、
複数の原画像と、
前記複数の原画像のそれぞれへのパスを格納しているアセットマニフェストファイルと、
前記アセットマニフェストファイルへのパスを格納しているインデックスマニフェストファイルと
を有し、
前記インデックスマニフェストファイルは、当該記録媒体毎に異なることのない、予め定められたパスに記録されている
記録媒体。
【請求項８】
前記複数の原画像の解像度を下げることによって生成された複数の表示用画像
を更に有し、
前記アセットマニフェストファイルは、前記複数の表示用画像のそれぞれへのパスを更に格納している
請求項７に記載の記録媒体。
【請求項９】
前記複数の原画像のうち少なくとも一部の表示順序を定めるアルバムマニフェストファイルを更に有し、
前記インデックスマニフェストファイルは、前記アルバムマニフェストファイルへの前記パスを更に格納している
請求項８に記載の記録媒体。
【発明の詳細な説明】
【技術分野】
【０００１】
本願には、付属書Ａ‐１、Ａ‐２、およびＡ‐３が添付されており、その内容は本明細書に参照により取り込むものとする。
【０００２】
本願は、２００５年２月１７日出願の米国特許出願１１／０５９，６８１号から優先権を主張し、その内容も本明細書に参照により取り込むものとする。
【０００３】
同一出願人による２００５年７月２２日出願の米国特許出願１１／１８６，８６８号および２００５年６月１０日出願の米国特許出願１１／１４９，３４７号も参照しており、その開示内容は、本明細書に参照により取り込むものとする。
【０００４】
本発明は、画像読み取り装置、画像読み取り方法、及び記録媒体に関する。特に本発明は、撮像された複数の原画像が記録されている記録媒体から、複数の原画像を読み取る画像読み取り装置、及び画像読み取り方法、並びに当該記録媒体に関する。
【背景技術】
【０００５】
従来、記録媒体に記録されている撮像された原画像を当該記録媒体から読み取る画像読み取り装置が知られている。ここで、記録媒体のフォーマットとして、例えば本願の出願人により定められているＦｕｊｉｃｏｌｏｒ（登録商標）ＣＤ等が知られている。
【０００６】
しかしながら、前述した記録媒体において、原画像が記録されている領域、即ち原画像のそれぞれへのパスは、記録媒体のフォーマットによって異なっている。これにより、利用者が画像読み取り装置を利用しようとした場合に、当該画像読み取り装置が、利用者が所有している記録媒体のフォーマットに対応していなければ、利用者は当該画像読み取り装置を利用できないという問題があった。
【発明の開示】
【発明が解決しようとする課題】
【０００７】
そこで、本発明は、従来技術に付随する上述の欠点を克服することができる画像読み取り装置、画像読み取り方法、および記録媒体を提供することを目的とする。上述の、およびその他の目的は、独立項に記載の特徴の組み合わせにより達成される。また従属項は本発明の更なる有利な組み合わせ例を規定する。
【課題を解決するための手段】
【０００８】
本発明の第１の側面においては、撮像された複数の原画像が記録されている記録媒体から、複数の原画像を読み取る画像読み取り装置は、記録媒体からインデックスマニフェストファイルを読み取るインデックス読み取り部と、読み取られたインデックスマニフェストファイルに格納されているアセットマニフェストファイルへのパスを用いて、記録媒体からアセットマニフェストファイルを読み取るアセットマニフェスト読み取り部と、読み取られたアセットマニフェストファイルに格納されている複数の原画像のそれぞれへのパスを用いて、記録媒体から複数の原画像の少なくとも一部を読み取る画像読み取り部とを備え、記録媒体は、複数の原画像と、複数の原画像のそれぞれへのパスを格納しているアセットマニフェストファイルと、アセットマニフェストファイルへのパスを格納しているインデックスマニフェストファイルとを有し、インデックスマニフェストファイルは、記録媒体毎に異なることのない、予め定められたパスに記録されている。
【０００９】
記録媒体は、複数の原画像の解像度を下げることによって生成された複数の表示用画像を更に有してよく、アセットマニフェストファイルは、複数の表示用画像のそれぞれへのパスを更に格納してよく、画像読み取り部は、読み取られたアセットマニフェストファイルに格納されている複数の表示用画像のそれぞれへのパスを用いて、記録媒体から複数の表示用画像の少なくとも一部を読み取ってよく、画像読み取り装置は、読み取られた表示用画像を表示する画像表示部を更に備えてよい。
【００１０】
記録媒体は、複数の原画像のうち少なくとも一部の表示順序を定めるアルバムマニフェストファイルを更に有してよく、インデックスマニフェストファイルは、アルバムマニフェストファイルへのパスを更に格納してよく、画像読み取り部は、読み取られたアルバムマニフェストファイルが定める表示順序に従って、表示されるべき原画像のそれぞれについて、当該原画像から生成された表示用画像へのパスがアセットマニフェストファイルに格納されている場合には、当該表示用画像を読み取り、当該原画像から生成された表示用画像へのパスがアセットマニフェストファイルに格納されていない場合には、当該原画像を読み取ってよく、画像表示部は、表示用画像または原画像を表示し、画像読み取り装置は、読み取られたインデックスマニフェストファイルに格納されているアルバムマニフェストファイルへのパスを用いて、記録媒体からアルバムマニフェストファイルを読み取るアルバムマニフェスト読み取り部を更に備えてよい。
【００１１】
本発明の第２の側面においては、撮像された複数の原画像が記録されている記録媒体から、複数の原画像を読み取る画像読み取り方法は、記録媒体からインデックスマニフェストファイルを読み取るインデックス読み取り段階と、読み取られたインデックスマニフェストファイルに格納されているアセットマニフェストファイルへのパスを用いて、記録媒体からアセットマニフェストファイルを読み取るアセットマニフェスト読み取り段階と、読み取られたアセットマニフェストファイルに格納されている複数の原画像のそれぞれへのパスを用いて、記録媒体から複数の原画像の少なくとも一部を読み取る画像読み取り段階とを備え、記録媒体は、複数の原画像と、複数の原画像のそれぞれへのパスを格納しているアセットマニフェストファイルと、アセットマニフェストファイルへのパスを格納しているインデックスマニフェストファイルとを有し、インデックスマニフェストファイルは、記録媒体毎に異なることのない、予め定められたパスに記録されている。
【００１２】
記録媒体は、複数の原画像の解像度を下げることによって生成された複数の表示用画像を更に有してよく、アセットマニフェストファイルは、複数の表示用画像のそれぞれへのパスを更に格納してよく、画像読み取り段階は、読み取られたアセットマニフェストファイルに格納されている複数の表示用画像のそれぞれへのパスを用いて、記録媒体から複数の表示用画像の少なくとも一部を読み取ってよい。画像読み取り方法は、読み取られた表示用画像を表示する画像表示段階を更に備えてよい。
【００１３】
記録媒体は、複数の原画像のうち少なくとも一部の表示順序を定めるアルバムマニフェストファイルを更に有してよく、インデックマニフェストスファイルは、アルバムマニフェストファイルへのパスを更に格納してよく、画像読み取り段階は、読み取られたアルバムマニフェストファイルが定める表示順序に従って、表示されるべき原画像のそれぞれについて、当該原画像から生成された表示用画像へのパスがアセットマニフェストファイルに格納されている場合には、当該表示用画像を読み取り、当該原画像から生成された表示用画像へのパスがアセットマニフェストファイルに格納されていない場合には、当該原画像を読み取る。画像表示段階は、表示用画像または原画像を表示してよい。画像読み取り方法は、読み取られたインデックスマニフェストファイルに格納されているアルバムマニフェストファイルへのパスを用いて、記録媒体からアルバムマニフェストファイルを読み取るアルバムマニフェスト読み取り段階を更に備えてよい。
【００１４】
本発明の第３の側面においては、撮像された複数の原画像が記録されている記録媒体は、複数の原画像と、複数の原画像のそれぞれへのパスを格納しているアセットマニフェストファイルと、アセットマニフェストファイルへのパスを格納しているインデックスマニフェストファイルとを有し、インデックスマニフェストファイルは、当該記録媒体毎に異なることのない、予め定められたパスに記録されている。
【００１５】
記録媒体は、複数の原画像の解像度を下げることによって生成された複数の表示用画像を更に有してよく、アセットマニフェストファイルは、複数の表示用画像のそれぞれへのパスを更に格納してよい。
【００１６】
記録媒体は、複数の原画像のうち少なくとも一部の表示順序を定めるアルバムマニフェストファイルを更に有してよく、インデックスマニフェストファイルは、アルバムマニフェストファイルへのパスを更に格納してよい。
【００１７】
発明の開示において、本発明の必要とされる特徴の全てを必ずしも記載していない。本発明は、上述の特徴の部分的組み合わせであってもよい。本発明の上述の、およびその他の特徴と利点は、添付の図面とともに、以下の実施形態の説明から、より明らかになるであろう。
【発明を実施するための最良の形態】
【００１８】
以下、好適な実施の形態に基づいて本発明を説明するが、以下の実施形態は本発明の範囲を限定しておらず、本発明を例示している。また実施形態の中で説明されている特徴やその組み合わせの全てが発明に必須であるとは限らない。
【００１９】
図１は、本発明の一実施形態に係る画像利用システムの一例である画像利用システム１０の構成の一例を示す。本実施形態に係る画像利用システム１０は、撮像された原画像を記録媒体３０に記録したり、また、記録媒体３０に記録されている原画像を読み取り、読み取った原画像を表示したり印刷したりする。そして、本実施形態に係る画像利用システム１０は、記録媒体３０において、複数の原画像が何れの領域に記録されているかに関わらず、当該複数の原画像を正確に読み取ることを目的とする。また、本実施形態に係る画像利用システム１０は、既に原画像が記録されている記録媒体に新たな原画像を記録する場合に、既に記録されている原画像が意図せず消去されることを防止することを更なる目的とする。また、本実施形態に係る画像利用システム１０は、複数の原画像、及び当該複数の原画像に基づくスライドショーを示すマニフェストが既に記録されている記録媒体３０に新たな原画像を追加する場合に、記録媒体３０の容量の利用効率を向上させることを更なる目的とする。
【００２０】
本実施形態に係る画像利用システム１０は、画像記録装置２０、記録媒体３０、及び画像読み取り装置４０を備える。画像記録装置２０は、例えばデジタルカメラ等によって撮像された複数の原画像を、記録媒体３０に記録する。ここで、原画像とは、静止画像であってよく、これに代えて、動画像であってもよい。また、画像記録装置２０は、例えば、デジタルカメラ等の撮像装置であってよく、これに代えて、パーソナルコンピュータ等の情報処理装置であってもよい。画像読み取り装置４０は、撮像された複数の原画像が記録されている記録媒体３０から、当該複数の原画像を読み取る。そして、画像読み取り装置４０は、読み取った原画像を、表示または印刷することにより、利用者に提供する。なお、画像読み取り装置４０は、例えば、ＤＶＤ−Ｖｉｄｅｏプレイヤー等の映像再生装置であってよく、これに代えて、パーソナルコンピュータ等の情報処理装置、又はＤＰＥサービス店舗に設置されたキオスク端末等であってもよい。
【００２１】
また、本図において、画像記録装置２０及び画像読み取り装置４０は、それぞれ独立したものであってよく、これに代えて、一方が他方の機能及び構成を有していてもよい。また、画像記録装置２０及び画像読み取り装置４０のそれぞれは、互いに異なる複数の装置を含んでいてもよく、当該複数の装置が、互いに連携することにより、画像記録装置２０または画像読み取り装置４０として動作してもよい。
【００２２】
図２は、本実施形態に係る記録媒体３０のディレクトリ構成及びファイル構成の一例を示す。本実施形態に係る記録媒体３０は、ルートディレクトリの直下に、アセットディレクトリ３００、アルバムディレクトリ３３０、インデックスマニフェストファイル３４０、及びビデオストリーム３５０を格納している。
【００２３】
アセットディレクトリ３００は、撮像された原画像、音声、及び楽曲等の、画像利用システム１０によって用いられるデータを、複数のアセットロールディレクトリ（３１０ａ及び３１０ｂ。以降３１０として表記）、並びに共有ディレクトリ３２０を介して格納している。なお、本図において、アセットディレクトリ３００は、２つのロールアセットロールディレクトリ３１０を格納しているが、これに代えて、１つだけ、または３つ以上のロールアセットロールディレクトリ３１０を格納していてもよい。
【００２４】
アセットロールディレクトリ３１０ａは、複数の原画像３１２ａ、アセットマニフェストファイル３１４ａ、及び表示用画像ディレクトリ３１６ａを格納している。また、アセットロールディレクトリ３１０ａは、更に、録音された音声を格納していてもよい。複数の原画像３１２ａは、例えば、デジタルカメラによって撮像された静止画像及び動画像であってよい。アセットマニフェストファイル３１４ａは、アセットロールディレクトリ３１０ａに格納されている複数の原画像３１２ａのそれぞれへのパスを格納している。表示用画像ディレクトリ３１６ａは、アセットロールディレクトリ３１０ａの下位に位置すると共に、複数の表示用画像３１８ａを格納している。複数の表示用画像３１８ａは、複数の原画像３１２に代えて表示される画像であり、例えば、複数の原画像の解像度を下げることによって生成された画像であってよい。なお、アセットロールディレクトリ３１０ａは、表示用画像における解像度、縦横比等が異なる、複数の表示用画像ディレクトリを格納していてもよい。これにより、表示用画像を表示するための表示装置及び表示方法毎に解像度と縦横比が異なる場合であっても、当該表示装置及び表示方法に適した、表示品質の高い画像を表示することができる。また、アセットマニフェストファイル３１４ａは、複数の表示用画像３１８ａのそれぞれへのパスを更に格納している。
【００２５】
アセットロールディレクトリ３１０ｂは、複数の原画像３１２ｂ、アセットマニフェストファイル３１４ｂ、及び表示用画像ディレクトリ３１６ｂを格納している。本実施形態に示すように、複数の原画像を、記録媒体３０の複数のアセットロールディレクトリに分類して格納することができる。
【００２６】
共有ディレクトリ３２０は、複数の共有ファイル３２２、及び共有マニフェストファイル３２４を格納している。共有ファイルは、例えばアセットロールディレクトリ３１０に格納されている原画像３１２及び表示用画像３１８の少なくとも一部をスライドショーとして表示する場合に、ＢＧＭとして演奏される楽曲であってよい。共有マニフェストファイル３２４は、複数の共有ファイル３２２のそれぞれへのパスを格納している。
【００２７】
アルバムディレクトリ３３０は、複数のアルバムマニフェストファイル３３２を格納している。複数のアルバムマニフェストファイル３３２のそれぞれは、記録媒体３０に記録されている複数の原画像（３１２ａ及び３１２ｂ。以降３１２と表記）のうち、少なくとも一部の原画像の表示順序を定める。具体的には、アルバムマニフェストファイル３３２は、表示すべき原画像のそれぞれへのパスを格納しているアセットマニフェストファイル（３１４ａ及び３１４ｂ。以降３１４と表記）へのパス、及び表示順序に従って表示すべき画像のそれぞれを識別する画像識別子を格納している。なお、この場合、アセット情報ファイル３１４は、複数の原画像のそれぞれへのパスと、当該原画像を識別する画像識別子とを、対応付けて格納していてよい。
【００２８】
インデックスマニフェストファイル３４０は、複数のアセットマニフェストファイル３１４のそれぞれへのパス、及び複数のアルバムマニフェストファイル３３２へのパスを格納している。また、インデックスマニフェストファイル３４０は、記録媒体３０毎に異なることはなく、また、予め定められたパスに記録されている。具体的には、インデックスマニフェストファイル３４０は、記録媒体３０のルートディレクトリの直下に、"ＰＡＳＳＩＤＸ．ＰＶＭ"というファイル名で記録されていてよい。
【００２９】
ビデオストリーム３５０は、例えばＤＶＤ−Ｖｉｄｅｏ形式のビデオストリームを含むファイル群又はディレクトリ群であってよい。そして、ビデオストリーム３５０は、アルバムマニフェストファイル３３２が定める表示順序に基づくスライドショーを示すビデオストリームであってよい。これにより、アルバムマニフェストファイル３３２、及び表示用画像３１８を読み取ってスライドショーを表示することのできない表示機器であっても、記録媒体３０をＤＶＤ−Ｖｉｄｅｏディスクとして再生することにより、当該スライドショーを表示することができる。
【００３０】
なお、本図に示したアセットディレクトリ３００、アセットロールディレクトリ３１０、複数の原画像３１２、アセットマニフェストファイル３１４、表示用画像ディレクトリ（３１６ａ及び３１６ｂ。以降３１６と表記）、複数の表示用画像３１８、共有ディレクトリ３２０、複数の共有ファイル３２２、共有マニフェストファイル３２４、アルバムディレクトリ３３０、並びに複数のアルバムマニフェストファイル３３２の少なくとも一部は、例えば利用者等によって予め定められた記録媒体３０のフォーマットによって異なっていてよい。ここで、記録媒体３０のフォーマットとは、例えば、Ｆｕｊｉｃｏｌｏｒ（登録商標）ＣＤ、ＰｉｃｔｕｒｅＣＤ（登録商標）、及びＨｏｔＡｌｂｕｍ（登録商標）等であってよい。
【００３１】
なお、アセットロールディレクトリ３１０は、複数の記録媒体３０のそれぞれが有するアセットロールディレクトリ３１０のそれぞれを識別可能なディレクトリ名を有していてよい。また、同様にして、複数の原画像３１２、アセットマニフェストファイル３１４、表示用画像ディレクトリ３１６、複数の表示用画像３１８、共有ディレクトリ３２０、複数の共有ファイル３２２、共有マニフェストファイル３２４、アルバムディレクトリ３３０、及び複数のアルバムマニフェストファイル３３２の少なくとも一部も、複数の記録媒体３０のそれぞれが備えるそれぞれのファイル及びディレクトリを識別可能な名称を有していてよい。
【００３２】
図３は、本実施形態に係る画像記録装置２０の機能構成の一例を示すブロック図である。画像記録装置２０は、画像入力部２００、装置識別子取得部２０５、日時取得部２１０、アセットロールディレクトリ作成部２１５、表示用画像生成部２２０、表示用画像ディレクトリ作成部２２５、アセットマニフェスト生成部２３０、アセット記録部２３５、表示用画像記録部２４０、アルバムディレクトリ作成部２４５、アルバムマニフェスト生成部２５０、アルバムマニフェスト記録部２５５、インデックス生成部２６０、及びインデックス記録部２６５を有する。
【００３３】
画像入力部２００は、撮像された複数の原画像を入力する。例えば、画像入力部２００は、複数の原画像３１２を撮像したデジタルカメラとデータ通信を行うことにより、複数の原画像３１２を入力してよく、また、複数の原画像３１２が記録されている他の記録媒体及び記憶装置から、複数の原画像３１２を読み取ることにより、複数の原画像３１２を入力してもよい。そして、画像入力部２００は、入力した複数の原画像３１２を、表示用画像生成部２２０、アセットマニフェスト生成部２３０、及びアセット記録部２３５に出力する。
【００３４】
装置識別子取得部２０５は、画像記録装置２０を識別可能な装置識別子を取得する。ここで、装置識別子とは、例えば、画像記録装置２０が有するネットワークインターフェイスに割り当てられたＭＡＣ（Ｍｅｄｉａ  Ａｃｃｅｓｓ  Ｃｏｎｔｒｏｌ）アドレスであってよい。そして、装置識別子取得部２０５は、取得した装置識別子をアセットロールディレクトリ作成部２１５に出力する。日時取得部２１０は、画像記録装置２０が有する時計機能及びカレンダー機能を用いて、現在時刻を取得する。そして、日時取得部２１０は、取得した現在時刻をアセットロールディレクトリ作成部２１５に出力する。
【００３５】
アセットロールディレクトリ作成部２１５は、画像入力部２００によって入力された複数の原画像を格納するアセットロールディレクトリ３１０を、記録媒体３０中に作成する。ここで、アセットロールディレクトリ作成部２１５は、複数の記録媒体のそれぞれが有するアセットロールディレクトリ３１０のそれぞれを識別するディレクトリ名で、アセットロールディレクトリ３１０を作成してよい。具体的には、アセットロールディレクトリ作成部２１５は、装置識別子取得部２０５から受け取った装置識別子に基づいて、当該装置識別子毎に異なるディレクトリ名を決定してよい。また、アセットロールディレクトリ作成部２１５は、更に、日時取得部２１０から受け取った、アセットロールディレクトリ３１０を生成する日時に基づいて、当該日時毎に異なるディレクトリ名を決定してよい。なお、アセットロールディレクトリ作成部２１５は、予め定められた記録媒体３０のフォーマットにおいて、アセットロールディレクトリ３１０を格納するアセットディレクトリ３００が定められており、且つ、当該アセットディレクトリが記録媒体３０に存在しない場合には、当該アセットディレクトリ３００を作成した後で、アセットロールディレクトリ３１０を作成してよい。そして、アセットロールディレクトリ作成部２１５は、記録媒体３０における、作成したアセットロールディレクトリ３１０へのパスを、表示用画像ディレクトリ作成部２２５、及びアセット記録部２３５に出力する。
【００３６】
表示用画像生成部２２０は、画像入力部２００によって入力された複数の原画像３１２の解像度を下げることによって、複数の表示用画像３１８を生成する。ここで、表示用画像生成部２２０は、複数の表示用画像３１８のそれぞれについて、当該表示用画像３１８を生成する場合に用いた原画像３１２のファイル名を、逆変換可能な予め定められた規則で変換することにより、当該表示用画像３１８のファイル名を生成してよい。具体的には、表示用画像生成部２２０は、複数の表示用画像３１８のそれぞれについて、当該表示用画像３１８を生成する場合に用いた原画像３１２のファイル名の、先頭の予め定められた長さの文字列を、他の文字列に変更することにより、当該表示用画像３１８のファイル名を生成してよい。なお、ここで、それぞれの原画像３１２のファイル名とは、当該原画像３１２が入力されるときに、画像入力部２００によって定められたファイル名であってよい。そして、表示用画像生成部２２０は、複数の表示用画像３１８を表示用画像記録部２４０に出力する。また、表示用画像生成部２２０は、複数の表示用画像３１８のそれぞれのファイル名を、アセットマニフェスト生成部２３０に出力する。
【００３７】
表示用画像ディレクトリ作成部２２５は、表示用画像生成部２２０によって生成される複数の表示用画像３１８を格納する表示用画像ディレクトリ３１６を、アセットロールディレクトリ作成部２１５によって作成されたアセットロールディレクトリ３１０の下位に作成する。そして、表示用画像ディレクトリ作成部２２５は、表示用画像ディレクトリ３１６へのパスを表示用画像記録部２４０に出力する。また、表示用画像ディレクトリ作成部２２５は、作成した表示用画像ディレクトリ３１６へのパス、及びアセットロールディレクトリ３１０へのパスをアセットマニフェスト生成部２３０に出力する。
【００３８】
アセットマニフェスト生成部２３０は、画像入力部２００によって入力された複数の原画像３１２が記録媒体３０に記録された場合の、当該複数の原画像３１２のそれぞれへのパス、及び表示用画像生成部２２０によって生成された複数の表示用画像３１８が記録媒体３０に記録された場合の、当該複数の表示用画像３１８のそれぞれへのパスを格納するアセットマニフェストファイル３１４を生成する。ここで、アセットマニフェスト生成部２３０は、例えばアセットマニフェストファイル３１４がアセットロールディレクトリ３１０の直下に格納される等の、アセットマニフェストファイル３１４及びアセットロールディレクトリ３１０の予め定められた位置関係に基づいて、複数の原画像３１２のそれぞれへのパス、及び複数の表示用画像３１８のそれぞれへのパスを検出してよい。そして、アセットマニフェスト生成部２３０は、画像入力部２００から入力された複数の原画像３１２のそれぞれのファイル名、及び、例えば複数の原画像３１２がアセットロールディレクトリ３１０の直下に格納される等の、複数の原画像３１２及びアセットロールディレクトリ３１０の予め定められた位置関係に基づいて、当該複数の原画像３１２のそれぞれへのパスを検出してよい。また、アセットマニフェスト生成部２３０は、表示用画像生成部２２０から受け取った複数の表示用画像３１８のそれぞれのファイル名、及び表示用画像ディレクトリ作成部２２５から受け取った、表示用画像ディレクトリ３１６へのパス及びアセットロールディレクトリ３１０へのパスに基づいて、当該複数の表示用画像３１８のそれぞれへのパスを検出してよい。そして、アセットマニフェスト生成部２３０は、生成したアセットマニフェストファイル３１４を、アセット記録部２３５に出力する。
【００３９】
アセット記録部２３５は、画像入力部２００から受け取った複数の原画像３１２、及びアセットマニフェスト生成部２３０から受け取った複数のアセットマニフェストファイル３１４を、アセットロールディレクトリ作成部２１５が作成したアセットロールディレクトリ３１０に格納するべく、記録媒体３０に記録する。そして、アセット記録部２３５は、記録したアセットマニフェストファイル３１４へのパス、及び記録した複数の原画像３１２のそれぞれを識別する画像識別子を、アルバム生成マニフェスト生成部２５０に出力する。また、アセット記録部２３５は、記録したアセットマニフェストファイル３１４へのパスをインデックス生成部２６０に出力する。表示用画像記録部２４０は、表示用画像生成部２２０によって生成された複数の表示用画像３１８を、表示用画像ディレクトリ作成部２２５によって作成された表示用画像ディレクトリ３１６に格納するべく、記録媒体に記録する。
【００４０】
アルバムディレクトリ作成部２４５は、アルバムマニフェストファイル３３２を格納するアルバムディレクトリ３３０を、アセットロールディレクトリ作成部２１５が作成するアセットロールディレクトリ３１０の下位でない位置に作成する。例えば、アルバムディレクトリ作成部２４５は、記録媒体３０のルートディレクトリに格納するべく、アルバムディレクトリ３３０を作成してよい。そして、アルバムディレクトリ作成部２４５は、作成したアルバムディレクトリ３３０へのパスを、アルバムマニフェスト記録部２５５に出力する。
【００４１】
アルバムマニフェスト生成部２５０は、記録媒体３０に記録されるアセットマニフェストファイル３１４へのパス、及び記録媒体３０に記録されている複数の原画像３１２が表示される場合の表示順序を格納するアルバム情報ファイル３３２を生成する。具体的には、アルバムマニフェスト生成部２５０は、原画像３１２を識別する画像識別子を、表示順序に対応付けて、アルバムマニフェストファイル３３２に格納してよい。そして、アルバムマニフェスト生成部２５０は、生成したアルバムマニフェストファイル３３２を、アルバム情報記録部２５５に出力する。アルバムマニフェスト記録部２５５は、アルバムマニフェスト生成部２５０によって生成されたアルバムマニフェストファイル３３２を、アルバムディレクトリ作成部２４５によって作成されたアルバムディレクトリ３３０に格納するべく、記録媒体３０に記録する。そして、アルバムマニフェスト記録部２５５は、記録したアルバムマニフェストファイル３３２へのパスを、インデックス生成部２６０に出力する。
【００４２】
インデックス生成部２６０は、アセット記録部２３５によって記録媒体３０に記録されたアセットマニフェストファイル３１４へのパス、及びアルバムマニフェスト記録部２５５によって記録媒体３０に記録されたアルバムマニフェストファイル３３２へのパスを格納するインデックスマニフェストファイル３４０を生成する。そして、インデックス生成部２６０は、生成したインデックスマニフェストファイル３４０を、インデックス記録部２６５に出力する。インデックス記録部２６５は、インデックス生成部２６０によって生成されたインデックスマニフェストファイル３４０を、記録媒体３０毎に異なることのない、予め定められたパスに記録する。
【００４３】
本実施形態に係る画像記録装置２０によれば、アセットロールディレクトリ３１０のディレクトリ名を、複数の記録媒体のそれぞれで異なるディレクトリ名とすることができる。これにより、記録媒体３０に記録されたアセットロールディレクトリ３１０を他の記録媒体及び記憶装置に複製する場合に、既に当該他の記録媒体及び記憶装置に格納されているアセットロールディレクトリ３１０が上書きされることを防止することができる。従って、当該他の記録媒及び記録装置に格納されているファイルが意図せず消去されてしまうことを防止することができる。
【００４４】
また、ＭＡＣアドレス等の装置識別子に基づいてアセットロールディレクトリ３１０のディレクトリ名を決定することにより、異なる画像記録装置２０によって記録された記録媒体３０における、アセットロールディレクトリ３１０のディレクトリ名の重複を、精度よく防止することができる。更に、アセットロールディレクトリ３１０を作成する日時に基づいてアセットロールディレクトリ３１０のディレクトリ名を決定することにより、同一の画像記録装置２０によって記録された複数の記録媒体３０における、アセットロールディレクトリ３１０のディレクトリ名の重複を、精度よく防止することができる。
【００４５】
また、表示用画像ディレクトリ３１６を、アセットロールディレクトリ３１０の下位に作成することにより、アセットロールディレクトリ３１０は他の記録媒体へ複製される。それゆえ、当該アセットロールディレクトリ３１０に格納されている原画像３１２と、当該原画像３１２から生成された表示用画像３１８とを一括して複製することができる。これにより、記録媒体３０に記録されている画像データの管理を、容易に行うことができる。
【００４６】
また、原画像のファイル名を逆変換可能な規則で変換して表示用画像３１８のファイル名を生成することにより、例えばアセットマニフェストファイル３１４を消失した場合であっても、原画像３１２と表示用画像３１８との対応関係を検出することができる。その上、原画像３１２のファイル名における先頭の文字列を他の文字列に変更することによって、表示用画像３１２のファイル名を生成することにより、簡易な構成で、且つ短い時間で原画像３１２と表示用画像３１８との対応関係を検出することができる。
【００４７】
図４は、本実施形態に係る画像読み取り装置４０の機能構成の一例を示すブロック図である。本実施形態に係る画像読み取り装置４０は、インデックス読み取り部４００、アルバムマニフェスト読み取り部４１０、アセットマニフェスト読み取り部４２０、画像読み取り部４３０、及び画像表示部４４０を有する。本例における画像読み取り装置４０は、記録媒体３０に記録されているアルバムマニフェストファイル３３２に従って、記録媒体３０に記録されている複数の原画像３１２に基づくスライドショーを表示する。
【００４８】
インデックス読み取り部４００は、記録媒体３０からインデックスマニフェストファイル３４０を読み取る。ここで、インデックス読み取り部４００は、記録媒体３０毎に異なることはなく、予め定められたパスを用いて、インデックスマニフェストファイル３４０を読み取ってよい。そして、インデックス読み取り部４００は、読み取ったインデックスマニフェストファイル３４０をアルバムマニフェスト読み取り部４１０に出力する。アルバムマニフェスト読み取り部４１０は、インデックス読み取り部４００によって読み取られたインデックスマニフェストファイル３４０に格納されているアルバムマニフェストファイル３３２へのパスを用いて、記録媒体３０からアルバムマニフェストファイル３３２を読み取る。そして、アルバムマニフェスト読み取り部４１０は、読み取ったアルバムマニフェストファイル３３２をアセットマニフェスト読み取り部４２０に出力する。アセットマニフェスト読み取り部４２０は、アルバムマニフェスト読み取り部４１０によって読み取られたアルバムマニフェストファイル３３２に格納されているアセット情報ファイル３１４へのパスを用いて、記録媒体３０からアセットマニフェストファイル３１４を読み取る。そして、アセットマニフェスト読み取り部４２０は、読み取ったアセットマニフェストファイル３１４を画像読み取り部４３０に出力する。
【００４９】
画像読み取り部４３０は、アセットマニフェスト読み取り部４２０によって読み取られたアセットマニフェストファイル３１４に格納されている複数の原画像３１２のそれぞれへのパスを用いて、記録媒体３０から複数の原画像３１２の少なくとも一部を読み取る。また、画像読み取り部４３０は、原画像３１２を読み取る代わりに、アセットマニフェストファイル３１４に格納されている複数の表示用画像３１８のそれぞれへのパスを用いて、記録媒体３０から複数の表示用画像３１８の少なくとも一部を読み取ってもよい。具体的には、画像読み取り部４３０は、アルバムマニフェスト報読み取り部４１０によって読み取られたアルバムマニフェストファイル３３２が定める表示順序に従って表示されるべき原画像３１２のそれぞれについて、順次、原画像から生成された表示用画像へのパスがアセットマニフェストファイルに格納されている場合には、表示用画像３１８を読み取り、原画像３１２から生成された表示用画像３１８へのパスがアセットマニフェストファイル３１４に格納されていない場合には、当該原画像３１２を読み取る。画像表示部４４０は、画像読み取り部４３０によって読み取られた原画像３１２または表示用画像３１８を表示する。
【００５０】
本実施形態に係る画像読み取り装置４０によれば、アセットマニフェストファイル３１４へのパスが格納されているインデックマニフェストスファイル３４０へのパスは記録媒体のフォーマットに依らず定まるので、アセットマニフェストファイル３１４へのパスが記録媒体のフォーマットによって異なる場合であっても、アセットマニフェストファイル３１４を正確に読み取ることができる。これにより、複数の原画像３１２が記録されている領域、即ち複数の原画像のそれぞれへのパスが記録媒体毎に異なる場合であっても、読み取ったアセットマニフェストファイル３１４に基づいて、複数の原画像３１２のそれぞれを正確に読み取ることができる。
【００５１】
また、原画像３１２の解像度に比べて画像表示部４４０の解像度が低い場合、原画像３１２が有する情報の多くは表示されず、データの読み取りに要する時間及び記憶領域の多くが無駄になってしまう。しかし、本実施形態に係る画像読み取り装置４０によれば、記録媒体３０に、原画像３１２より解像度の低い表示用画像３１８が予め記録されているので、原画像３１２の代わりに、当該原画像３１２に対応する表示用画像３１８を読み取って表示することにより、効率よく、且つ高速に画像の読み取り及び表示を行うことができる。また、表示用画像３１８へのパスがアセットマニフェストファイル３１４に記録されていることにより、表示用画像３１８へのパスが記録媒体３０のフォーマットによって異なる場合であっても、表示用画像３１８を正確に読み取ることができる。
【００５２】
また、アルバムマニフェストファイル３３２へのパスがインデックマニフェストスファイル３４０に格納されていることにより、アルバム情報ファイル３３２へのパスが記録媒体３０のフォーマットによって異なる場合であっても、原画像３１２及び表示用画像３１８を正確に読み取ることができる。
【００５３】
また、画像読み取り装置４０は、アルバムマニフェストファイル３３２に関わらず、原画像３１２または表示用画像３１８を表示してもよい。この場合、画像読み取り装置４０は、アルバムマニフェスト読み取り部４１０を有していなくともよく、アセットマニフェスト読み取り部４２０は、アルバムマニフェストファイル３３２に代えて、インデックスマニフェストファイル３４０に格納されているアセットマニフェストファイル３１４へのパスを用いて、アセットマニフェストファイル３１４を読み取ってよい。
【００５４】
また、画像読み取り装置４０は、画像表示部４４０を備えていなくともよい。この場合、画像読み取り装置４０は、例えば、画像読み取り部４３０によって読み取られた原画像３１２を印刷して利用者に提供してもよい。また、画像読み取り装置４０は、例えば、画像読み取り部４３０によって読み取られた原画像３１２または表示用画像３１８を外部の表示装置に出力して、当該外部の表示装置において表示させてもよい。
【００５５】
図５は、本実施形態に係る画像記録装置２０を用いる画像記録方法における処理の流れの一例を示すフローチャートである。画像入力部２００は、撮像された複数の原画像３１２を入力する（Ｓ１０００）。アセットロールディレクトリ作成部２１５は、入力された複数の原画像３１２を格納するアセットロールディレクトリ３１０を、複数の記録媒体のそれぞれが有するアセットロールディレクトリ３１０を識別可能なディレクトリ名で、記録媒体３０中に作成する（Ｓ１０１０）。表示用画像ディレクトリ作成部２２５は、複数の表示用画像３１８を格納する表示用画像ディレクトリ３１６を、作成されたアセットロールディレクトリ３１０の下位に作成する（Ｓ１０２０）。表示用画像生成部２２０は、入力された複数の原画像３１２の解像度を下げることによって、複数の表示用画像３１８を生成する（Ｓ１０３０）。
【００５６】
続いて、アセットマニフェスト生成部２３０は、入力された複数の原画像３１２が記録媒体３０に記録された場合の、当該複数の原画像３１２のそれぞれへのパス、及び生成された複数の表示用画像３１８が記録媒体３０に記録された場合の、当該複数の原画像３１２のそれぞれへのパスを格納するアセットマニフェストファイル３１４を生成する（Ｓ１０４０）。アセット記録部２３５は、入力された複数の原画像３１２、及び生成されたアセットマニフェストファイル３１４を、作成されたアセットロールディレクトリ３１０に格納するべく、記録媒体に記録する（Ｓ１０５０）。続いて、表示用画像記録部２４０は、生成された複数の表示用画像３１８を、作成された表示用画像ディレクトリ３１６に格納するべく、記録媒体３０に記録する（Ｓ１０６０）。
【００５７】
続いて、アルバムディレクトリ作成部２４５は、アルバムマニフェストファイル３３２を格納するアルバムディレクトリ３３０を、作成されたアセットロールディレクトリ３１０の下位でない位置に作成する（Ｓ１０７０）。アルバムマニフェスト生成部２５０は、記録媒体３０に記録されたアセットマニフェストファイル３１４へのパス、及び記録媒体３０に記録された複数の原画像３１２の表示順序を格納するアルバムマニフェストファイル３３２を生成する（Ｓ１０８０）。アルバムマニフェスト記録部２５５は、生成されたアルバムマニフェストファイル３３２を、作成されたアルバムディレクトリ３３０に格納するべく、記録媒体３０に記録する（Ｓ１０９０）。
【００５８】
続いて、インデックス生成部２６０は、記録媒体３０に記録されたアセットマニフェストファイル３１４へのパス、及び記録媒体３０に記録されたアルバムマニフェストファイル３３２へのパスを格納するインデックマニフェストスファイル３４０を生成する（Ｓ１１００）。インデックス記録部２６５は、生成されたインデックスマニフェストファイル３４０を、記録媒体３０毎に異なることのない、予め定められたパスに記録する（Ｓ１１１０）。
【００５９】
本実施形態に係る画像記録装置２０によれば、アルバムディレクトリ３３０をアセットロールディレクトリ３１０の下位ではない位置に作成することができる。これにより、複数のアセットロールディレクトリ３１０に跨った画像の表示順序を定めるアルバムマニフェストファイル３３２を用いる場合において、記録媒体３０からアセットロールディレクトリ３１０が削除された場合であっても、当該アルバムマニフェストファイル３３２を移動させる必要がない。
【００６０】
図６は、本実施形態に係る画像読み取り装置４０を用いる画像読み取り方法における処理の流れの一例を示すフローチャートである。インデックス読み取り部４００は、記録媒体３０からインデックスマニフェストファイル３４０を読み取る（Ｓ１２００）。アルバムマニフェスト読み取り部４１０は、読み取られたインデックスマニフェストファイル３４０に格納されているアルバムマニフェストファイル３３２へのパスを用いて、記録媒体３０からアルバムマニフェストファイル３３２を読み取る（Ｓ１２１０）。アセットマニフェスト読み取り部４２０は、読み取られたアルバムマニフェストファイル３３２に格納されているアセットマニフェストファイル３１４へのパスを用いて、記録媒体３０からアセットマニフェストファイル３１４を読み取る（Ｓ１２２０）。
【００６１】
続いて、画像読み取り装置４０は、以降の処理を、アルバムマニフェストファイル３３２によって定められる、表示すべき原画像３１２について繰り返す（Ｓ１２３０）。画像読み取り部４３０は、当該原画像３１２から生成された表示用画像３１８へのパスが、アセットマニフェストファイル３１４に格納されているか否かを判定する（Ｓ１２４０）。例えば、画像読み取り部４３０は、当該原画像３１２を識別する画像識別子に対応する表示用画像３１８へのパスが、アセットマニフェストファイル３１４に格納されているか否かを判定する。表示用画像３１８へのパスがアセットマニフェストファイル３１４に格納されていると判定した場合（Ｓ１２４０：Ｙｅｓ）、画像読み取り部４３０は、当該表示用画像３１８へのパスを用いて、当該表示用画像３１８を読み取る（Ｓ１２５０）。
【００６２】
一方、表示用画像３１８へのパスがアセットマニフェストファイル３１４に格納されていないと判定した場合（Ｓ１２４０：Ｎｏ）、画像読み取り部４３０は、アセットマニフェストファイル３１４に格納されている当該原画像３１２へのパスを用いて、当該原画像３１２を読み取る（Ｓ１２６０）。そして、画像読み取り部４３０は、画像表示部４４０における解像度に従って、読み取った当該原画像３１２の解像度を下げる（Ｓ１２７０）。
【００６３】
続いて、画像表示部４４０は、読み取られた表示用画像３１８、または読み取られて解像度が下げられた原画像３１２を表示する（Ｓ１２８０）。ここで、利用者が、表示された画像を印刷する旨を、画像読み取り装置４０に設けられた入力手段を用いて指示した場合、画像読み取り装置４０は、当該原画像３１２を記録媒体３０から読み取って、画像読み取り装置４０が有する印刷手段、あるいは外部の印刷装置に出力してよい。そして、画像読み取り装置４０は、以上の処理を、表示すべきすべての画像について繰り返す（Ｓ１２９０）。
【００６４】
図７は、本実施形態に係る画像記録装置２０を用いる画像記録方法における処理の流れの他の例を示すフローチャートである。本例において、画像記録装置２０は、複数の原画像３１２及びアルバムマニフェストファイル３３２が既に記録されている記録媒体３０に、新たな複数の原画像３１２及び新たなアルバムマニフェストファイル３３２を記録する。また、本例において、記録媒体３０は、同一の領域に一度だけ情報を記録することができるライトワンス型の記録媒体であり、ライトワンス型の記録媒体の、未だ情報が記録されていない領域に情報を記録することができる。また、本例における画像記録装置２０は、図４に示した画像読み取り装置４０を有しており、記録媒体３０に記録されているマニフェスト等の情報を読み取ることができるとする。
【００６５】
画像入力部２００は、新たな複数の原画像３１２を入力する（Ｓ１４００）。インデックス読み取り部４００は、記録媒体３０から、既に記録されているインデックマニフェストスファイル３４０を読み取る（Ｓ１４１０）。アルバムマニフェスト読み取り部４１０は、読み取られたインデックスマニフェストファイル３４０に格納されているアルバムマニフェストファイル３３２へのパスを用いて、記録媒体３０から、既に記録されているアルバムマニフェストファイル３３２を読み取る（Ｓ１４２０）。アセットロールディレクトリ作成部２１５は、入力された新たな複数の原画像３１２を格納する新たなアセットロールディレクトリ３１０を、複数の記録媒体のそれぞれが有するアセットロールディレクトリ３１０のそれぞれを識別可能なディレクトリ名で、記録媒体３０中に作成する（Ｓ１４３０）。表示用画像ディレクトリ作成部２２５は、複数の表示用画像を格納する新たな表示用画像ディレクトリを、作成された新たなアセットロールディレクトリ３１０の下位に作成する（Ｓ１４４０）。表示用画像生成部２２０は、入力された複数の原画像３１２の解像度を下げることによって、新たな複数の表示用画像３１８を生成する（Ｓ１４５０）。
【００６６】
アセットマニフェスト生成部２３０は、入力された新たな複数の原画像３１２が記録媒体３０に記録された場合の、当該新たな複数の原画像３１２のそれぞれへのパス、及び生成された新たな複数の表示用画像３１８が記録媒体３０に記録された場合の、当該新たな複数の表示用画像３１８のそれぞれへのパスを格納する新たなアセットマニフェストファイル３１４を生成する。アセット記録部２３５は、新たな複数の原画像３１２、及び生成された新たなアセットマニフェストファイル３１４を、作成された新たなアセットロールディレクトリ３１０に格納するべく、記録媒体における、未だ情報が記録されていない領域に記録する（Ｓ１４７０）。表示用画像記録部２４０は、生成された新たな複数の表示用画像３１８を、作成された新たな表示用画像ディレクトリ３１６に格納するべく、記録媒体における、未だ情報が記録されていない領域に記録する（Ｓ１４８０）。
【００６７】
アルバムマニフェスト生成部２５０は、既に記録媒体３０に記録されているアルバムマニフェストファイル３３２に、作成された新たなアセットマニフェストファイル３１４へのパス、及び入力された新たな複数の原画像３１２が表示される場合の表示順序を更に格納させた、新たなアルバムマニフェストファイル３３２を生成する（Ｓ１４９０）。アルバムマニフェスト記録部２５５は、記録媒体３０に記録されているアルバムマニフェストファイル３３２を無効にする（Ｓ１５００）。アルバムマニフェスト記録部２５５は、生成された新たなアルバムマニフェストファイル３３２を、記録媒体における、未だ情報が記録されていない領域に記録する（Ｓ１５１０）。例えば、アルバムマニフェスト記録部２５５は、新たなアルバムマニフェストファイル３３２を、既に記録されていたアルバムマニフェストファイル３３２と同じパスで記録媒体３０に記録してよい。また、アルバムマニフェスト記録部２５５は、アルバムマニフェストファイル３３２へのパスに対応する、記録媒体における物理領域を、既に記録されていたアルバムマニフェストファイル３３２の物理領域に代えて、新たなアルバムマニフェストファイル３３２の物理領域に変更したファイル管理情報を、記録媒体３０に記録してよい。
【００６８】
既に原画像３１２が記録されているライトワンス型の記録媒体に、新たな原画像３１２を追加して記録する場合、スライドショーがビデオストリームとして記録されていると、ビデオストリームを再度生成して記録する必要がある。一般に、ビデオストリームのデータ量は静止画像に比べて大きいので、このようにして生成したビデオストリームは、既にビデオストリームが記録されている記録媒体には記録できず、新たな記録媒体に記録しなければならない場合がある。しかし、本実施形態に係る画像記録装置２０によれば、新たな原画像３１２を記録すると共に、新たなアルバムマニフェストファイル３３２を更新するだけで、当該新たな原画像３１２を加えたスライドショーを表示するための記録媒体を作成することができる。これにより、記録媒体３０の記憶領域を有効に利用することができる。また、複数の原画像３１２を記録すると共に、アルバムマニフェストファイル３３２を更新する処理は、ビデオストリームを生成して記録する処理に比べて、より短い時間で実行できるので、本実施形態に係る画像記録装置２０を用いることにより、新たな複数の原画像を追加する場合の、利用者にとっての利便性を向上させることができる。
【００６９】
図８は、本発明の本実施形態に係る画像利用システムの他の例である画像利用システム５０の構成の一例を示す。本実施形態に係る画像利用システム５０は、第１の記録媒体６０に記録されている複数の原画像３１２を、第２の記録媒体８０に記録する。本実施形態に係る画像利用システム５０は、第１の記録媒体６０、画像記録装置７０、及び第２の記録媒体８０を備える。なお、第１の記録媒体６０及び第２の記録媒体８０のそれぞれは、図２に示した記録媒体３０と略同一のディレクトリ構造及びファイル構造を有していてよい。
【００７０】
本実施形態に係る記録装置７０は、第１インデックス読み取り部７００、第１アセットディレクトリ検出部７０５、アセットマニフェスト読み取り部７１０、画像読み取り部７１５、第２インデックス読み取り部７２０、第２アセットディレクトリ検出部７２５、アセットディレクトリ作成部７３０、アセットロールディレクトリ作成部７３５、アセット記録部７４０、インデックス生成部７４５、及びインデックス記録部７５０を有する。
【００７１】
第１インデックス読み取り部７００は、第１の記録媒体６０から、インデックスマニフェストファイル３４０を読み取る。ここで、第１インデックス読み取り部７００は、第１の記録媒体６０毎に異なることはなく、予め定められたパスを用いて、インデックスマニフェストファイル３４０を読み取ってよい。そして、第１インデックス読み取り部７００は、読み取ったインデックスマニフェストファイル３４０を、第１アセットディレクトリ検出部７０５、及びアセットマニフェスト読み取り部７１０に出力する。
【００７２】
第１アセットディレクトリ検出部７０５は、第１インデックス読み取り部７００によって読み取られたインデックスマニフェストファイル３４０に格納されているアセットマニフェストファイル３１４へのパスに基づいて、第１の記録媒体６０に格納されているアセットロールディレクトリ３１０を有するアセットディレクトリ３００のディレクトリ名を検出する。ここで、第１アセットディレクトリ検出部７０５は、第１の記録媒体６０がアセットロールディレクトリ３００を有しておらず、ルートディレクトリの直下にアセットロールディレクトリ３１０を有している場合には、アセットディレクトリ３００が存在しない旨を検出してよい。そして、第１アセットディレクトリ検出部７０５は、第１の記録媒体６０におけるアセット情報ファイル３１４へのパス、及び検出したアセットディレクトリ３００のディレクトリ名を、アセットディレクトリ作成部７３０、アセットロールディレクトリ作成部７３５、及びアセット記録部７４０に出力する。
【００７３】
アセットマニフェスト読み取り部７１０は、第１インデックス読み取り部７００により読み取られたインデックスマニフェストファイル３４０に格納されているアセットマニフェストファイル３１４へのパスを用いて、第１の記録媒体６０からアセットマニフェストファイル３１４を読み取る。そして、アセットマニフェスト読み取り部７１０は、読み取ったアセットマニフェストファイル３１４を、画像読み取り部７１５及びアセット記録部７４０に出力する。画像読み取り部７１５は、アセットマニフェスト読み取り部７１０によって読み取られたアセットマニフェストファイル３１４に格納されている複数の原画像３１２のそれぞれへのパスを用いて、第１の記録媒体６０から複数の原画像３１２を読み取る。そして、画像読み取り部７１５は、読み取った複数の原画像３１２を、アセット記録部７４０に出力する。
【００７４】
第２インデックス読み取り部７２０は、第２の記録媒体８０から、インデックスマニフェストファイル３４０を読み取る。ここで、第２インデックス読み取り部７２０は、第２の記録媒体８０毎に異なることはなく、予め定められたパスを用いて、インデックスマニフェストファイル３４０を読み取ってよい。そして、第２インデックス読み取り部７２０は、読み取ったインデックスマニフェストファイル３４０を、第２アセットディレクトリ検出部７２５及びインデックス生成部７４５に出力する。
【００７５】
第２アセットディレクトリ検出部７２５は、第２インデックス読み取り部７２０によって読み取られたインデックスマニフェストファイル３４０に格納されているアセットマニフェストファイル３１４へのパスに基づいて、第２の記録媒体８０に格納されているアセットロールディレクトリ３１０を有するアセットディレクトリ３００のディレクトリ名を検出する。ここで、第２アセットディレクトリ検出部７２５は、第２の記録媒体８０がアセットロールディレクトリ３００を有しておらず、ルートディレクトリの直下にアセットロールディレクトリ３１０を有している場合には、アセットディレクトリ３００が存在しない旨を検出してよい。第２アセットディレクトリ検出部７２５は、検出したアセットディレクトリ３００のディレクトリ名を、アセットディレクトリ作成部７３０、アセットロールディレクトリ作成部７３５、及びアセット記録部７４０に出力する。
【００７６】
アセットディレクトリ作成部７３０は、第１アセットディレクトリ検出部７０５、及び第２アセットディレクトリ検出部７２５のそれぞれによって検出されたアセットディレクトリ３００のディレクトリ名が一致しない場合に、予め定められたディレクトリ名のアセットディレクトリ３００を、第２の記録媒体８０中に作成する。そして、アセットディレクトリ作成部７３０は、作成したアセットディレクトリ３００へのパスを、アセットロールディレクトリ作成部７３５に出力する。
【００７７】
セットロールディレクトリ作成部７３５は、アセットマニフェスト読み取り部７１０によって読み取られたアセットマニフェストファイル３１４、及び画像読み取り部７１５によって読み取られた複数の原画像３１２を格納するべきアセットロールディレクトリ３１０を、第２の記録媒体８０中に作成する。具体的には、アセットロールディレクトリ作成部７３５は、第１アセットディレクトリ検出部７０５、及び第２アセットディレクトリ検出部７２５のそれぞれによって検出されたアセットディレクトリ３００のディレクトリ名が一致する場合、第２の記録媒体８０が有するアセットディレクトリ３００の下位に、アセットロールディレクトリ３１０を作成する。また、アセットロールディレクトリ作成部７３５は、第１アセットディレクトリ検出部７０５、及び第２アセットディレクトリ検出部７２５のそれぞれによって検出されたアセットディレクトリ３００のディレクトリ名が一致しない場合、アセットディレクトリ作成部７３０によって作成された第２の記録媒体８０のアセットディレクトリ３００の下位に、アセットロールディレクトリ３１０を作成する。なお、アセットロールディレクトリ作成部７３５は、アセットロールディレクトリ３１０のディレクトリ名を、第１アセットディレクトリ検出部７１０から受け取った、第１の記録媒体６０におけるアセットマニフェストファイル３１４へのパスに基づいて、当該アセットマニフェストファイル３１４が第１の記録媒体６０において格納されているアセットロールディレクトリ３１０のディレクトリ名と同一のディレクトリ名となるべく定めてよい。そして、アセットロールディレクトリ作成部７３５は、作成したアセットロールディレクトリ３１０へのパスを、アセット記録部７４０に出力する。
【００７８】
アセット記録部７４０は、アセットマニフェスト読み取り部７１０によって読み取られた、第１の記録媒体６０に記録されているアセットマニフェストファイル３１４、及び画像読み取り部７１５によって読み取られた、第１の記録媒体６０に記録されている複数の原画像３１２を、アセットロールディレクトリ作成部７３５によって作成されたアセットロールディレクトリ３１０に格納するべく、第２の記録媒体８０に記録する。そして、アセット記録部７４０は、記録したアセットマニフェストファイル３１４へのパスを出力する。
【００７９】
インデックス生成部７４５は、第２インデックス読み取り部７２０により読み取られた、第２の記録媒体に既に記録されているインデックスファイル３４０に、アセット記録部７４０により第２の記録媒体８０に記録されたアセットマニフェストファイル３１４へのパスを更に格納させることにより、新たなインデックスマニフェストファイル３４０を生成する。そして、インデックス生成部７４５は、生成した新たなインデックスマニフェストファイル３４０をインデックス記録部７５０に出力する。
【００８０】
インデックス記録部７５０は、インデックス生成部７４５により生成された新たなインデックスマニフェストファイル３４０を用いて、第２の記録媒体８０に既に記録されているインデックスマニフェストファイル３４０を更新する。例えば、インデックス記録部７５０は、第２の記録媒体８０がライトワンス型である場合には、既に記録されているインデックスマニフェストファイル３４０を無効にすると共に、未だに情報が記録されていない領域に、新たなインデックスマニフェストファイル３４０を記録してよい。
【００８１】
本実施形態に係る画像記録装置７０によれば、既に原画像３１２が記録されている第２の記録媒体８０に、当該第２の記録媒体８０とは別の記録媒体である第１の記録媒体６０に記録されている複数の原画像３１２を追加して記録することができる。そして、画像記録装置７０によれば、それぞれの記録媒体が同一のフォーマットに基づく場合には、第１の記録媒体６０における当該複数の原画像３１２及びアセットマニフェストファイル３１４へのパスを変更することなく、第１の記録媒体６０における当該複数の原画像３１２及びアセットマニフェストファイル３１４を記録することができる。また、画像記録装置７０によれば、それぞれの記録媒体が互いに異なるフォーマットに基づく場合には、予め定められたディレクトリ名のアセットディレクトリ３００を作成して、当該複数の原画像３１２及びアセットマニフェストファイル３１４を第２の記録媒体８０に記録することができる。従って、画像記録装置７０によれば、第１の記録媒体６０及び第２の記録媒体８０のそれぞれにおけるフォーマットに関わらず、第１の記録媒体６０からの原画像３１２を第２の記録媒体８０へと複製することができ、その反対もできる。
【００８２】
なお、本図に示した画像記録装置７０は、第１の記録媒体に記録されている複数の原画像３１２及びアセットマニフェストファイル３１４を第２の記録媒体８０に記録している。これに加えて、画像記録装置７０は、第１の記録媒体６０に記録されているアルバムマニフェストファイル３３２を、第２の記録媒体８０に更に記録してもよい。この場合、記録装置７０は、第２の記録媒体８０に既に記録されているアルバムマニフェストファイル３３２に、アセットマニフェストファイル３１４へのパス、及びアセット記録部７４０により記録された複数の原画像３１２の表示順序を更に格納させるべく、当該アルバムマニフェストファイル３３２を更新してよい。記録装置７０は、これに代えて、第２の記録媒体８０に既に記録されているアルバムマニフェストファイル３３２とは別に、アセットマニフェストファイル３１４へのパス、及びアセット記録部７４０により記録された複数の原画像３１２の表示順序を格納する新たなアルバムマニフェストファイル３３２を記録してもよい。
【００８３】
図９は、本実施形態に係る画像記録装置７０を用いる画像記録方法における処理の流れの一例を示すフローチャートである。第１インデックス読み取り部７００は、第１の記録媒体６０から、インデックスマニフェストファイル３４０を読み取る（Ｓ１６００）。第１アセットディレクトリ検出部７０５は、第１インデックス読み取り部７００によって読み取られたインデックスマニフェストファイル３４０に格納されているアセットマニフェストファイル３１４へのパスに基づいて、第１の記録媒体６０に格納されているアセットロールディレクトリ３１０を有するアセットディレクトリ３００のディレクトリ名を検出する（Ｓ１６１０）。アセットマニフェスト読み取り部７１０は、第１インデックス読み取り部７００により読み取られたインデックスマニフェストファイル３４０に格納されているアセットマニフェストファイル３１４へのパスを用いて、第１の記録媒体６０からアセットマニフェストファイル３１４を読み取る（Ｓ１６２０）。画像読み取り部７１５は、アセットマニフェスト読み取り部７１０によって読み取られたアセットマニフェストファイル３１４に格納されている複数の原画像３１２のそれぞれへのパスを用いて、第１の記録媒体６０から複数の原画像３１２を読み取る（Ｓ１６３０）。
【００８４】
第２インデックス読み取り部７２０は、第２の記録媒体８０から、インデックスマニフェストファイル３４０を読み取る（Ｓ１６４０）。第２アセットディレクトリ検出部７２５は、第２インデックス読み取り部７２０によって読み取られたインデックスマニフェストファイル３４０に格納されているアセットマニフェストファイル３１４へのパスに基づいて、第２の記録媒体８０に格納されているアセットロールディレクトリ３１０を有するアセットディレクトリ３００のディレクトリ名を検出する（Ｓ１６５０）。
【００８５】
続いて、画像記録装置７０は、第１アセットディレクトリ検出部７０５、及び第２アセットディレクトリ検出部７２５のそれぞれによって検出されたアセットディレクトリ３００のディレクトリ名が一致するか否かを判定する（Ｓ１６６０）。アセットディレクトリ３００のディレクトリ名が一致しない場合に（Ｓ１６６０：Ｎｏ）、アセットディレクトリ作成部７３０は、予め定められた名前のアセットディレクトリ３００を、第２の記録媒体８０中に作成する（Ｓ１６７０）。
【００８６】
続いて、アセットロールディレクトリ作成部７３５は、アセットマニフェスト読み取り部７１０によって読み取られたアセットマニフェストファイル３１４、及び画像読み取り部７１５によって読み取られた複数の原画像３１２を格納するべきアセットロールディレクトリ３１０を、第２の記録媒体８０中に作成する（Ｓ１６８０）。アセット記録部７４０は、アセットマニフェスト読み取り部７１０によって読み取られた、第１の記録媒体６０に記録されているアセットマニフェストファイル３１４、及び画像読み取り部７１５によって読み取られた、第１の記録媒体６０に記録されている複数の原画像３１２を、アセットロールディレクトリ作成部７３５によって作成されたアセットロールディレクトリ３１０に格納するべく、第２の記録媒体８０に記録する（Ｓ１６９０）。
【００８７】
インデックス生成部７４５は、第２インデックス読み取り部７２０により読み取られた、第２の記録媒体８０に既に記録されているインデックスマニフェストファイル３４０に、アセットマニフェスト読み取り部７１０により第１の記録媒体６０から読み取られて、アセット記録部７４０により第２の記録媒体８０に記録されたアセットマニフェストファイル３１４へのパスを更に格納させることにより、新たなインデックスマニフェストファイル３４０を生成する（Ｓ１７００）。インデックス記録部７５０は、インデックス生成部７４５により生成された新たなインデックスマニフェストファイル３４０を用いて、第２の記録媒体８０に既に記録されているインデックスマニフェストファイル３４０を更新する（Ｓ１７１０）。
【００８８】
付属書Ａ‐１、Ａ‐２、およびＡ‐３において、本実施形態の別の例を提示する。
【００８９】
本発明を模範的な実施形態により説明してきたが、当業者であれば本発明の趣旨および範囲から逸脱することなく多くの改良および置換をなしうるであろうことは理解されよう。本発明は、添付の請求項によってだけ定義される。
【産業上の利用可能性】
【００９０】
上記説明から明らかなように、本発明によれば、記録媒体のフォーマットに関わらず、記録媒体に記録されている原画像を読み取ることができる。
【００９１】
付属書Ａ‐１
ピクチャ・アーカイブ・アンド・シェアリング・システム
ジョイント・イニシアティブ
Ｋｏｎｉｋａ―Ｍｉｎｏｌｔａ、Ｆｕｊｉ  Ｆｉｌｍ、Ｅａｓｔｍａｎ  Ｋｏｄａｋ
バージョン０．８２
ディスクの論理的な仕様
ワーキング・ドラフト
著者：Ｍａｋａｔｏ  Ｈａｒａ、Ｙ．Ｓａｔｏ、Ｙｕｔａｋａ  Ｕｅｄａ、Ｔ．Ｗｈｉｔｃｈｅｒ
貢献：Ｔ．Ａｒｕｊｕｎａｎ、Ｊｏｈｎ  ＭｃＣｏｙ
バージョン０．８２
２００５年２月４日
目次
１．  概略・・・・・・・・・・・・・・・・・・・・・・・・・・・・・・・・・９
１．１  ＰＡＳＳシステム概略・・・・・・・・・・・・・・・・・・・・・・・・９
１．１．１  システム概略・・・・・・・・・・・・・・・・・・・・・・・・・１０
１．１．２  システム例・・・・・・・・・・・・・・・・・・・・・・・・・・１３
１．２  ディスクの論理的な仕様概略・・・・・・・・・・・・・・・・・・・・１５
２．ライセンス及びロゴ規定・・・・・・・・・・・・・・・・・・・・・・・・１５
３．用語定義・・・・・・・・・・・・・・・・・・・・・・・・・・・・・・・１６
４．参考文献・・・・・・・・・・・・・・・・・・・・・・・・・・・・・・・１９
５．論理ディスクコンポーネント・・・・・・・・・・・・・・・・・・・・・・２１
５．１ファイル・・・・・・・・・・・・・・・・・・・・・・・・・・・・・・２１
５．１．１ＰＡＳＳアセットファイルフォーマット・・・・・・・・・・・・・・２１
５．１．１．１静止画像データのファイルフォーマット・・・・・・・・・・・・２１
５．１．１．１．１  静止画像データの必須ファイルフォーマット・・・・・・・２１
５．１．１．２動画像データのファイルフォーマット・・・・・・・・・・・・・２１
５．１．１．２．１  動画像データの必須ファイルフォーマット・・・・・・・・２１
５．１．１．３音声データのファイルフォーマット・・・・・・・・・・・・・・２２
５．１．１．３．１  音声データの必須ファイルフォーマット・・・・・・・・・２２
５．１．２システム生成ファイル・・・・・・・・・・・・・・・・・・・・・・２２
５．１．２．１ＰＡＳＳ特有ＸＭＬ要素・・・・・・・・・・・・・・・・・・・２２
５．１．２．１．１  ＰＡＳＳ媒体用一般メタデータ・・・・・・・・・・・・・２２
５．１．２．１．２移行及び関連メタデータ・・・・・・・・・・・・・・・・・２２
５．１．２．１．２．１ＰＡＳＳ一般情報メタデータ・・・・・・・・・・・・・２３
５．１．２．１．２．２ＰＡＳＳ継承（移行）メタデータ・・・・・・・・・・・２３
５．１．２．１．２．３メタデータ挿入規則・・・・・・・・・・・・・・・・・２３
５．１．２．１．２．４複数世代移行の移行戦略・・・・・・・・・・・・・・・２３
５．１．２．１．２．５移行ディレクトリ管理・・・・・・・・・・・・・・・・２４
５．１．２．２インデックス・マニフェスト・ファイル・・・・・・・・・・・・２４
５．１．２．２．１概略・・・・・・・・・・・・・・・・・・・・・・・・・・２４
５．１．２．２．２マニフェスト・ファイル命名制限・・・・・・・・・・・・・２４
５．１．２．２．３必須ＭＰＶプロフィール・・・・・・・・・・・・・・・・・２４
５．１．２．２．４必須非ＰＡＳＳ要素・・・・・・・・・・・・・・・・・・・２５
５．１．２．２．５制限非ＰＡＳＳ要素・・・・・・・・・・・・・・・・・・・２５
５．１．２．２．６ＰＡＳＳインデックス・マニフェスト・ファイル内のＰＡＳＳ特有要素・・・・・・・・・・・・・・・・・・・・・・・・・・・・・・・・・・・２５
５．１．２．３プレイリスト・マニフェスト・ファイル・・・・・・・・・・・・２６
５．１．２．３．１概要・・・・・・・・・・・・・・・・・・・・・・・・・・２６
５．１．２．３．２プレイリスト・マニフェスト・ファイル命名制限・・・・・・２６
５．１．２．３．３必須ＭＰＶプロフィール・・・・・・・・・・・・・・・・・２６
５．１．２．３．４必須非ＰＡＳＳ要素・・・・・・・・・・・・・・・・・・・２７
５．１．２．３．５プレイリスト・マニフェスト・ファイルの制限非ＰＡＳＳ要素
・・・・・・・・・・・・・・・・・・・・・・・・・・・・・・・・・・・・・２７
５．１．２．３．６ＰＡＳＳプレイリスト・マニフェスト・ファイルのＰＡＳＳ特有要素・・・・・・・・・・・・・・・・・・・・・・・・・・・・・・・・・・・・２７
５．１．２．３．７デフォルト・プレイリスト・マニフェスト・ファイル・・・・２８
５．１．２．４ＰＡＳＳアセット・リスト・マニフェスト・ファイル・・・・・・２９
５．１．２．４．１概略・・・・・・・・・・・・・・・・・・・・・・・・・・２９
５．１．２．４．２ＰＡＳＳアセット種類、単純及び複合（Ｃｏｍｐｏｕｎｄ）
・・・・・・・・・・・・２９
５．１．２．４．２．１単純アセット・・・・・・・・・・・・・・・・・・・・２９
５．１．２．４．２．２複合アセット・・・・・・・・・・・・・・・・・・・・２９
５．１．２．４．２．３複合アセット関連のメタデータ・・・・・・・・・・・・３０
５．１．２．４．３マニフェスト・ファイル命名制限・・・・・・・・・・・・・３０
５．１．２．４．４必須ＭＰＶプロフィール・・・・・・・・・・・・・・・・・３０
５．１．２．４．５必須非ＰＡＳＳ要素・・・・・・・・・・・・・・・・・・・３０
５．１．２．４．６オプションの非ＰＡＳＳ要素・・・・・・・・・・・・・・・３０
５．１．２．４．７画像アセットに特有の非ＰＡＳＳメタデータ要素・・・・・・３２
５．１．２．４．７．１静止画像ファイル用メタデータ・・・・・・・・・・・・３２
５．１．２．４．７．２以下の非ＰＡＳＳ要素も静止画像ファイルに含まれねばならない・・・・・・・・・・・・・・・・・・・・・・・・・・・・・・・・・・・・３２
５．１．２．４．８アセット・リスト・マニフェスト・ファイル内のＰＡＳＳ特有要素
・・・・・・・・・・・・・・・・・・・・・・・・・・・・・・・・・・・・・３４
５．２プレイリスト選択及び制御情報・・・・・・・・・・・・・・・・・・・・３４
５．３コンテナ種類・・・・・・・・・・・・・・・・・・・・・・・・・・・・３５
５．３．１  アセットディレクトリ・・・・・・・・・・・・・・・・・・・・・３５
５．３．１．１  制限・・・・・・・・・・・・・・・・・・・・・・・・・・・３５
５．３．２  アセットロールディレクトリ・・・・・・・・・・・・・・・・・・３５
５．３．２．１  制限・・・・・・・・・・・・・・・・・・・・・・・・・・・３５
５．３．３  アルバムディレクトリ・・・・・・・・・・・・・・・・・・・・・３５
５．３．３．１  制限・・・・・・・・・・・・・・・・・・・・・・・・・・・３５
５．３．４  表示ディレクトリ・・・・・・・・・・・・・・・・・・・・・・・３６
５．３．４．１  表示ディレクトリの構造・・・・・・・・・・・・・・・・・・３６
５．３．４．１．１  命名取り決め・・・・・・・・・・・・・・・・・・・・・３７
５．３．４．１．２  制限・・・・・・・・・・・・・・・・・・・・・・・・・３７
５．３．４．１．３  定義表示ディレクトリ及びその属性・・・・・・・・・・・３７
５．３．４．１．３．１  表示・・・・・・・・・・・・・・・・・・・・・・・３７
５．３．４．１．３．２  ＤＩＳＰＮＴＳ・・・・・・・・・・・・・・・・・・３７
５．３．４．１．３．３  ＤＩＳＰＰＡＬ・・・・・・・・・・・・・・・・・・３７
５．３．４．１．３．４  ＤＩＳＰＨＴＶ１０８０Ｉ・・・・・・・・・・・・・３８
５．３．４．１．３．５  ＤＩＳＰＨＴＶ１０８０Ｐ・・・・・・・・・・・・・３８
５．３．４．１．３．６  ＤＩＳＰＨＴＶ７２０Ｐ・・・・・・・・・・・・・・３８
５．３．４．１．３．７  ＤＩＳＰＳＴＶ４８０Ｉ・・・・・・・・・・・・・・３８
５．３．４．１．３．８  ＤＩＳＰＳＴＶ４８０Ｐ・・・・・・・・・・・・・・３８
５．３．４．１．４  表示ディレクトリ上の回転情報・・・・・・・・・・・・・３９
５．３．５  共有アセットディレクトリ・・・・・・・・・・・・・・・・・・・４０
５．３．５．１  制限・・・・・・・・・・・・・・・・・・・・・・・・・・・４０
６  ディレクトリ及びファイル構造・・・・・・・・・・・・・・・・・・・・・４０
６．１  全体構造・・・・・・・・・・・・・・・・・・・・・・・・・・・・・４０
６．２  ファイルシステム・・・・・・・・・・・・・・・・・・・・・・・・・４１
６．３  推奨ディレクトリ構造・・・・・・・・・・・・・・・・・・・・・・・４２
６．３．１  推奨ディレクトリ構造グラフィック・・・・・・・・・・・・・・・４２
６．３．２  推奨ディレクトリ構造の命名取り決め・・・・・・・・・・・・・・４２
６．３．２．１  ＰＡＳＳインデックス・マニフェスト・ファイル・・・・・・・４３
６．３．２．２  ＡＳＳＥＴ（アセット）ディレクトリ・・・・・・・・・・・・４３
６．３．２．３  アセットロールディレクトリ・・・・・・・・・・・・・・・・４３
６．３．２．４  ＰＡＳＳアセットファイル・・・・・・・・・・・・・・・・・４３
６．３．２．５  アセット・リスト・マニフェスト・・・・・・・・・・・・・・４４
６．３．２．６  ＡＬＢＵＭ（アルバム）ディレクトリ・・・・・・・・・・・・４４
６．３．２．７  デフォルト・プレイリスト・マニフェスト・ファイル・・・・・４４
６．３．２．８  カスタム・プレイリスト・マニフェスト・ファイル・・・・・・４４
６．３．２．９  共有ディレクトリ・・・・・・・・・・・・・・・・・・・・・４４
６．３．２．１０  共有アセットファイル・・・・・・・・・・・・・・・・・・４４
６．３．２．１１  共有アセット・リスト・マニフェスト・・・・・・・・・・・４５
６．３．３  推奨ディレクトリ構造は対応するＭＰＶマニフェスト・ファイルを持つ
・・・・・・・・・・・・・・・・・・・・・・・・・・・・・・・・・・・・４５
６．３．３．１  インデックス・マニフェストＰＡＳＳＩＤＸ．ＰＶＭ・・・・・４５
６．３．３．２  デフォルト・プレイリスト・マニフェストＰＬＡＲ２００４０１１９＿ＸＸＸＸＸＸＸ１．ＰＶＭ・・・・・・・・・・・・・・・・・・・・・・・・４７
６．３．３．３  デフォルト・プレイリスト・マニフェストＰＬＡＲ２００４０１１９＿ＸＸＸＸＸＸＸ２．ＰＶＭ・・・・・・・・・・・・・・・・・・・・・・・・４９
６．３．３．４  デフォルト・プレイリスト・マニフェストＰＬＡＲ２００４０１２０＿ＸＸＸＸＸＸＸ１．ＰＶＭ・・・・・・・・・・・・・・・・・・・・・・・・５０
６．３．３．５  カスタム・プレイリスト・マニフェストＰＬＣＵ２００４０１３０＿ＸＸＸＸＸＸＸ１．ＰＶＭ・・・・・・・・・・・・・・・・・・・・・・・・・５１
６．３．３．６  アセット・ロール・マニフェストＡＳ２００４０１１９＿ＸＸＸＸＸＸＸ１．ＰＶ・・・・・・・・・・・・・・・・・・・・・・・・・・・・・・・５４
６．３．３．７  アセット・ロール・マニフェストＡＳ２００４０１１９＿ＸＸＸＸＸＸＸ２．ＰＶＭ・・・・・・・・・・・・・・・・・・・・・・・・・・・・・・５６
６．３．３．８  アセット・ロール・マニフェストＡＳ２００４０１２０＿ＸＸＸＸＸＸＸ１．ＰＶＭ・・・・・・・・・・・・・・・・・・・・・・・・・・・・・・５７
６．３．３．９  共有ディレクトリマニフェスト―ＳＨ２００４０１２０＿ＸＸＸＸＸＸＸ１．ＰＶＭ・・・・・・・・・・・・・・・・・・・・・・・・・・・・・・６０
７  媒体種類特有コンポーネント（このセクションは開発中である）・・・・・・６１
７．１  ＤＶＤ  ＲＯＭ、リコーダブル、リライタブル・・・・・・・・・・・・６１
７．２  ＣＤ  ＲＯＭ  リコーダブル、リライタブル・・・・・・・・・・・・・６１
付録Ａ―レガシーディレクトリ及びファイル構造の相互参照（参考情報）・・・・６２
付録Ｂ―短縮ＵＩＤ（ＴＵＩＤ）アルゴリズム・・・・・・・・・・・・・・・・６３
付録Ｃ―Ｋｏｄａｋ  ＰｉｃｔｕｒｅＣＤディレクトリ及びファイル構造（参考情報）
・・・・・・・・・・・・・・・・・・・・・・・・・・・・・・・・・・・・・６５
付録Ｄ―Ｆｕｊｉ  Ｃｏｌｏｒ  ＣＤディレクトリ及びファイル構造（参考情報）
・・・・・・・・・・・・・・・・・・・・・・・・・・・・・・・・・・・・・６６
付録Ｅ―Ｋｏｎｉｋａ  Ｍｉｎｏｌｔａ  Ｈｏｔ  Ａｌｂｕｍディレクトリ及びファイル構造（参考情報）・・・・・・・・・・・・・・・・・・・・・・・・・・・・６６
７．２．１．１  アセットディレクトリ・・・・・・・・・・・・・・・・・・・６７
７．２．１．１．１  アセットロールディレクトリ・・・・・・・・・・・・・・６７
７．２．１．１．１．１  命名取り決め・・・・・・・・・・・・・・・・・・・６７
７．２．１．１．１．２  ＤＩＳＰＬＡＹ（表示）ディレクトリ・・・・・・・・６８
７．２．１．１．２  アセットファイル・・・・・・・・・・・・・・・・・・・６８
７．２．１．１．２．１  命名取り決め・・・・・・・・・・・・・・・・・・・６８
７．２．１．１．３  アセット・マニフェスト・ファイル・・・・・・・・・・・６９
７．２．１．２  アルバムディレクトリ・・・・・・・・・・・・・・・・・・・６９
７．２．１．２．１  アルバム・マニフェスト・ファイル・・・・・・・・・・・６９
７．２．１．２．２  共有アセットディレクトリ・・・・・・・・・・・・・・・７０
付録Ｆ―ＰＡＳＳディスク上に共存できるオプションの媒体交換フォーマット（参考情報）・・・・・・・・・・・・・・・・・・・・・・・・・・・・・・・・・・・７０
Ｔａｂｌｅリスト
Ｔａｂｌｅ１：ＭＰＶに必須でないＰＡＳＳＩＤＸ．ＰＶＭファイルの必須非ＰＡＳＳ要素・・・・・・・・・・・・・・・・・・・・・・・・・・・・・・・・・・・２５
Ｔａｂｌｅ２：ＰＡＳＳＩＤＸ．ＰＶＭファイルの制限非ＰＡＳＳ要素・・・・・２５
Ｔａｂｌｅ３：ＰＡＳＳインデックス・マニフェスト・ファイルに適用可能なＰＡＳＳメタデータ・・・・・・・・・・・・・・・・・・・・・・・・・・・・・・・・２６
Ｔａｂｌｅ４：ＭＰＶに必須でないプレイリスト・マニフェスト・ファイルの必須非ＰＡＳＳ要素・・・・・・・・・・・・・・・・・・・・・・・・・・・・・・・・２７
Ｔａｂｌｅ５：プレイリスト・マニフェスト・ファイルで許可されないＭＰＶ要素
・・・・・・・・・・・・・・・・・・・・・・・・・・・・・・・・・・・・・２７
Ｔａｂｌｅ６：プレイリスト・マニフェスト・ファイルに適用可能なＰＡＳＳメタデータ（アルバム）・・・・・・・・・・・・・・・・・・・・・・・・・・・・・・２８
Ｔａｂｌｅ７：アセット・リスト・マニフェスト・ファイルの一般オプションの非ＰＡＳＳメタデータ要素・・・・・・・・・・・・・・・・・・・・・・・・・・・・３１
Ｔａｂｌｅ８：静止画像に特有のアセット・リスト・マニフェスト・ファイルのオプションの非ＰＡＳＳメタデータ要素・・・・・・・・・・・・・・・・・・・・・・３２
Ｔａｂｌｅ９：Ｐａｓｓアセット・マニフェスト・ファイルに適用可能なＰＡＳＳメタデータ・・・・・・・・・・・・・・・・・・・・・・・・・・・・・・・・・・３４
例示的ＰＡＳＳレガシーシステムとＲＤＳの記述・・・・・・・・・・・・・・・６２
Ｆｉｇｕｒｅのリスト
Ｆｉｇｕｒｅ１：表示ディレクトリの例示的構造・・・・・・・・・・・・・・・３６
Ｆｉｇｕｒｅ２：推奨ディレクトリ構造・・・・・・・・・・・・・・・・・・・４２
【表１】
2008530629.tif 000003
１．概略
１．１ＰＡＳＳシステム概略
ＰＡＳＳピックアップには以下のような主要な統一特徴がある（図１）。
１)家庭用電化製品（ＣＥ）での再生が容易
既存のＤＶＤプレーヤ及びＰＡＳＳサポートＤＶＤプレーヤによりストレスなく写真スライドショーを簡単に再生できる。
２）テレビにて簡単にプリントを注文できる
スライド番号をテレビでチェックして、それを注文書に書き写せる。
注文書とＰＡＳＳ  Ｄｉｇｉ―Ａｌｂｕｍ（デジアルバム）を持っていけば、お店で簡単にプリント注文が出来る。
３）任意のプリントキオスクにおいて簡単にプリントを注文できる
任意のＰＡＳＳサポートプリントキオスクにおいて、任意のＰＡＳＳ  Ｄｉｇｉ―Ａｌｂｕｍからのプリント注文ができる。
４）写真読み取りが容易である
日付及び任意のキーワードにより、簡単に画像読み取りができる。
５）安全な移行（ｍｉｇｒａｔｉｏｎ）
多数ＰＡＳＳ  Ｄｉｇｉ―Ａｌｂｕｍから一つのＰＡＳＳ  Ｄｉｇｉ―Ａｌｂｕｍへの整理統合を、写真履歴の移行とともにすることができる。
６)共有が容易
統一ＰＡＳＳ  Ｄｉｇｉ―Ａｌｂｕｍから簡単に画像共有ができる。
【表２】
2008530629.tif 000004
１．１．１システム概略
ＰＡＳＳシステムは以下の主要なシステム及びコンポーネントから成っている。
１）  オリジネイティング・システム
オリジネイティング・システムは主に以下の機能を持つ。
非ＰＡＳＳ媒体と作成されたＰＡＳＳ  ｄｉｇｉ―Ａｌｂｕｍから入力すべくＡＳＳＥＴフォーマットをチェックする。
作成されたＰＡＳＳ  ｄｉｇｉ―ＡｌｂｕｍからＰＡＳＳ  ＭＡＮＩＦＥＳＴファイルの読み取り及び解釈を行う。
ＳＤＫオーサリングのためのプロフィール情報である、ＰＡＳＳ＿ＳＤＦ．ｘｍｌを作成する。
ＰＡＳＳ  ＭＡＮＩＦＥＳＴファイル及びＰＡＳＳディレクトリ構造を作成すること。
ｃ）オリジナル静止画像からの削減画像である加速ファイルを作成する。
既存のＤＶＤプレーヤ上で用いられるオプションとしてビデオセグメントを作成する。
ＰＡＳＳディスクに書き込む。
オリジネイティング・システムはＳＤＫオーサリングを含むとする。
２）  ＳＤＫオーサリング
オリジネイティング・システムにおけるＳＤＫオーサリングは主に以下の機能を持つ。
ａ）オリジネイティングコンポーネントが作成するＰＡＳＳ＿ＳＤＦ．ｘｍｌによりＰＡＳＳ  ＭＡＮＩＦＥＳＴファイルを作成する。
ｂ）ＰＡＳＳ＿ＳＤＦ．ｘｍｌによりディレクトリ構造を作成する。
３）  レシービング・システム
レシービング・システムは主に以下の機能を持つ。
ａ）ＡＳＳＥＴフォーマットをチェックする。
ＰＡＳＳ  ＭＡＮＩＦＥＳＴファイルを読み取り及び解釈する。
レシービング・システムは再生コンポーネントあるいはプリント・コンポーネントを含むとする。
４）  再生コンポーネント
レシービング・システムの再生コンポーネントは主に以下の機能を持つ。
ＰＡＳＳ  ＭＡＮＩＦＥＳＴによりＡＳＳＥＴを表示する。
多数ＰＡＳＳ  ＰＬＡＹＬＩＳＴ  ＭＡＮＩＦＥＳＴからアルバムを選択する。
オプションの機能として日付及びキーワードにより読み取られたＡＳＳＥＴを表示する。５）  プリント・コンポーネント
レシービングコンポーネントのプリント・コンポーネントは主に以下の機能を持つ。
ａ）プリントのためにＡＳＳＥＴを選択する。
ｂ）選択されたＡＳＳＥＴをプリントする。
ｃ）オプションとしてプリント注文データを作成して任意のメモリカードへ出力する。
ｄ）オプションの機能としてプリント注文データを作成してオンラインで送信する。
６）  コンテンツ格納
ＰＡＳＳ  Ｄｉｇｉ―Ａｌｂｕｍの作成時にＡＳＳＥＴファイルを格納するよう提供される。
【表３】
2008530629.tif 000005
１．１．２システム例
【表４ａ】
2008530629.tif 000006
【表４ｂ】
2008530629.tif 000007
【表４ｃ】
2008530629.tif 000008
１．２ディスクの論理的な仕様概略
ディスクの論理的な仕様（ＬＤＳ）はファイル構造をサポートする任意の取り外し可能な媒体であってよい、ＰＡＳＳ  Ｄｉｇｉ―Ａｌｂｕｍに記録される論理データ構造を記述する。ＬＤＳはＤｉｇｉ―Ａｌｂｕｍが用いるフォルダ（コンテナ）を記述する。さらにＤｉｇｉ―Ａｌｂｕｍに記録可能な、及びＰＡＳＳシステムで適切に理解可能なファイルの種類を記述する。このようなファイルは、ユーザにより提供されるときににＰＡＳＳアセットファイルと称される。ＰＡＳＳは、ＯＳＴＡの音楽写真ビデオ仕様（Ｍｕｓｉｃ  Ｐｈｏｔｏ  Ｖｉｄｅｏ  Ｓｐｅｃｉｆｉｃａｔｉｏｎｓ  ｏｆ  ＯＳＴＡ）が定義する特別な記述子ファイル（マニフェスト）を用いる。これらのマニフェスト（Ｍａｎｉｆｅｓｔ）ファイルはＸＭＬでエンコードされている。各アセットファイルに関連付けられた特定のメタデータがマニフェスト内にエンコードされている。
ＬＤＳは具体的に以下を記述する。
１．ＰＡＳＳアセットファイルのフォーマット
２．ＰＡＳＳインデックス・マニフェスト・ファイル及びその関連メタデータ
３．ＰＡＳＳアルバム（ａ．ｋ．ａ．プレイリスト）
４．ＰＡＳＳアセット・リスト・マニフェスト及びその関連メタデータ
２．ライセンス及びロゴ規定
この仕様は、ＰＡＳＳ格納媒体上の論理データを記述する。ロゴのアプリケーション及びその保証基準に関する詳細及び商標及びライセンスの詳細はＰＡＳＳ  Ｌｏｇｏ  ａｎｄ  Ｔｒａｄｅｍａｒｋ  Ｌｉｃｅｎｓｉｎｇ  Ｄｏｃｕｍｅｎｔにその記載がある。
３．用語定義
アルバム
コンシューマー・アセット集合のこと。
アルバムディレクトリ
プレイリスト・マニフェスト（Ｐｌａｙ  Ｌｉｓｔ  Ｍａｎｉｆｅｓｔｓ）として知られている再生用のマニフェストを含むＲｏｏｔの子であるディレクトリのこと。
アルバム・マニフェスト・ファイル
アルバム情報を含むマニフェスト・ファイル
アセット
コンシューマー提供のファイルのこと。写真、ビデオ、音声であってよい。
アセットディレクトリ
アセットロールディレクトリ、ＤＣＦフォルダ、あるいはアセットファイルを含むＲｏｏｔの子であるディレクトリのこと。名前は任意である。
アセットＩＤ
顧客のアセットの識別子である。アセットと関連付けられているメタデータの項目の一つである。典型的にプリント注文に利用される。アセットＩＤは、それを含むアセット・リスト・マニフェスト内の各アセットファイルのｍｐｖ：ｉｄ属性の下位４文字で定義される。アセットリストＩＤと共にアセットＩＤが画像ＩＤを構築するために利用される。
アセットリスト
アセットを識別し、アセット関連の属性及びメタデータを扱うマニフェスト・コンポーネントである。
アセットリストＩＤ（Ａｓｓｅｔｌｉｓｔ  ＩＤ）
アセットリストの識別子であり、典型的にプリント注文の画像を識別する。アセットリストＩＤは、対応するアセット・リスト・マニフェスト（ＡｓｓｅｔＬｉｓｔ  Ｍａｎｉｆｅｓｔ）内の＜ｍｐｖ：ＡｓｓｅｔＬｉｓｔ＞のｍｐｖ：ｉｄ属性の下位３文字で定義される。アセットＩＤと共にアセットリストＩＤが画像ＩＤを構築するために利用される。
アセット・リスト・マニフェスト・ファイル
アセットファイルと関連付けられた位置情報及びメタデータを含む特定のＭＰＶマニフェストである。典型的にアセットロールディレクトリ内に配置される。
アセットロール（ＡＲ）ディレクトリ
コンシューマー提供アセット（デジタル的に取得されても、フィルムからスキャンされてもよい）を含むディレクトリのことである。通常の写真においてはフィルム１巻分の写真に相当する。一度のメモリ取り外し時においてデジタルスチルカメラにより撮像される写真に相当することができる（例えばＤＣＦフォルダ）。
オーサリング
コンシューマー・アセットからＰＡＳＳ  Ｄｉｇｉ―Ａｌｂｕｍを作成する工程のことである。
派生データセット
アルゴリズム的に生成されたデータセット
Ｄｉｇｉ―Ａｌｂｕｍ
この規格で記述されるデータ構造を含む特定の取り外し可能な格納媒体の一般名である。
表示ディレクトリ
画面表示のために調整された写真画像を含むディレクトリのことである。典型的に各アセットロールディレクトリ内に配置される。
表示用画像ファイル
オリジナルから表示用に変換された低解像度の画像ファイルのことである。表示用画像ファイルは表示ディレクトリに配置される。
画像ＩＤ
これは、レシービング・システムで構築される価値のことであり、これによりユーザに画像を選択させる。画像ＩＤは、表示されるアセットを含むアセット・リスト・マニフェストのｍｐｖ：ｉｄの下位３文字を有する接頭辞と、各アセットファイルのｍｐｖ：ｉｄ属性の下位４文字を有する接尾辞を持つ。
インデックス・マニフェスト・ファイル（Ｉｎｄｅｘ  Ｍａｎｉｆｅｓｔ  Ｆｉｌｅ）
ルートディレクトリファイル内の特定のＭＰＶマニフェストであり、Ｄｉｇｉ―Ａｌｂｕｍメタデータ及びＤｉｇｉ―Ａｌｂｕｍ上のほかのマニフェストを識別する。名称は「ＰＡＳＳＩＤＸ．ＰＶＭ」である。
継承メタデータ
これは、典型的にＰＡＳＳＩＤＸ．ＰＶＭファイル内にあるメタデータであり、別のＤｉｇｉ―Ａｌｂｕｍに移行されたＤｉｇｉ―Ａｌｂｕｍに関する特定の属性を識別するメタデータである。
媒体ＩＤ
「ＰＡＳＳインデックス・マニフェスト・ファイルに記述される、ＰＡＳＳ  Ｄｉｇｉ―Ａｌｂｕｍ媒体の識別子」
媒体ラベル（ｍｅｄｉｕｍＬａｂｅｌ）
ＰＡＳＳＩＤＸ．ＰＶＭファイル内に記述されるユーザフレンドリーなボリュームラベルである。
移行
ＰＡＳＳ媒体一式から新たなＰＡＳＳ媒体に継承のためにアセット及びメタデータ情報をコピーすることである。媒体は、ＰＡＳＳ仕様の同じあるいはより新しいバージョンで記載される。
オリジネイティング・システム
オリジネイティング・システムは、ＰＡＳＳディスクを作成するシステムである。典型的に以下の機能を持つ。
ａ）様々な媒体上のユーザのデータを収集して、それらをＰＡＳＳディスクのＰＡＳＳ準拠フォーマットに変換する。
ｂ）ＰＡＳＳディスク上のユーザの画像のためにメタデータ（日付、キーワードなど）を収集あるいは生成する。
ｃ）ＰＡＳＳディスク上にデジタルアルバムを、ＣＥ機器で再生可能なスライドショーとして作成する。
ｄ）多数ＰＡＳＳディスクを新たなものに何世代にも亘り移行する。
ｅ）既存のＤＶＤプレーヤで再生可能なビデオセグメントをオプションとして作成する。
ＰＡＳＳディスク
規格で記載されるデータ構造で記録される物理媒体である。Ｄｉｇｉ―Ａｌｂｕｍである。ＰＡＳＳディスクあるいはＤｉｇｉ―Ａｌｂｕｍはこの規格に準拠するよう保証される。
ＰＡＳＳ媒体
規格で記載されるデータ構造で記録される物理媒体である。Ｄｉｇｉ―Ａｌｂｕｍである。ＰＡＳＳ媒体あるいはＤｉｇｉ―Ａｌｂｕｍはこの規格に準拠するよう保証される。
写真産業
ハロゲン化銀関連の材料及びその加工機器を製造する伝統的な諸写真企業のことである。
再生コンポーネント
再生コンポーネントは、媒体上に提示経験を再生するよう設計されたシステムの要求を提起する。これは、ＤＶＤプレーヤあるいはＰＣ上のソフトウェアＤＶＤプレーヤなどが含まれよう。再生コンポーネントの役目としては以下が含まれる。
・デジアルバム（ＤｉｇｉＡｌｂｕｍ）の提示層の読み取り・再生
・媒体ＩＤの表示
・アセット・メタデ―タの表示
・アセットＩＤの表示
・多数プレイリストの再生
・アセット提示コマンド処理（例えば、回転）
・プリント用のアセット選択
プレイリスト・マニフェスト・ファイル
特定のコンシューマー・アセットの集合体を記述する、アルバムディレクトリに配置される特定のＭＰＶマニフェストのこと。
プレイリスト
再生経験を記述するプレイリスト・マニフェストのコンポーネント。
レシービング・システム
レシービング・システムは、デジアルバムの読み取りが必要なシステムのことである。それらは、例えば、キオスク、ＰＣ、ＤＶＤプレーヤなどの多様な形式を取ることができる。レシービング・システムの主な役目は、ＰＡＳＳバージョンＩＤを読み出して、媒体が書かれている様を判断し、媒体に格納されているアセット及び提示データへのアクセスを可能とすることである。この情報はその後再生コンポーネント、プリント・コンポーネント、あるいはコンテンツ格納インターフェースを持つシステムにより利用される。レシービング・システムは以下の機能の役割を持つ。
・媒体上のアセットファイルの読み取り
・固有媒体ＩＤの読み取り
・ＰＡＳＳ仕様バージョンＩＤの読み取り
・アセット・メタデ―タの読み取り
・アセットのアセットＩＤの読み取り
・オプションとして前のＰＡＳＳバージョンの読み取り
ルートディレクトリ
ボリュームのトップディレクトリである。
共有アセット
音楽及びフレームテンプレート画像ファイルなどのアセットファイルのことであり、アルバム間で共有を意図される。共有アセットは典型的に、特定のデジアルバム上で共通ディレクトリに存在する。
共有アセットディレクトリ
ＰＡＳＳ共有アセットを含むディレクトリである。ルートディレクトリの配下に位置し、「ＳＨＡＲＥＤ」という名称を付けられる。
サムネールファイル
画像アセットに基づく派生ファイルであり、典型的に表示時に低い解像度及び小さなサイズを持つ。
４．参考文献
[DC]
"Dublin Core Metadata Initiative", a Simple Content Description Model for Electronic Resources.
Available at http://purl.org/DC/
[DC―NMF]
"Dublin Core Normalized Metadata Format Profile Specification 1.0"; OSTA, 2002.
Available at http://www.osta.org/mpv/
[DCF―1999]
"Design rule for Camera File system, Version 1.0", JEIDA standard, English Version 1999.1.7, Japanese
Electronic Industry Development Association (JEIDA).
[DIG35―2001]
"DIG35 Specification - Metadata for Digital Images, Version 1.1", June 18, 2001, International Imaging
Industry Association (I3A) [recently formed by combining the Digital Imaging Group and PIMA].
http://www.i3a.org
[DPOF]
"DPOF (Digital Print Order Format) Specification Version 1.1", July 17, 2000, Canon Inc, Eastman Kodak
Company, Fuji Photo Film Co., Ltd., Matsushita Electric Industrial Co., Ltd.
[Exif2002]
"Exchangeable image file format for digital still cameras: Exif Version 2.2", JEITA CP―3451, Japan
Electronics and Information Technology Industries Association (JEITA), February 19, 2002.
[ISO 9660]
ISO/IEC DIS 9660:1999(E) Information processing ― Volume and file structure of CD―ROM for Information Interchange
[J2K―Part1]
"JPEG 2000 Part 1 FDIS (includes COR 1, COR 2, and DCOR3)", ISO/IEC JTC1/SC29 WG1, JPEG 2000
Editor Martin Boliek, Co―editors Charilaos Christopoulos and Eric Majani, December 4, 2001.
[J2K―Part2]
"JPEG 2000 Part 2 FDIS (includes DCOR 1)", ISO/IEC JTC1/SC29 WG1, JPEG 2000 Editor Martin Boliek, Co―editors Eric Majani, J. Scott Houchin, James Kasner, and Mathias Larsson Carlander, December 4, 2001.
[JFIF]
"JPEG File Interchange Format, Version 1.02"; Eric Hamilton, September 1992.
Available at http://www.w3.org/Graphics/JPEG/jfif.txt
[MANIFEST]
"XML Manifest Specification 1.0"; OSTA, 2002.
Available at http://www.osta.org/mpv/
[MPEG―1]
ISO/IEC 11173 Information technology―Generic coding of moving pictures and associate audio information
[MPEG―2]
ISO/IEC 13818 Information technology―Generic coding of moving pictures and associate audio information
[MPEG―4]
ISO/IEC 14496―2 Information technology―Generic coding of moving pictures and associate audio information
[MPV―Basic]
"MPV Basic Profile Specification 1.0"; OSTA, 2002.
Available at http://www.osta.org/mpv/
[MPV―Core]
"MPV Core Specification 1.0"; OSTA, 2002.
Available at http://www.osta.org/mpv/
[MPV―Pres]
"MPV Presentation Profile Specification 1.0"; OSTA, 2002.
Available at http://www.osta.org/mpv/
MPV Core Specification
Ver. 1.01, 11 March 2003 (c) 2001―2003 OSTA 132 of 133
[NMF]
"Normalized Metadata Format Specification 1.0"; OSTA, 2002.
Available at http://www.osta.org/mpv/
[NTSC video]
SMPTE 170M―1994 Television―Composite Analog Video Signal― NTSC for Studio Applications
ITU―R BT.470―4 Television Systems
OSTA―Web is not a spec.  We need to reference all the MPV specs
Optical Storage Technology Association website.
Available at http://www.osta.org/
[PAL video]
ITU―R BT.470―4 Television Systems
[UDF]
"Universal Disk Format Specification 2.50"; OSTA, 2003. 
Available at http://www.osta.org/mpv/
[XML10]
"Extensible Markup Language (XML) 1.0" T. Bray, J. Paoli and C.M. Sperberg―McQueen. W3C
Recommendation 10 February 1998 ,
Available at http://www.w3.org/TR/REC―xml
[XMLBase]
"XML Base", Tim Bray, Dave Hollander, Andrew Layman. W3C Recommendation 27 June 2001,
Available at http://www.w3.org/TR/xmlbase/
[XML―NS]
"Namespaces in XML", Tim Bray, Dave Hollander, Andrew Layman. W3C Recommendation 14 January 1999,
Available at http://www.w3.org/TR/REC―xml―names
[XMP―FW]
"XMP - Extensible Metadata Platform 14 Sept 01" , Copyright 2001 Adobe Inc,
Available at http://partners.adobe.com/asn/developer/xmp/download/docs/MetadataFramework.pdf
[XSCHEMA]
"XML Schema, XML Schema Part 1: Structures". W3C Recommendation 2 May, 2001.
Available at http://www.w3.org/TR/xmlschema―1/
[XSCHEMA2]
"XML Schema, XML Schema Part 2: Datatypes". W3C Recommendation, 2 May, 2001.
Available at http://www.w3.org/TR/xmlschema―2/
[XSL]
"XSL Transformations (XSLT) Version 1.0", W3C Recommendation, 16 November, 1999.
Available at http://www.w3.org/TR/xsl/
<List only normative references, informative references will be listed in an appendix.  I an not sure all these are normative.  What is needed to support certification?>
(TBD) ＰＡＳＳ Logo and Trademark Licensing Document [inform SC about this reference]
５．  論理ディスクコンポーネント
このセクションはＰＡＳＳディスクを構成する論理コンポーネントを説明する。
５．１ファイル
５．１．１ＰＡＳＳアセットファイルフォーマット
このセクションでは、ＰＡＳＳディスクの論理的な仕様に互換性のあるＰＡＳＳアセットファイルフォーマットの種類を定義する。
アセットファイルフォーマット仕様の最新バージョンがＰＡＳＳ仕様にて参照される。
ＰＡＳＳアセットの例としては、
・静止画像ファイル、動画画像ファイル、及びＤＳＣ、ＤＶＣＡＭコーダ及びボイスレコーダでキャプチャされた音声ファイル
・フィルム及びプリントからスキャン及びデジタル化された静止画像ファイル
５．１．１．１静止画像データのファイルフォーマット
５．１．１．１．１静止画像データの必須ファイルフォーマット
・Ｅｘｉｆ―ＪＰＥＧ
さらなる詳細がここで必要となる。ＰＡＳＳはｓＲＧＢサポートだけが許されるＥＸＩＦ２．ｘをサポートすべきである。
５．１．１．２動画像データのファイルフォーマット
５．１．１．２．１動画像データの必須ファイルフォーマット
・動画ＪＰＥＧ（ＡＶＩ，ＭＯＶ）
・ＭＰＥＧ１
・ＭＰＥＧ２
・ＭＰＥＧ４
さらなる詳細がここでは必要となる。
５．１．１．３音声データのファイルフォーマット
５．１．１．３．１音声データの必須ファイルフォーマット
・ＭＰ３
・ＷＡＶ
さらなる詳細がここでは必要となる。サンプリングレートとは何ぞや？
５．１．２システム生成ファイル
ＰＡＳＳ  Ｄｉｇｉ―Ａｌｂｕｍは幾らかのＭＰＶマニフェストを持つ。これらのマニフェストは、それらが記述するディレクトリ（コンテナ）に応じて様々な機能を持つ。
５．１．２．１ＰＡＳＳ特有ＸＭＬ要素
ＰＡＳＳは、ＰＡＳＳシステムに固有な、幾らかの特有のＸＭＬ要素を定義する。これらＸＭＬ要素はＰＡＳＳ  Ｄｉｇｉ―Ａｌｂｕｍ（媒体）全体に適用されるメタデータ、ＰＡＳＳ媒体内の静止画像及びその他のＰＡＳＳアセット、及びそのＤｉｇｉ―Ａｌｂｕｍ上に記述されているアルバムを記述する。ＰＡＳＳ仕様は、一般メタデータ用にＤｕｂｌｉｎ  Ｃｏｒｅ  Ｅｌｅｍｅｎｔ  Ｍｅｔａｄａｔａ  Ｓｅｔ（ＤＣＥＳ）、及び静止画像メタデータ用にＤＩＧ３５（あるいはＪＰＥＧ２０００  Ｐａｒｔ２）を採用している。ＤＣＥＳあるいはＤＩＧ３５で定義されないメタデータはどれでも、このＰＡＳＳ仕様に定義される。ＰＡＳＳ特有ＸＭＬ要素は、"http://ns.pass.org/PASS/1.0/" (TBD)（未定）として指定される自身のＸＭＬネームスペースを持つ。ＰＡＳＳ特有ＸＭＬ要素に関連付けられたＸＭＬスキーマがある。スキーマは（ＴＢＤ）（未定）に配置される。
ＰＡＳＳ仕様内で記述されるメタデータの種類は幾らかある。詳しくは、
・ＰＡＳＳ媒体全体用のメタデータ
・ＰＡＳＳアセットがコンシューマーが提供したファイルであるＰＡＳＳアセットそれぞれ用のメタデータ
・アルバム用メタデータ
・ＰＡＳＳアセットリスト用メタデータ
・移行を含むファイル履歴用のメタデータ
メタデータは以下の場合に作成される。
・新たなＰＡＳＳ媒体を作成する際
・ＰＡＳＳ媒体を編集する際
・ＰＡＳＳ媒体を移行する際
５．１．２．１．１ＰＡＳＳ媒体用一般メタデータ
媒体全体に関するメタデータは、ＰＡＳＳ仕様内でＤｉｇｉ―Ａｌｂｕｍとして知られており、ダブリンコア仕様（Ｄｕｂｌｉｎ  Ｃｏｒｅ  Ｓｐｅｃｉｆｉｃａｔｉｏｎｓ）からの＜ｄｃ：ｄａｔｅ＞，＜ｄｃ：ｔｉｔｌｅ＞，＜ｄｃ：ｄｅｓｃｒｉｐｔｉｏｎ＞を含むとする。
あるＸＭＬ要素の定義、つまり＜ｐａｓｓ：Ｍｅｄｉｕｍ  ＩＤ＞，＜ｐａｓｓ：ｍｅｄｉｕｍＬａｂｅｌ＞，＜ｐａｓｓ：ｏｒｉｇｉｎａｔｏｒ＞，＜ｐａｓｓ：ｉｎｈｅｒｉｔｅｄＤａｔｅ＞，＜ｐａｓｓ：ｓｐｅｃｉｆｉｃａｔｉｏｎ  Ｖｅｒｓｉｏｎ＞はＰＡＳＳ特有スキーマ及びネームスペースにある。これらメタデータ要素はＰＡＳＩＤＸ．ＰＶＭマニフェストに見つかる。これら要素はまた、移行されたコンテンツを記述するマニフェスト内にも見つかる。
５．１．２．１．２移行及び関連メタデータ
このセクションでは、ＰＡＳＳ準拠システムの移行特徴を説明する。ＰＡＳＳシステムは一以上のデジアルバム全体の新たなデジアルバムへの移行を許可する。これはお互い別個なデジアルバムの一つのデジアルバムへの効果的な融合である。ＰＡＳＳバージョン１．０システムにおいては、新たなデジアルバムは各移行に記録される。ＰＡＳＳバージョン１．０システムは既存のデジアルバムへの情報の付加を許さない。
ＰＡＳＳデジアルバム上では異なるディレクトリ構造を持たせることができる。Ｋｏｄａｋ  Ｐｉｃｔｕｒｅ  ＣＤ、Ｆｕｊｉ  Ｃｏｌｏｒ  ＣＤ、Ｋｏｎｉｃａ  Ｍｉｎｏｌｔａ  Ｈｏｔ  Ａｌｂｕｍがこのようなデジアルバムの例である。取り外し可能な格納媒体が、もしもこの仕様が記述する適切に構築されたマニフェストを持てば準拠デジアルバムとして利用できる。ＰＡＳＳ準拠システムが移行を実行するときには、システムは、この仕様で記述する推奨ディレクトリ及びファイル構造を持つデジアルバムを作成可能でなければならない。この仕様は送信先媒体が推奨ディレクトリ及びファイル構造に従っていない場合のコンテンツ移行法については説明していない。
この仕様で記述されるフォーマットを持つアセットファイルだけが移行される。あるデジアルバムがこの仕様で記述しているもの以外のフォーマットのアセットファイルを持つ場合、そのようなアセットファイルは移行を保証されない。
５．１．２．１．２．１ＰＡＳＳ一般情報メタデータ
ＰＡＳＳデジアルバムはＰＡＳＳインデックス・マニフェスト・ファイル（ＰＡＳＳＩＤＸ．ＰＶＭ）のメタデータが識別する。このメタデータはＰＡＳＳ一般情報メタデータと称される。
【表５】
2008530629.tif 000009
５．１．２．１．２．２ＰＡＳＳ継承（移行）メタデータ
ＰＡＳＳアセットファイル、プレイリスト、あるいはデジアルバム全体をＰＡＳＳデジアルバム間でコピーする際、ＰＡＳＳ準拠システムは、移行（コピー）が起こった日付及びＰＡＳＳ一般情報メタデータを、移行オブジェクトを記述する適切なＰＡＳＳマニフェストに挿入する。
【表６】
2008530629.tif 000010
５．１．２．１．２．３メタデータ挿入規則
いずれの場合にも、継承メタデータがＰＡＳＳインデックス・マニフェスト・ファイル（ＰＡＳＳＩＤＸ．ＰＶＭ）に挿入されるとする。デジアルバム全体が移行されると、全てのプレイリスト・マニフェスト・ファイル（ＡＬＬ  Ｐｌａｙｌｉｓｔ  Ｍａｎｉｆｅｓｔ  Ｆｉｌｅｓ）が新たなデジアルバムに移行されるとする。
５．１．２．１．２．４複数世代移行の移行戦略
新たなデジアルバムに情報を移行するときに、それに対応するアセットファイルとプレイリスト・マニフェスト・ファイルを持つアセットロールディレクトリが前に移行されていることがある。この場合、ＰＡＳＳインデックス・マニフェスト・ファイルに挿入されたいずれの継承メタデータも、またいずれのプレイリスト・マニフェスト・ファイル、及びいずれのアセット・マニフェスト・ファイルも保持され、目下の移行に関する新たな継承メタデータは対応するマニフェスト・ファイルに追加されるとする。
５．１．２．１．２．５  移行ディレクトリ管理
デジアルバムだけが一つの共有ディレクトリ（ＳＨＡＲＥＤ  ｄｉｒｅｃｔｏｒｙ）を持つことが許され、その結果、複数のデジアルバムが移行により融合される場合、全ての共有ディレクトリ（ＳＨＡＲＥＤ  ｄｉｒｅｃｔｏｒｙ）は結合される。
推奨ディレクトリ構造に記述されるようなアセットロールディレクトリはその全体が、新たなデジアルバムにコピーされ、継承メタデータがアセット・リスト・マニフェスト・ファイルに挿入される。
レガシー媒体から推奨ディレクトリ構造への移行の際、ディレクトリは付録Ａで特定されるような推奨コンテナへマッピングされる。
５．１．２．２インデックス・マニフェスト・ファイル
５．１．２．２．１概略
ＰＡＳＳデジアルバム上のインデックス・マニフェスト・ファイルはＰＡＳＳＩＤＸ．ＰＶＭの固定名を持つとする。このインデックスファイルは、デジアルバム上の全てのほかのＭＰＶマニフェストへの参照リンクを含むとする。ＰＡＳＳ準拠システム内では、ＭＰＶマニフェストリンクＩＤの割り当てに制限がある。オリジネイティング・システムは最小のものから最大のものまで、一から始めてこれら全てのリンクを数えるとする。
ＰＡＳＳデジアルバム上には単一のＰＡＳＳインデックス・マニフェスト・ファイルがなくてはならず、ルートエリアディレクトリに配置されなければならない。名称は「ＰＡＳＳＩＤＸ．ＰＶＭ」とする。インデックス・マニフェスト・ファイルはＯＳＴＡ  ＭＰＶマニフェスト・ファイルでなければならない。そのトップ要素は＜ｆｉｌｅ：Ｍａｎｉｆｅｓｔ＞である。これはＰＡＳＳ媒体ＩＤ及び媒体全体に関するその他全てのメタデータを含む。ＰＡＳＳインデックス・マニフェスト・ファイルはポインタを持ち、媒体内のマニフェスト・ファイル全てに直接アクセスすることができなくてはならない。
媒体全体のメタデータは＜ｄｃ：ｄａｔｅ＞＜ｄｃ：ｔｉｔｌｅ＞＜ｄｃ：ｄｅｓｃｒｉｐｔｉｏｎ＞＜ｐａｓｓ：Ｍｅｄｉｕｍ  ＩＤ＞＜ｐａｓｓ：ｓｐｅｃｉｆｉｃａｔｏｉｎ  Ｖｅｒｓｉｏｎ＞＜ｐａｓｓ：ｏｒｉｇｉｎａｔｏｒ＞＜ｐａｓｓ：ｍｅｄｉｕｍＬａｂｅｌ＞を含むとする。
（ＴＢＤ）パス・ネームスペースの要素を定義するのにスキーマが必要となる。
ＰＡＳＳインデックス・マニフェスト・ファイルはＰＡＳＳシステムのエントリーポイントである。これは、ＰＡＳＳアセット・マニフェスト・ファイル、ＰＡＳＳアルバム・マニフェスト・ファイルなどのＰＡＳＳ関連ファイルそれぞれへのパス情報を含む。
Ｔａｂｌｅ２に特に制限が記されていない場合、レシービング・システムはマニフェスト・ファイル内の全てのＭＰＶ要素及びこの規格が特定する全てのメタデータ要素を理解することができるとする。Ｔａｂｌｅ３はアセット・メタデ―タに関連する要素の必須表示要件すべてを記述している。
５．１．２．２．２マニフェスト・ファイル命名制限
全てのデジアルバム（ＡＬＬ  Ｄｉｇｉ―Ａｌｂｕｍｓ）内のＰＡＳＳインデックス・マニフェスト・ファイルの名称は「ＰＡＳＳＩＤＸ．ＰＶＭ」として定義される。
５．１．２．２．３必須ＭＰＶプロフィール
１．  ＭＰＶ基礎プロフィール
２．  ＭＰＶ提示プロフィール
５．１．２．２．４必須非ＰＡＳＳ要素
ＰＡＳＳインデックス・マニフェスト・ファイルはＭＰＶ仕様の要件を満たすべきである。これには、一つの例外があり、それは、ＰＡＳＳＩＤＸ．ＰＶＭがＭＰＶコア仕様（ＭＰＶ  Ｃｏｒｅ  Ｓｐｅｃｉｆｉｃａｔｉｏｎ）のインデックス・マニフェストについて定義された名称でない場合である。
以下の非ＰＡＳＳ要素がＰＡＳＳインデックス・マニフェスト・ファイルで必須とされる。
【表７】
2008530629.tif 000011
５．１．２．２．５制限非ＰＡＳＳ要素
以下の非ＰＡＳＳ要素がＰＡＳＳインデックス・マニフェスト・ファイルでは利用を制限されるとする。
【表８】
2008530629.tif 000012
５．１．２．２．６ＰＡＳＳインデックス・マニフェスト・ファイル内のＰＡＳＳ特有要素
以下のＰＡＳＳ特有要素がＰＡＳＳインデックス・マニフェスト・ファイル内で利用される。
【表９】
2008530629.tif 000013
５．１．２．３プレイリスト・マニフェスト・ファイル
５．１．２．３．１概要
一以上のプレイリスト・マニフェスト・ファイルがアルバムディレクトリにあり、アルバム情報を含む。ＰＡＳＳデジアルバムは幾らかのＰＡＳＳアセットを持つ場合がある。一つのアルバムはプレイリスト・マニフェスト・ファイルが記述するアセットの集合体である。一つのプレイリスト・マニフェスト・ファイルはそのアルバムの提示を、ＭＰＶ提示プロフィールのＸＭＬ要素を通じて記述する。
あるデジアルバムは一以上のプレイリスト・マニフェスト・ファイルを持つことがあり、その各々はＰＡＳＳアセットとして扱われるが、ＭＰＶアセットリストのアセットリストとしては現れない。
Ｔａｂｌｅ５に特にその制限が記されていない場合、レシービング・システムはマニフェスト内の全てのＭＰＶ要素及びこの規格が特定する全てのメタデータ要素を理解することができるとする。Ｔａｂｌｅ６はアセット・メタデ―タに関連する要素の必須表示要件すべてを記述している。
５．１．２．３．２プレイリスト・マニフェスト・ファイル命名制限
各アセットロールディレクトリについて生成されるデフォルト・プレイリスト・マニフェスト・ファイル（Ｄｅｆａｕｌｔ  Ｐｌａｙ  Ｌｉｓｔ  Ｍａｎｉｆｅｓｔ  ｆｉｌｅｓ）は、文字列「ＰＬＡＲ」がデフォルト・プレイリスト・マニフェスト・ファイル名に接頭辞として付いているデフォルト・プレイリスト・マニフェストに対応するアセットロールディレクトリの名称に等しいファイル名を持つとされる。この取り決めは全てのデジアルバムにおいて追従される。あるレガシーシステムは、追従しないＣＤを基とするデジアルバムを作成することもある。
５．１．２．３．３必須ＭＰＶプロフィール
１．  ＭＰＶ基礎プロフィール
２．  ＭＰＶ提示プロフィール
５．１．２．３．４必須非ＰＡＳＳ要素
プレイリスト・マニフェスト・ファイルは準拠ＭＰＶマニフェスト・ファイルであるとする。
【表１０】
2008530629.tif 000014
５．１．２．３．５プレイリスト・マニフェスト・ファイルの制限非ＰＡＳＳ要素
以下の非ＰＡＳＳ要素はプレイリスト・マニフェスト・ファイルのアルバムいずれにも許可されないとする。
【表１１】
2008530629.tif 000015
５．１．２．３．６ＰＡＳＳプレイリスト・マニフェスト・ファイルのＰＡＳＳ特有要素
コンシューマーはＰＡＳＳアルバムを（デフォルト・プレイリスト以外に）作成するので、ＰＡＳＳはアルバムを、専用プレイリスト・マニフェストが記述するアセットとして考える。プレイリスト・マニフェスト・ファイルは最小限、＜ｄｃ：ｔｉｔｌｅ＞＜ｄｃ：ｄａｔｅ＞要素を含むとする。
ＰＡＳＳデジアルバムのスライドショーの遷移は、ＭＰＶ提示プロフィールで定義されるもの及びプレイリスト・マニフェスト・ファイルを記述するセクションの仕様が定義するＰＡＳＳ特有拡張である。（ＴＢＤ）
・最小限の遷移が推奨される。
・ＳＭＰＴＥ遷移を参照してもよい。
・ＣＥ機器への実装は難しい？
・（ＴＢＤ）ＰＡＳＳは代替遷移を記載する能力を定義する。
【表１２】
2008530629.tif 000016
５．１．２．３．７デフォルト・プレイリスト・マニフェスト・ファイル
各ＰＡＳＳアセットロールディレクトリは、一般的な意味ではＰＡＳＳアセットファイルを含む任意のディレクトリのことであり、対応するデフォルト・プレイリスト・マニフェストをＡＬＢＵＭ  ｄｉｒｅｃｔｏｒｙ（アルバムディレクトリ）内に持つ。デフォルト・プレイリスト・マニフェスト・ファイルは、対応するアセットロールディレクトリと同じファイル名（固定文字列「ＰＬＡＲ」がアセットロールディレクトリ名に接頭辞として付いている）を持つ。
デフォルト・プレイリスト・マニフェスト・ファイルでは、＜ｄｃ：ｔｉｔｌｅ＞が、タイトルが「ＹＹＹＹ．ＭＭ．ＤＤ―ＹＹＹＹ．ＭＭ．ＤＤ」とフォーマットされるように生成され、ここで、最初のものがアセットロールディレクトリに含まれるアセットが最初にキャプチャされた日付で二番目のものが最後にキャプチャされた日付である。
さらに、フィルムスキャン画像など日付情報がない場合、オリジネイティング・システムは「アルバム」と、媒体内のアルバムの順番番号（「００１」「００２」）とを組み合わせたタイトルを作成することもできる（例えば、「アルバム００１」「アルバム００２」など）。
５．１．２．４ＰＡＳＳアセット・リスト・マニフェスト・ファイル
５．１．２．４．１概略
ＰＡＳＳアセット・リスト・マニフェスト・ファイルはアセットロールディレクトリの配下にあり、ＰＡＳＳデジアルバム上には一以上のアセットロールディレクトリがある。各アセットロールディレクトリは一つ及びアセット・リスト・マニフェスト・ファイルを一つだけ持つ。
アセットリストはＰＡＳＳ媒体のアセットへのポインタの集合体であり、その内容と位置を示すメタデータ情報を含む。つまり、アセットリストはデータベースのアセット表として機能している。全てのＰＡＳＳアセット・リスト・マニフェスト・ファイルはＰＡＳＳインデックスファイルからトレースされねばならない。
ＰＡＳＳアセットリストの表記はＭＰＶ仕様に従う。ＭＰＶ仕様は一つだけアセットリストがマニフェスト・ファイルに存在することを許す。
ＰＡＳＳアセット・リスト・マニフェスト・ファイルはコンシューマーが作成しない生成ファイルであり、ＰＡＳＳオーサリングコンポーネントであり、アセットそのものとみなされない。したがって、ＰＡＳＳアセット・リスト・マニフェスト・ファイルは＜ｄｃ：ｔｉｔｌｅ＞＜ｄｃ：ｄａｔｅ＞要素を含まない。
ＰＡＳＳアセット・リスト・マニフェスト・ファイルはアセットロールディレクトリの配下の各アセットファイルのアセットリストに対してメタデータを含む（例えばＥＸＩＦタグからの既存のメタデータ、移行関連のメタデータなど）。
あるＰＡＳＳアセット・リスト・マニフェスト・ファイル内では、＜ｍｐｖ：ｉｄ＞要素が利用される場合、オリジネイティング・システムは最小値から最大値まで、一から始めて、ＩＤ値を生成するとする。
５．１．２．４．２ＰＡＳＳアセット種類、単純及び複合（Ｃｏｍｐｏｕｎｄ）
コンシューマー・アセットがキャプチャされる当初、キャプチャ機器は一つのキャプチャ・イベントに関連する二つのお互い別個のファイルを作成することがある。この例としては、ＥＸＩＦ及びＭＰ３ファイルの同時作成がある。これらファイルは、関連ファイル名を持つ共通ディレクトリに配置される。ＰＡＳＳシステムは、メタデータで記述される音声を持つ静止アセット（Ｓｔｉｌｌ  ｗｉｔｈ  Ａｕｄｉｏ  Ａｓｓｅｔ）を作成することで、これらファイルの関連性を保持する。このような関連付けは、複合アセットとしてＰＡＳＳ環境では知られている。
５．１．２．４．２．１単純アセット
単純アセットとは、ＰＡＳＳアセット・マニフェスト・ファイルが識別するアセットが一つの特定ファイルを参照する際を言う。
例）
<mpv:Still mpv:id="ID000101">
<mpv:InstanceID>AC937BCFA3B340da971BAF09B17DBC324</mpv:InstanceID>
<mpv:LastURL>DSC01934.JPG</mpv:LastURL>
</mpv:Still>
５．１．２．４．２．２複合アセット
複合アセットとは、ＰＡＳＳアセット・マニフェスト・ファイルが識別するアセットが二以上のファイルを参照する際を言う。
例）
<mpv:StillWithAudio mpv:id="ID000100">
<mpv:StillRef mpv:idRef="ID000101"/>
<mpv:AudioRef mpv:idRef="ID000102"/>
</mpv:StillWithAudio>
５．１．２．４．２．３複合アセット関連のメタデータ
複合アセットが存在する場合、複合アセット全体に関連するメタデータは、複合アセットを識別するＭＰＶ要素にすぐ続くよう現れるとする。
レシービング・システムはマニフェスト内の全てのＭＰＶ要素及びこの規格が特定する全てのメタデータ要素を理解することができるとする。Ｔａｂｌｅｓ７、８、９はアセット・メタデ―タに関連する要素の必須表示要件すべてを記述している。
５．１．２．４．３マニフェスト・ファイル命名制限
ＰＡＳＳアセット・リスト・マニフェスト・ファイルはアセットロールディレクトリの名称と等しいファイル名を持つことが必須とされている。この制限はレガシー実装にも適用される。
５．１．２．４．４必須ＭＰＶプロフィール
ＭＰＶ基礎プロフィール
ＭＰＶ提示プロフィール
５．１．２．４．５必須非ＰＡＳＳ要素
アセット・リスト・マニフェスト・ファイルは準拠ＭＰＶマニフェスト・ファイルでなければならない。
５．１．２．４．６オプションの非ＰＡＳＳ要素
以下の非ＰＡＳＳ要素がＰＡＳＳアセット・リスト・マニフェスト・ファイルの各ＰＡＳＳアセットにつき存在することもできる。
全てのＰＡＳＳアセットは以下の非パスメタデータ要素を持たねばならない。
【表１３】
2008530629.tif 000017
５．１．２．４．７画像アセットに特有の非ＰＡＳＳメタデータ要素
５．１．２．４．７．１静止画像ファイル用メタデータ
ＰＡＳＳ仕様で静止画像に関連するメタデータは、Ｄｕｂｌｉｎ  Ｃｏｒｅ  Ｅｌｅｍｅｎｔ  Ｍｅｔａｄａｔａ  Ｓｅｔ（ＤＣＥＳ）及びＤＩＧ３５（あるいはＪｐｅｇ２０００Ｐａｒｔ２）に基づく。ＤＣＥＳは一般情報に利用され、ＤＩＧ３５（Ｊｐｅｇ２０００ｐ２）は特に静止画像に関する。
・静止画像メタデータのカテゴリは以下の通りである。
・一般メタデータ（ＤＣＥＳ）
・基礎画像パラメタメタデータ（ＤＩＧ３５）
・画像作成メタデータ（ＤＩＧ３５）
・コンテンツ記述メタデータ（ＤＩＧ３５）
・履歴メタデータ（ＤＩＧ３５）
・知的財産権メタデータ（ＤＩＧ３５）
ＥＸＩＦタグに含まれるメタデータはＸＭＬ（ＰＡＳＳマニフェスト・ファイル）にＤＩＧ３５マッピング定義（ＤＩＧ３５仕様、付録ＶＩ）によりマッピングされねばならない。
５．１．２．４．７．２  以下の非ＰＡＳＳ要素も静止画像ファイルに含まれねばならない
【表１４ａ】
2008530629.tif 000018
【表１４ｂ】
2008530629.tif 000019
５．１．２．４．８アセット・リスト・マニフェスト・ファイル内のＰＡＳＳ特有要素
通例、特定のアセットロールディレクトリは別個に移行できる。その結果、特定のＰＡＳＳアセット・リスト・マニフェスト・ファイルは継承メタデータを持つこともある。
【表１５】
2008530629.tif 000020
５．２  プレイリスト選択及び制御情報
このセクションでは、再生機器でアルバム／アセット選択機能をサポートするのに必要なオンディスクデータセット及びマニフェストについて説明する。これにより、ＰＡＳＳは、ＤＶＤ―Ｖｉｄｅｏ仕様に類似した再生機器制御モデルを定義することが許される。
（ＴＢＤ）このセクションにはＣＥ製造者からのインプットが必要である。
５．３  コンテナ種類
通例、コンテナはファイルの集合体を保持する。通例、これはファイルシステムのディレクトリに相当する。ＰＡＳＳディスクの論理的な仕様に準拠するディスクにおいては、コンテナは以下に記載するように類似の種類のファイルを保持する。コンテナのなかには、さらに、他の類似したタイプのコンテナを含むものもある。
５．３．１アセットディレクトリ
アセットディレクトリはルートディレクトリの子である。これは、他のコンテナだけを含む、あるいはＰＡＳＳアセットファイル及び対応するＰＡＳＳアセット・リスト・マニフェスト・ファイルを含む。このディレクトリが持つことのできる名称例としては、ＡＳＳＥＴ，ＤＣＩＭ，ＰＩＣＴＵＲＥＳが挙げられる。
５．３．１．１制限
このディレクトリはＰＡＳＳアセットファイル及びＰＡＳＳアセット・リスト・マニフェスト・ファイルあるいはアセットロールディレクトリだけを含むことが許されており、両方含むことは許されない。
５．３．２アセットロールディレクトリ
アセットロールディレクトリはアセットディレクトリの子であり、通例、単一巻の写真フィルムをスキャンすることで主にオリジネイトされるアセットを含む。代替として、このディレクトリは主にデジタルキャプチャ機器から（例えばデジタルスチルカメラ（ＤＣＳ））オリジネイトされたアセットを含むこともある。この場合、各アセットロールディレクトリは特定のキャプチャセッション、キャプチャ機器の電源投入列、あるいはキャプチャ機器メモリカード取り外し・挿入列に対応している。
このディレクトリは、アプリケーションのプロフィールに応じて異なる名称を持つことができる。名称例としては、００１ＡＢＣＤＥ、ＡＲ２００４０９２５＿ａｂｃｄｅｆｇｈなどがある。
５．３．２．１制限
アセットロールディレクトリは、内部に、その特定のアセットロールディレクトリのアセットを記述する、たった一つだけアセット・リスト・マニフェスト・ファイルを持つ。アセット・リスト・マニフェスト・ファイルは、アセット各々に対して、ＤＩＳＰＬＡＹディレクトリ内に含まれうるそのアセットの派生ファイルを配置する一以上の要素を持つとする。
ＰＡＳＳは推奨ディレクトリ構造で大文字に利用を制限する。
５．３．３アルバムディレクトリ
アルバムディレクトリはチャイルドルートであり、本質的にアルバムを記述するプレイリストであるマニフェストを含む。
５．３．３．１制限
アルバムディレクトリは、一以上のピクチャ集合体あるいはデジタルアルバムを記述する一以上のプレイリスト・マニフェスト・ファイルを持つとする。デジタルアルバムは典型的にスライドショーである関連提示を持ってもよい。
アルバムディレクトリ内にはコンシューマー・アセットがないとする。アルバムディレクトリはプレイリスト・マニフェストだけを含むとする。
５．３．４表示ディレクトリ
表示ディレクトリは画面表示用に調整された画像を含むオプションのディレクトリである。コンシューマーの主な画像アセットは異なるフォーマットを持つ場合がある。これらディレクトリは、ソフトコピー表示用にクロッピング及び縮小拡大された、画像アセットの派生物を含む。この趣旨は、再生あるいは表示機器が画像アセットを表示するのに必要となる処理量を最小限にするためである。
派生アセットは種類を共通コンテナにエンコードすることでグループ分けされる。つまり、例えば、ＮＴＳＣ表示のサムネールが一つのコンテナに分類され、別のコンテナはＰＡＬ用に利用される、などである。通例コンテナは出力機器の種類に対応している。
表示ディレクトリはアセットロ―ルディレクトリの配下に位置する。
ＤＩＳＰＬＡＹディレクトリの中の派生ファイルは、レシービング・システムがオリジネイティング・システムにとって未知なためにオプショナルである。しかしながら、任意のＰＡＳＳアプリケーションがあるレシービング・システムを対象とする場合もあり、したがってオリジネイティング・システムは、一以上の特定の表示機器の種類に対してＤＩＳＰＬＡＹディレクトリを作成することもできる。
典型的に派生表示ファイルはオリジナルアセットファイルからの低解像度画像ファイルであり、静止画像である。
５．３．４．１表示ディレクトリの構造
【表１６】
2008530629.tif 000021
５．３．４．１．１命名取り決め
表示ディレクトリは「ＤＩＳＰ」という名称接頭辞を持つとする。特定の表示ディレクトリ内の他の文字は３〜８のＵＴＦ―８文字であるとする。この種の表示ディレクトリはこの仕様が特定する属性により決定される。例としては、ＰＡＬ、ＮＴＳＣなどが挙げられる。
５．３．４．１．２制限
表示ディレクトリは派生ファイルだけを含むとする。アセット・リスト・マニフェスト・ファイルを含むことは許可されない。
５．３．４．１．３定義表示ディレクトリ及びその属性
この仕様バージョンでは、以下の表示ディレクトリを定義する属性を特定する。
５．３．４．１．３．１表示
このディレクトリは、ＰＣ上での表示に最適化された派生ファイルを持つとする。
このディレクトリの派生ファイルのファイル名は最初の二文字を「ＴＴ」に固定されるとする。他のファイル名文字はアセットファイル名に等しい。
５．４．１．３．２ＤＩＳＰＮＴＳ
このディレクトリは、ＮＴＳＣテレビ上の表示に最適化された派生ファイルを含むとする。
このディレクトリの派生ファイルのファイル名は最初の二文字を「ＮＴ」に固定されるとする。他のファイル名文字はアセットファイル名に等しい。
・ＮＴＳＣとは、ＵＳＡ、カナダ、日本、中央アメリカ、カリブ諸島の半分及び南アメリカの半分に対するテレビ規格を提供するＮａｔｉｏｎａｌ  Ｔｅｌｅｖｉｓｉｏｎ  Ｓｙｓｔｅｍｓ  Ｃｏｍｍｉｔｔｅｅ  ｏｆ  ｔｈｅ  Ｅｌｅｃｔｒｏｎｉｃ  Ｉｎｄｕｓｔｒｉｅｓ  Ａｓｓｏｃｉａｔｉｏｎ（ＥＩＡ）を表す。ＮＴＳＣは一秒間に３０フレーム（６０フィールド）を利用しており、ビデオは通例５２５ラインを持ち、６０Ｈｚであり動的表示ライン数が４８０である。
５．３．４．１．３．３ＤＩＳＰＰＡＬ
このディレクトリはＰＡＬテレビ上の表示に最適化された派生ファイルを含むとする。
このディレクトリの派生ファイルのファイル名は最初の二文字を「ＰＡ」に固定されるとする。他のファイル名文字はアセットファイル名に等しい。
ＰＡＬ（Ｐｈａｓｅ  Ａｌｔｅｒｎａｔｉｏｎ  Ｌｉｎｅ）とは、西ヨーロッパの大半、オーストラリアその他の国で利用されているテレビフォーマットである。ＰＡＬビデオというと、ＰＡＬが放送目的にカラー信号がコード化される様だけについてであることから、通例は６２５ラインで５０Ｈｚビデオのことである。動的表示ラインの数は５７６であり、２５フレーム（５０フィールド）を一秒間に利用する。
５．３．４．１．３．４ＤＩＳＰＨＴＶ１０８０Ｉ
このディレクトリはＨＤＴＶ１０８０インターレース上の表示に最適化された派生ファイルを含むとする。
このディレクトリの派生ファイルのファイル名は最初の二文字を「ＨＴ」に固定されるとする。他のファイル名文字はアセットファイル名に等しい
ＨＤＴＶ１０８０―ｉ（Ｈｉｇｈ  Ｄｅｆｉｎｉｔｉｏｎ  Ｔｅｌｅｖｉｓｉｏｎ―ｉｎｔｅｒｌａｃｅｓ）は、通例ＨＤＴＶの解像力に準拠しており、今日のＮＴＳＣ  ＴＶの垂直及び水平ピクチャ解像度の約二倍であり、これは本質的にピクチャを二倍鮮明にする。このインターレース走査フォーマットは１１２５走査ライン、１０８０有効走査、アスペクト比１６：９、及びピクセル数１９２０ｘ１０８０を持つ。
５．３．４．１．３．５ＤＩＳＰＨＴＶ１０８０Ｐ
このディレクトリはＨＤＴＶ１０８０プログレッシブ上の表示に最適化された派生ファイルを含むとする。
このディレクトリの派生ファイルのファイル名は最初の二文字を「ＨＴ」に固定されるとする。他のファイル名文字はアセットファイル名に等しい。
ＨＤＴＶ１０８０―ｐ（Ｈｉｇｈ  Ｄｅｆｉｎｉｔｉｏｎ  Ｔｅｌｅｖｉｓｉｏｎ―ｐｒｏｇｒｅｓｓｉｖｅ）はプログレッシブ走査フォーマットであり１１２５走査ライン、１０８０有効走査、アスペクト比１６：９、及びピクセル数１９２０ｘ１０８０を持つ。
５．３．４．１．３．６ＤＩＳＰＨＴＶ７２０Ｐ
このディレクトリはＨＤＴＶ７２０プログレッシブ上の表示に最適化された派生ファイルを含むとする。
このディレクトリの派生ファイルのファイル名は最初の二文字を「ＨＴ」に固定されるとする。他のファイル名文字はアセットファイル名に等しい。
ＨＤＴＶ７２０―ｐ（Ｈｉｇｈ  Ｄｅｆｉｎｉｔｉｏｎ  Ｔｅｌｅｖｉｓｉｏｎ―ｐｒｏｇｒｅｓｓｉｖｅ）はプログレッシブ走査フォーマットであり７５０走査ライン、７２０有効走査、アスペクト比１６：９、及びピクセル数１２８０ｘ７２０を持つ。
５．３．４．１．３．７ＤＩＳＰＳＴＶ４８０Ｉ
このディレクトリはＳＤＴＶ４８０インターレース上の表示に最適化された派生ファイルを含むとする。
このディレクトリの派生ファイルのファイル名は最初の二文字を「ＳＴ」に固定されるとする。他のファイル名文字はアセットファイル名に等しい。
ＳＤＴＶ４８０（Ｓｔａｎｄａｒｄ  Ｄｅｆｉｎｉｔｉｏｎ  Ｔｅｌｅｖｉｓｉｏｎ）は走査フォーマットであり５２５走査ライン、４８０有効走査、アスペクト比４：３あるいは１６：９、及びピクセル数７２０ｘ４８０を持つ。
５．３．４．１．３．８ＤＩＳＰＳＴＶ４８０Ｐ
このディレクトリはＳＤＴＶ４８０プログレッシブ上の表示に最適化された派生ファイルを含むとする。
このディレクトリの派生ファイルのファイル名は最初の二文字を「ＳＴ」に固定されるとする。他のファイル名文字はアセットファイル名に等しい。
５．３．４．１．４表示ディレクトリ上の回転情報
このアセット・ロール・マニフェスト・ファイルは、各オリジナルセットにつきＯＲＩＥＮＴＡＴＩＯＮメタデータ値に特定される回転情報を含まねばならない。レンディションがある特定のアセットに作成される場合、アセット・ロール・マニフェスト・ファイルはそのレンディション・ファイルについてＯＲＩＥＮＴＡＴＩＯＮメタデータで特定される追加的な回転情報を含むことができる。レンディション画像の回転局面がオリジナルアセット画像とは異なっている場合、そのレンディション画像についてのＯＲＩＥＮＴＡＴＩＯＮメタデータは適切な値を特定されるべきである。
以下の表はアセット・ロール・マニフェスト・ファイルからの実装例である。
【表１７ａ】
2008530629.tif 000022
【表１７ｂ】
2008530629.tif 000023
５．３．５共有アセットディレクトリ
このディレクトリはアセットディレクトリ（ＡＳＳＥＴ  ｄｉｒｅｃｔｏｒｙ）のサブディレクトリである。普通、これは二以上のアルバムに共通の非撮像アセットを含む。これら非撮像アセットは、例えばスライドショー再生中バックグラウンドミュージックとして利用される音声ファイル、スライドショー再生中利用される写真フレームなどのテンプレート画像ファイルなどであってよい。
５．３．５．１制限
共有アセットディレクトリは、自身が含む全てのＰＡＳＳアセットファイルを記述するアセット・リスト・マニフェストを持たねばならない。
６  ディレクトリ及びファイル構造
６．１  全体構造
全てのＰＡＳＳデジアルバムはＭＰＶマニフェストを利用してアセット配置、メタデータのキャプチャ、及びアルバム記述を行う。特定のインデックスファイル、つまりＰＡＳＳインデックス・マニフェスト・ファイルが、ＰＡＳＳ媒体上のほかのマニフェスト・ファイルへのエントリポイントとして、ＰＡＳＳデジアルバムのルートディレクトリ中になければならない。このインデックス・マニフェスト・ファイルはファイルシステムを通じて配置される。
通例、マニフェスト・ファイルは、インデックスファイルからトレースできれば、任意の数のファイルに分割され、任意のディレクトリ中に配置することができる。全てのＰＡＳＳデジアルバム・レシービング・システムは、ルートディレクトリ内のインデックスファイルを参照することにより、ＰＡＳＳデジアルバム内のマニフェスト全てにアクセスできるとする。同様に、ＰＡＳＳデジアルバム・レシービング・システムはマニフェストが記述するコンテンツへアクセスできるとする。
加えて、ＰＡＳＳインデックス・マニフェスト・ファイルを除いて、マニフェスト・ファイル及びそれらが記述するコンテンツの媒体内の配置位置について制限は課されない。しかし、このＰＡＳＳディスクの論理的な仕様（ＬＤＳ）は、セクション６記載のＰＡＳＳマニフェスト三種類の、ＰＡＳＳデジアルバムを利用する特定のアプリケーションへの配置法について定義するプロフィールを幾らか記述する。特定のＰＡＳＳオリジネイティング・システムは、ＰＡＳＳデジアルバム上のディレクトリ構造を制限するある種の制限をもつ。その結果、ＰＡＳＳデジアルバムの特定の実施形態があり、それらはこの仕様でプロフィールとして記載される。
レシービング・システムはＰＡＳＳデジアルバム処理にＭＰＶを利用せねばならない。異なるディレクトリ構造が、主にオリジネイティング・システム内に異なるレガシー・アーキテクチャを可能ならしめる目的から許可される。
ＰＡＳＳはさらに以下の一般的制限をマニフェスト・ファイルに課す。
・マニフェスト・ファイルはＵＴＦ―８によりエンコードされねばならない。
・（ＴＢＤ）
６．２  ファイルシステム
ＤＶＤアプリケーションはＵＤＦファイルシステムを利用する。ＣＤはＩＳＯ  ９６６０ファイルシステムを必要とする。
通例、ファイルシステムは媒体種類により制限を受ける。多くの場合、システム間の互換性を増す目的から任意の媒体上に重複するファイルシステムを持つことができる。
これは将来の家庭用電化製品（ＣＥ）に高い互換性を維持する目的から利用が見込まれる。しかし、目下の他のファイルシステム（ＩＳＯ９６６０、Ｊｕｌｉｅｔ、ＨＦＳなど）もまた特定の媒体種類が要求すれば許可することができる。
６．３推奨ディレクトリ構造
ＭＰＶマニフェストの利用により、ＰＡＳＳデジアルバムが多数ディレクトリ構造を持つことができる。この仕様は、各構造がプロフィールであるところの、特定のディレクトリ構造を説明する。
この仕様は、将来のＰＡＳＳアプリケーションについて推奨されるディレクトリ構造を記述する「推奨プロフィール」を定義する。
６．３．１推奨ディレクトリ構造グラフィック
以下の図のハイライト部分がＰＡＳＳ仕様推奨ディレクトリ構造である。
【表１８】
2008530629.tif 000024
６．３．２推奨ディレクトリ構造の命名取り決め
推奨ディレクトリ構造は、そのコンポーネントについて命名取り決めを幾らか持つ。
６．３．２．１ＰＡＳＳインデックス・マニフェスト・ファイル
ＰＡＳＳインデックス・マニフェスト・ファイルの名称はＰＡＳＳＩＤＸ．ＰＶＭである。
６．３．２．２ＡＳＳＥＴ（アセット）ディレクトリ
デジアルバムがＰＡＳＳ推奨ディレクトリ構造を利用する際、このディレクトリはＡＳＳＥＴの固定名を持つとする。
６．３．２．３アセットロールディレクトリ
ＰＡＳＳ推奨ディレクトリ構造を利用する際、アセットロールディレクトリは固定文字「ＡＲ」で始まり、ＹＹＹＭＭＤＤ＿ＸＸＸＸＸＸＸＸがそれに続く名称を持つとする（ＹＹＹＹは「０―９」の文字を利用する「年」にあたり、ＭＭが「月」を表す数であり、ＤＤが日付を表す数であり、各々「０―９」の文字を利用する）。文字「＿」は固定であり、「ＸＸＸＸＸＸＸＸ」は、「０―９」及び「Ａ―Ｚ」を利用する、Ｔｒｕｎｃａｔｅｄ  Ｕｎｉｖｅｒｓａｌ  Ｉｄｅｎｔｉｆｉｅｒ  ｃｏｍｐｏｎｅｎｔ（ＴＵＩＤ）と呼ばれる八文字ＧＵＩＤである。
日付コンポーネント、ＹＹＹＭＭＤＤ、は、アセットロールディレクトリの全てのアセットのうち最新の（最も新しい）ものに対応すべきである。何らかの理由によりアセットロールディレクトリが空の場合、日付コンポーネントはアセットロールディレクトリの作成日に対応すべきである。
Ｔｒｕｎｃａｔｅｄ  Ｕｎｉｖｅｒｓａｌ  Ｉｄｅｎｔｉｆｉｅｒ  Ｃｏｍｐｏｎｅｎｔ（ＴＵＩＤ）、ＸＸＸＸＸＸＸＸ、はディレクトリ作成時に生成すべきである。アセットロールディレクトリ作成時当初に、同じ日付コンポーネントを持つアセットロールディレクトリが存在する場合、同じ日付を持つアセットロールディレクトリ中で最も大きなＴＵＩＤにインクリメントすることで新たなＴＵＩＤを生成すべきである。アセットロールディレクトリが移行されるとき、多数移行のせいで、二以上のアセットロールディレクトリが同じ日付コンポーネント及びＴＵＩＤを持つ可能性がある。この場合は、新たなＴＵＩＤはオリジネイティング・システムにより、同じ日付コンポーネントを持つアセットロールディレクトリ間で同じＴＵＩＤを持つものがないように生成されるべきである。
６．３．２．４ＰＡＳＳアセットファイル
ＰＡＳＳ推奨ディレクトリ構造を利用する際、アセットロールディレクトリ内のＰＡＳＳアセットファイルは、固定文字「ＯＲ」で始まり、ＹＹＹＭＭＤＤ＿ＸＸＸＸＸＸＸＸがそれに続く名称を持つとする（ＹＹＹＹは「０―９」の文字を利用する「年」にあたり、ＭＭが「月」を表す数であり、ＤＤが日付を表す数であり、各々「０―９」の文字を利用する）。文字「＿」は固定であり、「ＸＸＸＸＸＸＸＸ」は、「０―９」及び「Ａ―Ｚ」を利用する、Ｔｒｕｎｃａｔｅｄ  Ｕｎｉｖｅｒｓａｌ  Ｉｄｅｎｔｉｆｉｅｒ  ｃｏｍｐｏｎｅｎｔ（ＴＵＩＤ）と呼ばれる八文字ＧＵＩＤである。
日付コンポーネント、ＹＹＹＭＭＤＤ、は、ＥＸＩＦタグから抽出された日付に対応すべきであり、もしファイルフォーマットがタグを含まない場合には、ファイル作成日を利用すべきである。
Ｔｒｕｎｃａｔｅｄ  Ｕｎｉｖｅｒｓａｌ  Ｉｄｅｎｔｉｆｉｅｒ  Ｃｏｍｐｏｎｅｎｔ（ＴＵＩＤ）、ＸＸＸＸＸＸＸＸ、はファイル作成時にオリジネイティング・システムが生成すべきである。同じ日付コンポーネントを持つＰＡＳＳアセットファイル（「ＯＲ」接頭辞）が存在する場合、同じ日付を持つＰＡＳＳアセットファイル中で最も大きなＴＵＩＤにインクリメントすることで新たなＴＵＩＤを生成すべきである。アセットロールディレクトリが移行されるとき、多数移行のせいで、二以上のＰＡＳＳアセットファイルが同じ日付コンポーネント及びＴＵＩＤを持つ可能性がある。この場合は、新たなＴＵＩＤはオリジネイティング・システムにより、同じ日付コンポーネントを持つＰＡＳＳアセットファイル間で同じＴＵＩＤを持つものがないように生成されるべきである。
６．３．２．５アセット・リスト・マニフェスト
ＰＡＳＳ推奨ディレクトリ構造を利用する際、ＰＡＳＳ  ＡＳＳＥＴリストマニフェスト・ファイルは文字「ＡＳ」で始まり、アセットロールディレクトリと同じ日付コンポーネント及びＴＵＩＤを持つ名称を持つとする。
６．３．２．６ＡＬＢＵＭ（アルバム）ディレクトリ
推奨ディレクトリ構造では、このディレクトリはＡＬＢＵＭという一つの許可された名称を持つとする。
６．３．２．７デフォルト・プレイリスト・マニフェスト・ファイル
推奨ディレクトリ構造では、各アセットロールディレクトリについて生成されるデフォルト・プレイリスト・マニフェスト・ファイルは文字「ＰＬ」で始まり、残りの文字がデフォルト・プレイリスト・マニフェストに対応するアセットロールディレクトリの名称に等しいファイル名を持つとする。
６．３．２．８カスタム・プレイリスト・マニフェスト・ファイル
推奨ディレクトリ構造では、生成されるカスタム・プレイリスト・マニフェスト・ファイルは文字「ＰＬＣＵ」で始まり、残りの文字が、カスタム・プレイリストの作成日に対応する、日付コンポーネントＹＹＹＭＭＤＤを持つファイル名を持つとする。日付コンポーネントの後には、文字「＿」と、その後にＴｒｕｎｃａｔｅｄ  Ｕｎｉｖｅｒｓａｌ  Ｉｄｅｎｔｉｆｉｅｒ  ｃｏｍｐｏｎｅｎｔ（ＴＵＩＤ）が続く。
ＴＵＩＤ、ＸＸＸＸＸＸＸＸ、はオリジネイティング・システムがファイル作成時に生成すべきである。その日付コンポーネントを持つ別のカスタム・プレイリスト・マニフェスト・ファイルがある場合、同じ日付を持つカスタム・プレイリスト・マニフェスト・ファイル中で最も大きなＴＵＩＤにインクリメントすることで新たなＴＵＩＤを生成すべきである。移行されるとき、多数移行のせいで、二以上のＰＡＳＳアセットファイルが同じ日付コンポーネント及びＴＵＩＤを持つ可能性がある。この場合は、新たなＴＵＩＤはオリジネイティング・システムにより、同じ日付コンポーネントを持つカスタム・プレイリスト・マニフェスト・ファイル間で同じＴＵＩＤを持つものがないように生成されるべきである。
６．３．２．９共有ディレクトリ
推奨ディレクトリ構造では、このディレクトリはＳＨＡＲＥＤという一つの許可された名称を持つとする。
６．３．２．１０  共有アセットファイル
ＰＡＳＳ推奨ディレクトリ構造を利用する際、ＳＨＡＲＥＤディレクトリ内のアセットファイルはＳＨＹＹＹＹＭＭＤＤ＿ＸＸＸＸＸＸＸＸ．ＺＺＺというファイル名を持つとし、アセット・リスト・マニフェスト・ファイルはＳＨＹＹＹＹＭＭＤＤ＿ＸＸＸＸＸＸＸＸ．ＰＶＭというファイル名を持つとする。全てのファイルは固定文字「ＳＨ」で始まり、ＹＹＹＭＭＤＤ＿ＸＸＸＸＸＸＸＸがそれに続く名称を持つとする（ＹＹＹＹは「０―９」の文字を利用する「年」にあたり、ＭＭが「月」を表す数であり、ＤＤが日付を表す数であり、各々「０―９」の文字を利用する）。文字「＿」は固定であり、「ＸＸＸＸＸＸＸＸ」は、「０―９」及び「Ａ―Ｚ」を利用する八文字ＧＵＩＤである。ＰＡＳＳは推奨ディレクトリ構造で大文字に利用を制限する。「ＺＺＺ」はファイルのフォーマットに依存する。
日付コンポーネント、ＹＹＹＭＭＤＤ、は、ＥＸＩＦタグから抽出された日付に対応すべきであり、もしファイルフォーマットがタグを含まない場合には、ファイル作成日を利用すべきである。
Ｔｒｕｎｃａｔｅｄ  Ｕｎｉｖｅｒｓａｌ  Ｉｄｅｎｔｉｆｉｅｒ  Ｃｏｍｐｏｎｅｎｔ（ＴＵＩＤ）、ＸＸＸＸＸＸＸＸ、はファイル作成時にオリジネイティング・システムが生成すべきである。同じ日付コンポーネントを持つＰＡＳＳ共有アセットファイル（「ＳＨ」接頭辞）が存在する場合、同じ日付を持つＰＡＳＳ共有アセットファイル中で最も大きなＴＵＩＤにインクリメントすることで新たなＴＵＩＤを生成すべきである。ＳＨＡＲＥＤ（共有）ディレクトリが移行されるとき、多数移行のせいで、二以上のＰＡＳＳ共有アセットファイルが同じ日付コンポーネント及びＴＵＩＤを持つ可能性がある。この場合は、新たなＴＵＩＤはオリジネイティング・システムにより、同じ日付コンポーネントを持つＰＡＳＳ共有アセットファイル間で同じＴＵＩＤを持つものがないように生成されるべきである。
６．３．２．１１  共有アセット・リスト・マニフェスト
ＰＡＳＳ推奨ディレクトリ構造を利用する際、ＰＡＳＳ共有アセット・リスト・マニフェスト・ファイルは文字「ＳＨ」で始まり、デジアルバムの作成日に対応する日付コンポーネント、及びその作成日から生成されるＴＵＩＤをもつ名称を持つとする。
６．３．３推奨ディレクトリ構造は対応するＭＰＶマニフェスト・ファイルを持つ
６．３．３．１インデックス・マニフェストＰＡＳＳＩＤＸ．ＰＶＭ
【表１９ａ】
2008530629.tif 000025
【表１９ｂ】
2008530629.tif 000026
【表１９ｃ】
2008530629.tif 000027
６．３．３．２デフォルト・プレイリスト・マニフェストＰＬＡＲ２００４０１１９＿ＸＸＸＸＸＸＸ１．ＰＶＭ
【表２０ａ】
2008530629.tif 000028
【表２０ｂ】
2008530629.tif 000029
６．３．３．３デフォルト・プレイリスト・マニフェストＰＬＡＲ２００４０１１９＿ＸＸＸＸＸＸＸ２．ＰＶＭ
【表２１ａ】
2008530629.tif 000030
【表２１ｂ】
2008530629.tif 000031
６．３．３．４デフォルト・プレイリスト・マニフェストＰＬＡＲ２００４０１２０＿ＸＸＸＸＸＸＸ１．ＰＶＭ
【表２２ａ】
2008530629.tif 000032
【表２２ｂ】
2008530629.tif 000033
６．３．３．５カスタム・プレイリスト・マニフェストＰＬＣＵ２００４０１３０＿ＸＸＸＸＸＸＸ１．ＰＶＭ
【表２３ａ】
2008530629.tif 000034
【表２３ｂ】
2008530629.tif 000035
【表２３ｃ】
2008530629.tif 000036
【表２３ｄ】
2008530629.tif 000037
６．３．３．６アセット・ロール・マニフェストＡＳ２００４０１１９＿ＸＸＸＸＸＸＸ１．ＰＶＭ
【表２４ａ】
2008530629.tif 000038
【表２４ｂ】
2008530629.tif 000039
６．３．３．７アセット・ロール・マニフェストＡＳ２００４０１１９＿ＸＸＸＸＸＸＸ２．ＰＶＭ
【表２５ａ】
2008530629.tif 000040
【表２５ｂ】
2008530629.tif 000041
６．３．３．８アセット・ロール・マニフェストＡＳ２００４０１２０＿ＸＸＸＸＸＸＸ１．ＰＶＭ
【表２６ａ】
2008530629.tif 000042
【表２６ｂ】
2008530629.tif 000043
【表２６ｃ】
2008530629.tif 000044
【表２６ｄ】
2008530629.tif 000045
６．３．３．９共有ディレクトリマニフェスト―ＳＨ２００４０１２０＿ＸＸＸＸＸＸＸ１．ＰＶＭ
【表２７】
2008530629.tif 000046
７  媒体種類特有コンポーネント（このセクションは開発中である）
このセクションでは、特有媒体種類に必要な任意の特別なファイルあるいは制限について説明する。例えば、ＣＤはＩＳＯ  ９６６０を利用し、ＤＶＤはＵＤＦを利用する。ＣＤは、マッキントッシュコンピュータをサポートするのに必要な特別な拡張を持つ。
７．１ＤＶＤ  ＲＯＭ、リコーダブル、リライタブル
ＤＶＤ媒体のファイル構造は典型的に、Ｏｐｔｉｃａｌ  Ｓｔｏｒａｇｅ  Ｔｅｃｈｎｏｌｏｇｙ  Ａｓｓｏｃｉａｔｉｏｎ（ＯＳＴＡ）が維持するＵｎｉｖｅｒｓａｌ  Ｄａｔａ  Ｆｏｒｍａｔ（ＵＤＦ）仕様に準拠している。ＵＤＦ仕様は、「Ｖｏｌｕｍｅ  ａｎｄ  Ｆｉｌｅ  Ｓｔｒｕｃｔｕｒｅ  ｆｏｒ  Ｗｒｉｔｅ―Ｏｎｃｅ  ａｎｄ  Ｒｅｗｒｉｔａｂｌｅ  Ｍｅｄｉａ  ｕｓｉｎｇ  Ｎｏｎ―Ｓｅｑｕｅｎｔｉａｌ  Ｒｅｃｏｒｄｉｎｇ  ｆｏｒ  Ｉｎｆｏｒｍａｔｉｏｎ  Ｉｎｔｅｒｃｈａｎｇｅ」という表題のＥＣＭＡ―１６７規格の特殊な実施形態である。全てのＤＶＤ―ＶｉｄｅｏディスクはＥＣＭＡ―１６７（第二版）及びＵＤＦ１．０２が特定する全ての要求データを含むよう原盤を作成される。
実際には、ＤＶＤ媒体の大半はＩＳＯ  ９６６０規格が特定するファイル構造を組み込む（「Ｉｎｆｏｒｍａｔｉｏｎ  ｐｒｏｃｅｓｓｉｎｇ―Ｖｏｌｕｍｅ  ａｎｄ  ｆｉｌｅ  ｓｔｒｕｃｔｕｒｅ  ｏｆ  ＣＤ―ＲＯＭ  ｆｏｒ  ｉｎｆｏｒｍａｔｉｏｎ  ｉｎｔｅｒｃｈａｎｇｅ」）。ディスクがＵＤＦとＩＳＯ  ９６６０ファイルシステムの両方を含む場合、それはＵＤＦブリッジディスクとして知られている。ＵＤＦバージョン２．５０文書によれば、コンシューマーＤＶＤプレーヤはＵＤＦだけをサポートし、ＩＳＯ  ９６６０はサポートしないことになっている。しかし、ＩＳＯ  ９６６０ファイル構造がＤＶＤディスクに存在するからといって、コンシューマーＤＶＤプレーヤの再生性能は劣化しない。
ＵＤＦ規格はＤＶＤ媒体、ＲＯＭ及びリコーダブル形式に適用される。これはマルチセッション記録をサポートする。しかし、ＤＶＤプレーヤがマルチセッション媒体を認識するべきか明らかでない、というのもＵＤＦ仕様バージョン１．０２にはマルチセッション記録についての言及がないからである。
７．２ＣＤ  ＲＯＭ  リコーダブル、リライタブル
ＣＤ媒体上のファイル構造は典型的にＩＳＯ  ９６６０規格に準拠している。他のファイル構造を単独で或いはＩＳＯ  ９６６０構造との組み合わせで利用することができる(例えば、アップルあるいはＯＳＴＡの維持するＵＤＦファイル構造が定義する階層ファイルシステム（ＨＦＳ）)。
ＩＳＯ  ９６６０ファイル構造には規格内のギャップを提起する二つの拡張がある。Ｒｏｃｋ  Ｒｉｄｇｅ  Ｉｎｔｅｒｃｈａｎｇｅ  ＰｒｏｔｏｃｏｌはＩＳＯ  ９６６０規格が提供するＳｙｓｔｅｍ  Ｕｓｅフィールドの完全なＰＯＳＩＸファイルシステムセマンティックスを記録する目的からＳｙｓｔｅｍ  Ｕｓｅ  Ｓｈａｒｉｎｇ  Ｐｒｏｔｏｃｏｌを利用する。Ｊｕｌｉｅｔ仕様はＩＳＯ  ９６６０規格の文字セット、ファイル名の長さ、ディレクトリツリーの深さ、及びディレクトリ名フォーマットに関する制限を提起する。
付録Ａ―レガシーディレクトリ及びファイル構造の相互参照（参考情報）
【表２８】
2008530629.tif 000047
付録Ｂ―短縮ＵＩＤ（ＴＵＩＤ）アルゴリズム
ステップ１:：
システムから時間情報を取得する。
例. HH: MM: SS. CC
ここで、
ＨＨ：時間（ｈｏｕｒ）（０―２３）
ＭＭ：分（０―５９）
ＳＳ：秒（０―５９）
ＣＣ：副秒（ｓｕｂ−ｓｅｃｏｎｄ）（０―９９）
ステップ２：
時間コードを算出する
T = ((CC*60+SS)*60+MM)*24+HH
注：順序は故意に逆にしてある、というのも我々はアセットロールディレクトリ内でアセットファイル名にインクリメンタルな数を使っているからである。
ステップ３：
ＭＡＣアドレス（あるいは任意の固有コード）から３バイトを取得する
M: 0―(256^6―1) [256]:[256]:[256]:[256]:[256]:[256] (1st ― 6th)
３番目、５番目、及び６番目のバイトを抽出して、以下のように組み合わせる：
M = B3*256*256+B5*256+B6
注１：固有コードの別の例には、「機器の製造番号」がある。
注２：Ｂ１−Ｂ３：製造者コード、Ｂ４−Ｂ６：機械コード
この構想においては、製造者コードと機械コード両方の部分を利用する。バイト数及び順序は任意でよい。
ステップ４：
固有番号を取得する。
N_TUID=mod( (T +M*Tmax), TUIDmax)
ここで, TUIDmax = 368, Tmax=24*60*60*100
ステップ５：
ＡＳＣＩＩ文字へ変換する（０―９、Ａ―Ｚ）
(1) ３６に基づく数字へ変換する。３６に基づく数字Ｄｉは以下のように算出できる： 
Di = mod(int(N_TUID/36i), 36)
ここで、Ｄｉ：３６に基づくｉ桁目の数である（０−７．ここでＬＳＢ＝０）
(2) 以下のｔａｂｌｅを利用してＤｉをＡＳＣＩＩに変換する：
0:     0
1:     1
....
9:     9
10:    A (or a)
11:    B (or b)
34:    Y (or y)
35:    Z (or z)
注：アルファベットの大文字・小文字はウィンドウズでは無視される。
付録Ｃ―Ｋｏｄａｋ  ＰｉｃｔｕｒｅＣＤディレクトリ及びファイル構造（参考情報）
【表２９】
2008530629.tif 000048
付録Ｄ―Ｆｕｊｉ  Ｃｏｌｏｒ  ＣＤディレクトリ及びファイル構造（参考情報）
【表３０】
2008530629.tif 000049
付録Ｅ―Ｋｏｎｉｋａ  Ｍｉｎｏｌｔａ  Ｈｏｔ  Ａｌｂｕｍディレクトリ及びファイル構造（参考情報）
可搬式格納プロフィ―ルは、統一された方式及びグローバル統一ＩＤ命名取り決めのファイルシステム構造を特定する。ルートディレクトリはＡＳＳＥＴ及びＡＬＢＵＭディレクトリから成るのが必須である。ＡＳＳＥＴディレクトリは任意の数のアセットロールディレクトリから成り、アルバムディレクトリは任意の数のアルバム・マニフェスト・ファイルから成る。
【表３１】
2008530629.tif 000050
７．２．１．１アセットディレクトリ
アセットディレクトリの名称は「ＡＳＳＥＴ」（大文字）とする。
７．２．１．１．１アセットロールディレクトリ
ＡＲ情報ファイルを持つ、短時間で及び／または近場で取られた何十ものアセットファイルは、アセットロールディレクトリに格納されるべきである（セクション６．３．２参照）。
７．２．１．１．１．１命名取り決め
（１）新たな名称
アセットロールディレクトリの名称は、日付と固有コードを含むのを必須とする。ディレクトリの名称は「ＡＲ」で始まり（大文字）、これに、年、月、日、アンダーバー、固有コード、及びオプションの文字、が続く。
ＡＲｙｙｙｙｍｍｄｄ＿ｕｕｕｕｕｕｕｕ＿ｐｐｐｐｐｐ：
ｙｙｙｙ：四桁の年
ｍｍ：二桁の月
ｄｄ：二桁の日
＿ｕｕｕｕｕｕｕｕ：八桁の固有コード（３６種類のＡＳＣＩＩ：０―９、ａ―ｚ（あるいはＡ―Ｚ））
＿ｐｐｐｐｐｐ：オプションの文字（もしあれば「＿」（アンダーバー）から始まる。全部の文字が２５５以下であれば、文字数に制限はない）
固有コードは時間情報に基づくシード番号を利用して生成するとする（例えば、「ｈｈｍｍｓｓ．ｃｃ」）。二以上のディレクトリが同じ日付情報で生成されるとすると、後に生成されるディレクトリが大きな値の固有コードを持つ。ランダム・コード・ジェネレータは特定されない。
日付情報は以下のガイドラインの一つから割り当てることができる。
ａ）情報が入手可能なら、ディレクトリのなかのアセットの最後の日付を選ぶ。
ｂ）日付が未知ならば、あるいは確かでないと思われる場合、デジタル化の日付をその代わりに利用すべきである。
ｃ）日付情報が確実には分からない場合、「００」（ゼロ―ゼロ）を「日」及び／または「月」として使用すべきである。
ディレクトリ名称文字の数は、全部で２５５以下とする。
（２）名称更新
コピーおよび修正プロセスにおける抵触によりディレクトリ名称の更新が必要な場合、抵触が見当たらなくなるまで固有コードを増やすとする。抵触判断はオプションの文字抜きで行う。
（オリジナル）ＡＲｙｙｙｙｍｍｄｄ＿ｕｕｕｕｕｕｕｕ
（更新後）ＡＲｙｙｙｙｍｍｄｄ＿ｖｖｖｖｖｖｖｖ
ｖｖｖｖｖｖｖｖ：オリジナルの「ｕｕｕｕｕｕｕｕ」に一つ加える。
例：「Ｄ0ＤＥ９ＲＣＴ」は「Ｄ0ＤＥ9ＲＣＵ」となる。
注：「ｖｖｖｖｖｖｖｖ」が上限に達したら（「ｚｚｚｚｚｚｚｚ」）、「００００００００」から始める。
７．２．１．１．１．２ＤＩＳＰＬＡＹ（表示）ディレクトリ
（ＴＢＤ）
７．２．１．１．２アセットファイル
７．２．１．１．２．１命名取り決め
（１） 新たな名称
アセットファイルの名称は同様に与えられる。ファイル名は、「ＯＲ」で始まり（大文字で、ＯＲｉｇｉｎａｌの意味）、それに年、月、日、アンダーバー、及び固有コードが続く。
ＯＲｙｙｙｙｍｍｄｄ＿ｕｕｕｕｕｕｕｕ＿ｐｐｐｐｐｐ．ｅｘｔ：
ｙｙｙｙ：四桁の年
ｍｍ：二桁の月
ｄｄ：二桁の日
＿ｕｕｕｕｕｕｕｕ：八桁の固有コード
＿ｐｐｐｐｐｐ：オプションの文字（もしあれば「＿」（アンダーバー）から始まる。全部の文字が２５５以下であれば、文字数に制限はない）
ｅｘｔ：拡張名称はファイルのフォーマットを示す。
固有コードはＡＲディレクトリに使用されるものと同一であるべきである。二以上のファイルが同じ日付情報で格納される場合、固有コードは順番に増やされる。上限に達したら（ｚｚｚｚｚｚｚｚ）、始まりの固有コードをまた選ぶことができる。
（２）名称更新
編集のためにアセット名称を更新するときには、抵触が見当たらなくなるまで一ずつ追加することで固有コードを修正する。抵触判断はオプションの文字抜きで行う。
（オリジナル）ＯＲｙｙｙｙｍｍｄｄ＿ｕｕｕｕｕｕｕｕ
（更新後）ＯＲｙｙｙｙｍｍｄｄ＿ｖｖｖｖｖｖｖｖ
ｖｖｖｖｖｖｖｖ：オリジナルの「ｕｕｕｕｕｕｕｕ」に一つ加える。
もしａａａａａａａａが限界に達したら（ｚｚｚｚｚｚｚｚ）、抵触が見当たらなくなるまで「００００００００」から始める。
７．２．１．１．３アセット・マニフェスト・ファイル
（１）命名取り決め
アセット・マニフェストファイルの名称は以下とする：
Ａｌｙｙｙｙｍｍｄｄ＿ｕｕｕｕｕｕｕｕ．ｐｖｍ
ｙｙｙｙｍｍｄｄ＿ｕｕｕｕｕｕｕｕ：ディレクトリ名と同一のコード
７．２．１．２アルバムディレクトリ
アルバムディレクトリ名は：
「ＡＬＢＵＭ」（大文字）
７．２．１．２．１アルバム・マニフェスト・ファイル
アルバム・マニフェスト・ファイルの名称には、７．３．４．１．１．１で説明した生成日付と固有コードを含めるよう推奨する。例えば、２００４年７月２２日に生成されたファイルは：
「ＴｒｉｐＴｏＣａｌｉｆｏｒｎｉａ＿０４０７２２ｕｕｕｕｕｕｕｕ．ｐｖｍ」となる。
７．２．１．２．２共有アセットディレクトリ
ＴＢＤ（注：共通構造が利用されるだろう）
付録Ｆ―ＰＡＳＳディスク上に共存できるオプションの媒体交換フォーマット（参考情報）
汎用ＤＶＤプレーヤ再生用に利用可能であり、媒体の種類に依存するフォーマットのビデオデータは、媒体の種類に対応する仕様によりエンコードされるべきである。ＰＡＳＳオリジネイティング・システムはオプションとしてデータをこれら媒体依存のフォーマットにエンコードすることができる。
本セクションで説明するオンディスク構造は、記録媒体上の顧客のアセットをエンコードする様々な方法である。これらフォーマットはＰＡＳＳバージョン１．０の一部ではなく、範囲外である。
ＣＤシステムもまた、様々なデータディスク構造をサポートする（つまりＣＤ―ＲＯＭ（モード１）及びＣＤ―ＲＯＭ  ＸＡ（モード２、フォーム１、２））。ディスク構造及びファイル構造はその大半が独立しているので、ＣＤ―ＲＯＭ  ＸＡフォーマットの利用により、ファイル構造内のあるフィールドに対して要件が課される。特に、
・主要ボリューム記述子のアプリケーション利用フィールドはＣＤ―ＲＯＭ  ＸＡラベルを含まねばならない。
・全てのＩＳＯ  ９９６０ディレクトリ記録は、Ｓｙｓｔｅｍ  Ｕｓｅ  ｆｉｅｌｄに、必要とされるＣＤ―ＲＯＭ  ＸＡ拡張フィールドを含まねばならない。
ＩＳＯ  ９６６０ファイル構造はマルチセッション・コンパクト・ディスク仕様について準拠したマルチセッションである。１９９０年代の初めから製造された全てのＣＤライタ・リーダはマルチセッションに準拠している。
【００９２】
付属書Ａ‐２
コダック                        フジフイルム                      コニカミノルタ
ピクチャー・アーカイブ・アンド・シェアリング・システム
共同イニシアチブ
コニカ‐ミノルタ、富士写真フイルム、イーストマンコダック
バージョン０．８０
オリジネイティング／オーサリング・システムの必要仕様
著者  原
寄稿者
バージョン０．８０
２００５年１月２６日
目次
１  概要・・・・・・・・・・・・・・・・・・・・・・・・・・・・・・・・・・・５
１．１  趣旨・・・・・・・・・・・・・・・・・・・・・・・・・・・・・・・・５
１．２  対象・・・・・・・・・・・・・・・・・・・・・・・・・・・・・・・・５
１．３  ＰＡＳＳとは・・・・・・・・・・・・・・・・・・・・・・・・・・・・５
１．４  用語・頭字語辞書・・・・・・・・・・・・・・・・・・・・・・・・・・５
１．５  参考文献・・・・・・・・・・・・・・・・・・・・・・・・・・・・・・５
２  システム概要・・・・・・・・・・・・・・・・・・・・・・・・・・・・・・・５
２．１  ＰＡＳＳの主要機能・・・・・・・・・・・・・・・・・・・・・・・・・５
２．２  システム概要・・・・・・・・・・・・・・・・・・・・・・・・・・・・６
２．３  システム例・・・・・・・・・・・・・・・・・・・・・・・・・・・・・８
３  ＰＡＳＳオリジネイティング／オーサリング・システム概要・・・・・・・・・・９
４  オリジネイティング・システムへの入力・・・・・・・・・・・・・・・・・・１０
４．１  アセットデータ入力のインターフェース・・・・・・・・・・・・・・・１０
４．１．１  入力媒体・装置・・・・・・・・・・・・・・・・・・・・・・・１０
４．１．２  コンテンツストア・・・・・・・・・・・・・・・・・・・・・・１０
４．２  ＰＡＳＳデータのフォーマット・・・・・・・・・・・・・・・・・・・１０
４．２．１  静止画・・・・・・・・・・・・・・・・・・・・・・・・・・・１０
４．２．２  ムービー・・・・・・・・・・・・・・・・・・・・・・・・・・１１
４．２．３  音声・・・・・・・・・・・・・・・・・・・・・・・・・・・・１１
４．２．４  その他のアセットファイル・・・・・・・・・・・・・・・・・・１１
４．３  複合アセット（Ｃｏｍｐｏｕｎｄ  Ａｓｓｅｔ）の作成・編集・・・・・１１
４．３．１  音声付き静止画・・・・・・・・・・・・・・・・・・・・・・・１１
４．３．２  静止画連続撮影シーケンス・・・・・・・・・・・・・・・・・・１２
４．３．３  静止画パノラマシーケンス・・・・・・・・・・・・・・・・・・１２
５  媒体全体及び各アセットのメタデータ入力・・・・・・・・・・・・・・・・・１２
５．１  媒体全体のメタデータ・・・・・・・・・・・・・・・・・・・・・・・１２
５．２  各アセットのメタデータ・・・・・・・・・・・・・・・・・・・・・・１３
５．２．１  静止画・・・・・・・・・・・・・・・・・・・・・・・・・・・１３
５．２．２  静止画以外・・・・・・・・・・・・・・・・・・・・・・・・・１７
５．２．３  複合アセット・・・・・・・・・・・・・・・・・・・・・・・・１７
６  データ格納構造・・・・・・・・・・・・・・・・・・・・・・・・・・・・・１７
７  アセットリストを作成・編集する・・・・・・・・・・・・・・・・・・・・・１８
７．１  アセットリストを定義する・・・・・・・・・・・・・・・・・・・・・１８
７．２  アセットリスト及びアセットメタデータの編集・・・・・・・・・・・・１８
７．２．１  アセットメタデータ・・・・・・・・・・・・・・・・・・・・・１８
７．２．２  アセットリストマニフェストファイルの作成・・・・・・・・・・１８
８  表示用画像・・・・・・・・・・・・・・・・・・・・・・・・・・・・・・・１９
９  アルバムを作成・編集する・・・・・・・・・・・・・・・・・・・・・・・・１９
９．１  デフォルトアルバム及びカスタムアルバム・・・・・・・・・・・・・・１９
９．２  アセットデータを選択する・・・・・・・・・・・・・・・・・・・・・１９
９．３  アルバムのメタデータ・・・・・・・・・・・・・・・・・・・・・・・１９
９．４  バックグラウンドミュージック・・・・・・・・・・・・・・・・・・・２０
９．５  トランジション及びデュレーション・・・・・・・・・・・・・・・・・２０
９．６  アルバムマニフェストファイルの作成・・・・・・・・・・・・・・・・２０
１０  ＰＡＳＳＩＤＸ．ＰＶＭファイルを作成する・・・・・・・・・・・・・・・２０
１１  ビデオアルバム（ＤＶＤビデオ又はビデオＣＤ）・・・・・・・・・・・・・２０
１２  マイグレーション・・・・・・・・・・・・・・・・・・・・・・・・・・・２１
１３  媒体への書き込み・・・・・・・・・・・・・・・・・・・・・・・・・・・２１
【表３２】
2008530629.tif 000051
１  概要
１．１  趣旨
本文書においては、ピクチャー・アーカイブ・アンド・シェアリング・システム（Ｐｉｃｔｕｒｅ  Ａｒｈｃｉｖｅ  ＆  Ｓｈａｒｉｎｇ  Ｓｙｓｔｅｍ）に適合してＰＡＳＳデジアルバム（ＤｉｇｉＡｌｂｕｍ）を作成するＰＡＳＳオリジネイティング／オーサリング・システム（Ｏｒｉｇｉｎａｔｉｎｇ／Ａｕｔｈｏｒｉｎｇ  Ｓｙｓｔｅｍ）の必要仕様を詳述する。ホワイト・ペーパー（Ｗｈｉｔｅ  Ｐａｐｅｒ）参照。
１．２  対象
本文書は、ＰＡＳＳ媒体サービス提供者、又はキオスク（Ｋｉｏｓｋ）、ミニラボ（ｍｉｎｉ‐Ｌａｂ）、ＰＣアプリケーション等のＰＡＳＳ媒体作成システムの開発者を読者として想定している。
１．３  ＰＡＳＳとは
ＰＡＳＳとはピクチャー・アーカイブ・アンド・シェアリング・Ｓ（Ｐｉｃｔｕｒｅ  Ａｒｃｈｉｖｅ  ａｎｄ  Ｓｈａｒｉｎｇ  Ｓ）の略である。このシステムは、デジタル写真及び動画像の保存を目的とした家庭向けイメージング産業におけるオープンな規格群を策定することを目的としている。この規格の目的は、デジタル技術による消費者の思い出を、将来世代にまで失われないとすることである。このスタンダードは、ＰＡＳＳフォーマットと呼ばれる、写真、動画像、及び関連コンテンツを保存するための方式により実現される。ＰＡＳＳフォーマットによりオーサリングしたディスクを、デジアルバムと呼称する。このフォーマットは、
（１）新世代の製品及びサービスに向けた、オーサリング、再生、及び印刷の実施可能要件を定義し、
（２）システム間の相互操作を可能とし、
（３）これら製品及びサービスを利用して簡単に保存、共有、及び印刷をしたい消費者の要望にさらに答える
ことを目的としている。
１．４  用語・頭字語辞書
＜作業草案においては、外部の用語集を参照する＞
１．５  参考文献
・ＰＡＳＳディスクの論理的な仕様（Ｌｏｇｉｃａｌ  Ｄｉｓｃ  Ｓｐｅｃｉｆｉｃａｔｉｏｎ）（ＬＤＳ）
・ＰＡＳＳシステム必要仕様（Ｓｙｓｔｅｍ  Ｒｅｑｕｉｒｅｍｅｎｔｓ  ｓｐｅｃｉｆｉｃａｔｉｏｎ）
・ＰＡＳＳレシービング／再生システムの必要仕様（Ｒｅｃｅｉｖｉｎｇ／Ｐｌａｙｂａｃｋ  Ｓｙｓｔｅｍ  Ｒｅｑｕｉｒｅｍｅｎｔｓ）
・ＰＡＳＳオーサリング・システムソフトウェア開発キット開発者マニュアル（Ａｕｔｈｏｒｉｎｇ  Ｓｙｓｔｅｍ  Ｓｏｆｔｗａｒｅ  Ｄｅｖｅｌｏｐｍｅｎｔ  Ｋｉｔ  ｄｅｖｅｌｏｐｅｒ'ｓ  ｍａｎｕａｌ）
２  システム概要
２．１  ＰＡＳＳの主要な統合機能（ｕｎｉｆｉｅｄ  ｆｅａｔｕｒｅｓ）
ＰＡＳＳの主要な統合機能をピックアップしてみると、以下が挙げられる（Ｆｉｇ．１）。
１）家庭用電化製品（ＣＥ）での簡単再生
既存のＤＶＤプレーヤー及びＰＡＳＳ支援ＤＶＤプレーヤーにて、ストレスなく簡単に写真スライドショーを再生
２）テレビで簡単に印刷注文
テレビでスライド番号をチェックし、注文書に書き留める。
注文書とＰＡＳＳデジアルバムを店舗に持ち込み、簡単に印刷注文。
３）プリントキオスクにて簡単に印刷注文
どのようなＰＡＳＳデジアルバムからの印刷注文でも、どこのＰＡＳＳ支援プリントキオスクでも受け付ける。
４）簡単に写真を読み出し
日付やあらゆるキーワードで簡単に画像読み出しができる。
５）安全にマイグレーション
多くのＰＡＳＳデジアルバムから１つのＰＡＳＳデジアルバムへとまとめることができ、写真履歴もマイグレーションできる。
６）簡単に共有
統合されたＰＡＳＳデジアルバム間で簡単に画像共有できる。
【表３３】
2008530629.tif 000052
２．２  システム概要
ＰＡＳＳシステムは、以下の主要なシステムおよびコンポーネントを含む。
１）オリジネイティング・システム
ＰＡＳＳディスクを作成するオリジネイティング・システムは、典型的に、以下の機能を備える。
ａ）多様な媒体におけるユーザのデータを集め、ＰＡＳＳディスク上にてＰＡＳＳ準拠フォーマットに変換する。
ｂ）ＰＡＳＳディスク上にてユーザの画像のメタデータ（日付、キーワード、等）を収集または生成する。
ｃ）ＣＥ装置にて再生可能なスライドショーとして、デジタルアルバムをＰＡＳＳディスク上にて作成する。
ｄ）何世代にも渡って、多くのＰＡＳＳディスクを新しいディスクへとマイグレーションする。
ｅ）オプションとして、既存のＤＶＤプレーヤーで再生可能なビデオセグメントを作成する。
２）レシービング・システム
レシービング・システムは主に以下の機能を備える。
ａ）アセット（ＡＳＳＥＴ）のフォーマットを確認する。
ｂ）ＰＡＳＳマニフェスト（ＭＡＮＩＦＥＳＴ）ファイルを読み、解釈する。
レシービング・システムは、再生コンポーネント又は印刷コンポーネントを含む。
３）再生コンポーネント
レシービング・システムにおける再生コンポーネントは、主に以下の機能を備える。
ａ）ＰＡＳＳマニフェストに従って、アセットを表示する。
ｂ）多数のＰＡＳＳ再生リストマニフェスト（ＰＬＡＹＬＩＳＴ  ＭＡＮＩＦＥＳＴ）からアルバムを選択する。
ｃ）オプション機能として、日付及びキーワードにより読み出したアセットを表示する。
５）印刷コンポーネント
レシービング・システムにける印刷コンポーネントは、主に以下の機能を備える。
ａ）印刷用にアセットを選択する。
ｂ）選択したアセットを印刷する。
【表３４】
2008530629.tif 000053
２．３  システム例
【表３５ａ】
2008530629.tif 000054
【表３５ｂ】
2008530629.tif 000055
３  ＰＡＳＳオリジネイティング／オーサリング・システム概要
オリジネイティング／オーサリング・システムは、デジアルバムを作成するアプリケーション・システムである。このシステムは、画像等を読み出す読み出しハードウェア及びＰＡＳＳディスクの論理的な仕様（ＬＤＳ）において定義される通りにデジアルバムを書くことのできる書き込みハードウェアを備えた、ミニラボシステム、キオスク、ＰＣアプリケーション等の様々な形態を取ることができる。
オリジネイティング／オーサリング・システムの役割は、以下の機能の取り扱いである。
・画像ファイル、ムービーファイル、または音楽ファイルをアセットとして収集、読み出し、一時保存を行う。デジタルスチールカメラ（ＤＳＣ）のフラッシュメモリカード、従来のフィルム又はプリントのスキャナによる入力、光ディスク等、多くの異なる型の入力がある。
・アセットをＰＡＳＳ準拠フォーマット（たとえば、Ｅｘｉｆ２．２、ＭＰ３等）へと符号化または符号変換する。
・メタデータ（Ｍｅｔａｄａｔａ）（日付、タイトル等）を収集又は生成する。オリジネイティング／オーサリング・システムが、ある場面における、誰が、何を、いつ、及びどこで等のメタデータを記入する機能を備えていることが望ましい。この情報、及びその他の情報は、ダウンストリームでのコンテンツ編成を支援する目的で使用され、出力された場面の補強となる。異なるタイプのいくつかのメタデータ・ソースがある。ＤＳＣによる静止画等の場合、Ｅｘｉｆタグからメタデータをいくつか自動的に抽出することができる。その他の、たとえば、アセット又はアルバムのタイトル等の場合においては、メタデータをシステムへと手入力することが要求される。そのような場合に手入力量を減らす目的で、この文書において代替的な方法をいくつか定義する。
・どのようなアセットを媒体に置き、またどこに置くかを決定する。結果的に、媒体のディレクトリ／ファイル構造、また、アセットファイル位置を含むアセットリストマニフェスト（ＡｓｓｅｔＬｉｓｔ  Ｍａｎｉｆｅｓｔ）ファイルを含んだ制御ファイルの構造及び記述、各アセットのメタデータ等を決定する。
・再生する体験の作成。オリジネイティング／オーサリング・システムは、ＣＥ装置又はＰＣ等にて再生可能なスライドショーを電気アルバムとして作成する。これらは、アルバムマニフェスト（Ａｌｂｕｍ  Ｍａｎｉｆｅｓｔ）ファイルとして実現され、画像間のトランジション、各画像のデュレーション、バックグラウンドミュージック等の効果を含めることができる。
・以前のバージョンのＰＡＳＳディスクの論理的な仕様を用いてオーサリングされたデジアルバムの、新しいバージョンへのマイグレーションを支援する。又は、多数のデジアルバムを新たな別のアルバムへとマイグレーションするのを支援する。
・スクリーンサイズの画像を作成し、再生のレスポンスを速める（オプション）。
・アセットリストマニフェスト、アルバムマニフェスト、及びインデックスマニフェスト（Ｉｎｄｅｘ  Ｍａｎｉｆｅｓｔ）（ＰＡＳＳＩＤＸ．ＰＶＭ）を含む、媒体のルートディレクトリ内に位置し、ＰＡＳＳコンテンツ全体への開始点としての役割を有する制御ファイルの完成
・ＤＶＤビデオ（ＤＶＤ  Ｖｉｄｅｏ）又はビデオＣＤ（Ｖｉｄｅｏ  ＣＤ）に準拠し、かつ既存のＤＶＤプレーヤーにて再生可能なビデオセグメントを作成する（オプション）。
・作成したＰＡＳＳコンテンツ画像をＰＡＳＳデジアルバムとして、ＣＤ又はＤＶＤ媒体へと書き込む。
オリジネイティング／オーサリング・システムは実際には二つの部分を含み、それらはオリジネイティングアプリケーションと、システムの下層を受け持つオーサリングコンポーネントである。本文書においては、二つを別個には記載しない。それゆえ、以下の記載においては、システムを単に「オリジネイティング・システム」と呼称する。参考文献「ＰＡＳＳオーサリング・システムソフトウェア開発キット開発者マニュアル」にて、ＰＡＳＳイニシアチブにおいてサポートするオーサリングコンポーネントについて記載している。
４  オリジネイティング・システムへの入力
４．１  アセットデータ入力のインターフェース
４．１．１  入力媒体・装置
ＰＡＳＳオリジネイティング・システムは、ユーザが持ち込む媒体の中の画像ファイルを読み出すための入力装置を備えることができる。ＤＳＣメモリカードがもっとも一般的な媒体であると想定される。ＤＳＣ用のメモリカードは多種あり、スマートメディア（ＳｍａｒｔＭｅｄｉａ）、コンパクトフラッシュ（ＣｏｍｐａｃｔＦｌａｓｈ）、ＳＤメモリカード、及びメモリスティック（ＭｅｍｏｒｙＳｔｉｃｋ）がある。ミニＳＤ（ｍｉｎｉＳＤ）及びメモリスティックデュオ（ＭｅｍｏｒｙＳｔｉｃｋ  Ｄｕｏ）はカメラ付き携帯電話にて使用される。ＰＡＳＳオリジネイティング・システムを、多様な種類のカードリーダ及びアダプタによって、可能な限り多くのメモリカードに対応させるべきである。
多くの場合、ＰＡＳＳオリジネイティング・システムにおいて、入力媒体として光ディスクが用いられるであろうことが予測される。光ディスクは、レガシー小売サービス業者、及びＰＣを所持するユーザにより書き込まれる。ＣＤ−Ｒ、ＤＶＤ−Ｒ／ＲＷ、ＤＶＤ＋Ｒ／ＲＷ、ＤＶＤ−ＲＡＭ等、多様な光ディスクが存在する。ＰＡＳＳオリジネイティング・システムを可能限り多くの光ディスクに対応させるべきである。特に、後述するように、ＰＡＳＳバージョン１．０のオリジネイティング・システムにおいては、ＣＤ−Ｒ及びＤＶＤ−Ｒは必須であるとされ、それゆえ、これら両方を読み書き可能なドライブの装備も必須である。
写真のネガ及びプリントを持ち込むユーザ向けには、スキャナが必要である。スキャンにより作成されるＰＡＳＳ媒体はオプションである。ＰＡＳＳ仕様においては写真品質のプリントが要求されており、それゆえこの点はスキャンの画像品質として考慮すべきである。
４．１．２  コンテンツストア（Ｃｏｎｔｅｎｔ  Ｓｔｏｒｅ）
以下の理由から、前項にて述べた多様なデータをＰＡＳＳオリジネイティング・システムにてＰＡＳＳ媒体へと直接的に複製することは起こり得ない。安全上の理由からユーザ媒体へのアクセス時間を最短化することが望ましい、データフォーマットの変換及びメタデータ入力等の操作が必要である、ＣＤ及びＤＶＤへの書き込み画像を作成する必要がある、等である。ユーザが持ち込む媒体は、オリジネイティング・システムの作業用ハードディスクへと一旦保存するべきである。これを、ＰＡＳＳにおいて、コンテンツストアと呼称する。ＰＡＳＳ仕様においてはコンテンツストアのフォーマットは定められておらず、オリジネイティング・システムの実施態様次第である。
４．２  ＰＡＳＳデータのフォーマット
４．２．１  静止画
ＰＡＳＳオリジネイティング・システムへの入力媒体としての静止画のフォーマットは指定されていないが、ＰＡＳＳ媒体向けの静止画ファイルは、Ｅｘｉｆ／ＪＰＥＧフォーマットである。オリジネイティング・システムはＥｘｉｆ／ＪＰＥＧフォーマットに限定されないが、しかし、このフォーマットに変換された画像ファイルであれば、一括して入力する。これらは、アセットリストマニフェストに含まれる唯一の静止画ファイルである。
オリジネイティング・システムは、入力した静止画ファイルのフォーマットを確認し、Ｅｘｉｆ／ＪＰＥＧ以外のフォーマットであればこのフォーマットへと変換することができるべきである。
様々なＤＳＣメーカーがＤＳＣのＲＡＷ画像データ用の独自フォーマットを有しており、それゆえデータをＥｘｉｆ／ＪＰＥＧへと変換することが必ずしも可能でない。このような例外的ケースにおいては、そのようなフォーマットだけをＰＡＳＳ媒体に書き込んでもよいが、ユーザにはなんらかの方法にてそのことを告知する。
ＰＡＳＳ媒体において、Ｅｘｉｆ／ＪＰＥＧファイルの拡張子は「．ｊｐｇ」又は「．ＪＰＧ」である。
４．２．２  ムービー
ＰＡＳＳオリジネイティング・システムへの入力媒体としてのムービーのフォーマットは指定されていないが、ＰＡＳＳ媒体向けのムービーファイルは、Ｍｏｔｉｏｎ  ＪＰＥＧ（．ＭＯＶ又は．ＡＶＩ）、ＭＰＥＧ１、ＭＰＥＧ２、又はＭＰＥＧ４である。オリジネイティング・システムはこれらのフォーマットに限定されないが、しかし、これらのフォーマットのいずれかに変換されたムービーファイルであれば、一括して入力する。これらは、アセットリストマニフェストに含まれる唯一のムービーファイルである。
ＰＡＳＳ媒体において、ムービーファイルの拡張子は、Ｍｏｔｉｏｎ  ＪＰＥＧについては「．ｍｏｖ」（又は「．ＭＯＶ」）、又は「．ａｖｉ」（又は「．ＡＶＩ」）であり、ＭＰＥＧ１／２／４については「．ｍｐｇ」（又は「．ＭＰＧ」）である。
４．２．３  音声
ＰＡＳＳオリジネイティング・システムへの入力媒体としての音声のフォーマットは指定されていないが、ＰＡＳＳ媒体向けの音声ファイルはＭＰ３又はＷＡＶフォーマットである。オリジネイティング・システムはこれらのフォーマットに限定されないが、しかし、これらのフォーマットのいずれかに変換された音声ファイルであれば一括入力する。これらは、アセットリストマニフェストに含まれる唯一の音声ファイルである。
オリジネイティング・システムは、入力した音声ファイルのフォーマットを確認し、ＭＰ３又はＷＡＶ以外のフォーマットであればこのフォーマットへと変換することができるべきである。
ＰＡＳＳ媒体において、音声ファイルの拡張子は、ＭＰ３については「．ｍｐ３」（又は「．ＭＰ３」）であり、ＷＡＶについては「．ｗａｖ」（又は「．ＷＡＶ」）である。
４．２．４  その他のアセットファイル
オリジネイティング・システムは上述のフォーマットに限定されないが、しかし、これらのフォーマットは、アセットリストマニフェストに含まれる唯一のアセットファイルである。それゆえ、将来においてＰＡＳＳ媒体をマイグレーションするときに安全に移動される保証はない。
４．３  複合アセット（Ｃｏｍｐｏｕｎｄ  Ａｓｓｅｔ）の作成・編集
オリジネイティング・システムは、音声メモ及びバーストショット画像（Ｂｕｒｓｔ  Ｓｈｏｔ  Ｉｍａｇｅ）付きの静止画のような、多数のファイルを含む複合アセットを作成することができる。ＰＡＳＳ仕様においては、ＯＳＴＡ  ＭＰＶ規格にて定義される以下の３種の画像データを複合アセットとしてカバーしている。
（１）音声付き静止画
静止画ファイル１つと、１（又はそれより多い）の音声ファイル。例  音声メモ付き静止画
（２）静止画連続撮影シーケンス（Ｓｔｉｌｌ  Ｍｕｌｔｉｓｈｏｔ  Ｓｅｑｕｅｎｃｅ）
たとえば、一瞬のような短時間に連続的に撮影された複数（２又はそれより多い）の静止画
（３）静止画パノラマシーケンス（Ｓｔｉｌｌ  Ｐａｎｏｒａｍａ  Ｓｅｑｕｅｎｃｅ）
パノラマを作成する意図にて撮影された複数（２又はそれより多い）の静止画
４．３．１  音声付き静止画
静止画がＤＣＦフォーマットにて入力されれば、オリジネイティング・システムはＤＣＦファイル名に従って自動的に静止画ファイルに関連する音声ファイルの存在を認識することができる。詳細についてはＤＣＦ仕様を参照。また、Ｅｘｉｆフォーマットの静止画に関しては、Ｅｘｉｆタグの関連音声ファイルタグ（ＲｅｌａｔｅｄＳｏｕｎｄＦｉｌｅ  Ｔａｇ）（４０９６４）にて記述されている音声ファイルであれば、その存在を自動的に認識することができる。オリジネイティング・システムはこれらのデータに基づいて音声付き静止画を作成することができるべきである。
ユーザの要望にて音声付き静止画を作成できるように、又は自動プロセス後に音声付き静止画を認証又は修正できるように、オリジネイティング・システムは操作者による手動編集機能を備えることができることが推奨される。
４．３．２  静止画連続撮影シーケンス
一般的に、何枚かのこのような静止画を連続撮影したことを自動認識するために用いられる情報は、写真撮影の際の時間間隔である。
オリジネイティング・システムは、各静止画ファイル間の時間間隔に基づいて静止画連続撮影シーケンスを作成することができるべきである。撮影時間間隔以外のその他の、静止画連続撮影シーケンスを作成する方法を有してもよい。
ユーザの要望にて静止画連続撮影シーケンスを作成できるように、自動プロセス後に音声付き静止画を認証又は修正できるように、又は画像コンテンツを目視しつつ静止画連続撮影シーケンスを作成できるように、オリジネイティング・システムは操作者による手動編集機能を備えるべきである。
４．３．３  静止画パノラマシーケンス
いわゆるパノラマモードにて撮影された何枚かの静止画を自動認識するための標準的情報はない。それゆえ、オリジネイティング・システムは、操作者による画像コンテンツの判断又はユーザの要望に基づいて静止画パノラマシーケンスを作成することができるべきである。その他の何らかの方法にて、その他の情報に基づき、静止画パノラマシーケンスを自動的に作成することができる機能を備えていてもよい。
５  媒体全体及び各アセットのメタデータ入力
５．１  媒体全体のメタデータ
ＰＡＳＳ仕様においては、媒体全体のメタデータとして、媒体ＩＤ、作成者（ｏｒｉｇｉｎａｔｏｒ）に関する情報、媒体のラベル、日付、説明がある。これらメタデータの定義についてはＬＤＳを参照。オリジネイティング・システムは、以下の方法にて、各メタデータの内容を生成又は手入力することができるべきである。これらは、ＸＭＬ記述に基づいてＰＡＳＳインデックスマニフェスト（ＰＡＳＳＩＤＸ．ＰＶＭ）に記述される。
（１）媒体ＩＤ（＜ｐａｓｓ：ｍｅｄｉｕｍＩＤ＞）
オリジネイティング・システムは、ＬＤＳに定義するフォーマットに基づいて自動的に媒体ＩＤを生成する。
（２）作成者についての情報（＜ｐａｓｓ：ｏｒｉｇｉｎａｔｏｒ＞）
オリジネイティング・システムはその名称、製造者、及びバージョンを記載した文字列を生成する。これらは、各オリジネイティング・システムに固定的な値である。
（３）ＰＡＳＳ仕様のバージョン（＜ｐａｓｓ：ｖｅｒｓｉｏｎ＞）
オリジネイティング・システムはＰＡＳＳ仕様のバージョンを書き込む。
（４）媒体ラベル（＜ｐａｓｓ：ｍｅｄｉｕｍＬａｂｅｌ＞）
これは、オプションでのＰＡＳＳ媒体全体のラベルであり、媒体そのものの名称等を含む。これは、典型的にはユーザによって選択される文字列である。オリジネイティング・システムは、操作者が媒体ラベルを入力できるようにすべきである。情報が入力されなければ、媒体の作成日を代わりに使用できる。この場合、ＹＹ−ＭＭ−ＤＤフォーマットを使用する。
（５）日付（＜ｄｃ：ｄａｔｅ＞）
オリジネイティング・システムはＰＡＳＳ媒体の作成日を書き込む。
（６）説明（＜ｄｃ：ｄｅｓｃｒｉｐｔｉｏｎ＞）
これは、オプションでのＰＡＳＳ媒体全体の説明である。ユーザにより選択された文字列があれば、それを入力する。説明としての情報が入力されなければ省略される。
５．２  各アセットのメタデータ
この項においては、オリジネイティング・システムが入力する各アセットのメタデータについて述べる。
５．２．１  静止画
５．２．１．１  Ｅｘｉｆタグからのメタデータ
入力した静止画がＥｘｉｆファイルならば、オリジネイティング・システムがこれらファイルのいくつかのＥｘｉｆタグから内容を抽出してそれに従ってデータフォーマットを変換した後、ファイルはＰＡＳＳ静止画アセット（Ｓｔｉｌｌ  Ｉｍａｇｅ  Ａｓｓｅｔ）のメタデータとなる。また、オリジネイティング・システムは、メタデータの内容を認証及び修正する目的で、又はユーザの要望によりメタデータを入力する目的で、操作者がメタデータを手入力及び編集できるようにすべきである。Ｅｘｉｆタグが欠如している場合に、何らかの方法にて入力すべき情報を自動的に生成する機能を備えてもよい。それらは、ＰＡＳＳアセットリストマニフェストの各静止画アセットにおいて、ｍｐｖ：ＭＥＴＡＤＡＴＡタグ（ＤＩＧ３５について）又はｎｍｆ：ＭＥＴＡＤＡＴＡタグ（ダブリン・コア（Ｄｕｂｌｉｎ  Ｃｏｒｅ）について）に格納される。Ｅｘｉｆタグは、以下の通りである。
【表３６ａ】
2008530629.tif 000056
【表３６ｂ】
2008530629.tif 000057
（１）画像タイトル
（ａ）Ｅｘｉｆ画像に関して、画像タイトルタグ（２７０）が欠如していなければ、オリジネイティング・システムはタグをアセットリストマニフェストにおける静止画アセットのｄｃ：ｔｉｔｌｅへとコピーする。
（ｂ）オリジネイティング・システムは、アセット（アセットリストマニフェスト）のｄｃ：ｔｉｔｌｅを手入力・編集する方法を備えることができるべきである。
（ｃ）画像タイトルタグ（２７０）が欠如しており入力すべきアセットのタイトルが不明であるならば、日付（ＹＹＹＹ−ＭＭ−ＤＤ）またはアセットＩＤで代替すべきである。アセットＩＤは、アセットリストマニフェストにおける＜Ｓｔｉｌｌ＞アセットのｍｐｖ：ＩＤ属性の下位４文字である。
オリジネイティング・システムは、画像アセットについては、ｄｃ：ｔｉｔｌｅを記入する。
（２）クリエーター（アーティスト）
（ａ）Ｅｘｉｆ画像に関して、アーティストタグ（３１５）が欠如していなければ、オリジネイティング・システムはタグを、アセットリストマニフェストにおける静止画アセットのｄｃ：ｃｒｅａｔｏｒへとコピーする。
（ｂ）オリジネイティング・システムは、各静止画アセット（アセットリストマニフェスト）のｄｃ：ｃｒｅａｔｏｒを手入力・編集する方法を有することができるべきである。
クリエーター名がわからない場合には、オリジネイティング・システムがどのオブジェクトにもｄｃ：ｃｒｅａｔｏｒを作成しないこともあり得る。
（３）説明（ユーザコメント）
（ａ）Ｅｘｉｆ画像に関して、使用コメントタグ（３７５１０）が欠如していなければ、オリジネイティング・システムはタグを、アセットリストマニフェストにおける静止画アセットのｄｃ：ｄｅｓｃｒｉｐｔｉｏｎへとコピーする。
（ｂ）オリジネイティング・システムは、各静止画アセット（アセットリストマニフェスト）のｄｃ：ｄｅｓｃｒｉｐｔｉｏｎを手入力・編集する方法を有することができるべきである。
入力すべき内容がわからない場合は、どのオブジェクトにもｄｃ：ｄｅｓｃｒｉｐｔｉｏｎが作成されないこともあり得る。
（４）日付（原データの生成日時）
（ａ）Ｅｘｉｆ画像に関して、オリジネイティング・システムはＥｘｉｆでの原データの作成日時（３６８６７）を変換し、アセットリストマニフェストにおける静止画アセットのｄｃ：ｄａｔｅへとコピーする。
（ｂ）オリジネイティング・システムは、手入力・編集方法を有することができるべきである。
オリジネイティング・システムは、画像アセットについては、ｄｃ：ｔｉｔｌｅを記入する。
（５）フォーマット
これは、Ｅｘｉｆタグからのものではない。オリジネイティング・システムは、このダブリン・コアにおいて、ファイルフォーマットをＭＩＭＥ型として記述してもよい。
（６）幅及び高さ（画素のＸ及びＹ寸法）
Ｅｘｉｆ画像に関して、オリジネイティング・システムは、画素Ｘ／Ｙ寸法タグ（４０９６２／４０９６３）を変換して、アセットリストマニフェストにおける静止画アセットのｄｉｇ３５：ＷＩＤＴＨ及びｄｉｇ３５：ＨＥＩＧＨＴへとコピーすべきである。
（７）色空間
Ｅｘｉｆ画像に関して、オリジネイティング・システムは、Ｅｘｉｆ色空間タグ（４０９６１０）を変換して、アセットリストマニフェストにおける静止画アセットのｄｉｇ３５：ＰＲＯＦＩＬＥ＿ＮＡＭＥへとコピーする。
（８）被写体位置
Ｅｘｉｆ画像に関して、被写体位置タグ（４１４９２）が欠如していなければ、オリジネイティング・システムはタグを変換して、アセットリストマニフェストにおける静止画アセットのｄｉｇ３５：ＳＵＢＪＥＣＴ＿ＰＯＳＩＴＩＯＮへとコピーする。
（９）静止画の位置（ＧＰＳ  Ｉｎｆｏ  ＩＦＤ）
Ｅｘｉｆ画像に関して、ＧＰＳ  Ｉｎｆｏ  ＩＦＤが存在するならば、オリジネイティング・システムはそれを変換して、アセットリストマニフェストにおける静止画アセットのｄｉｇ３５：ＣＡＭＥＲＡ＿ＬＯＣＡＴＩＯＮへとコピーする。
（１０）方位（Ｏｒｉｅｎｔａｔｉｏｎ）
Ｅｘｉｆ画像に関して、方位タグ（２７４）が欠如していなければ、オリジネイティング・システムはタグを変換して、アセットリストマニフェストにおける静止画アセットのｄｉｇ３５：ＯＲＩＥＮＴＡＴＩＯＮのｄｉｇ：ＲＯＬＬへとコピーする。
方位は、画像を再生するときに重要な情報であり、それゆえもしＥｘｉｆタグがなく、入力画像がＥｘｉｆでもなければ、オリジネイティング・システムはそれを入力しなければならない。
５．２．１．２  Ｅｘｉｆタグ以外のメタデータ
オリジネイティング・システムは、Ｅｘｉｆタグからのものに加えて、以下のメタデータを入力・編集する方法を備えることができるべきである。何らかの方法にて入力すべき情報を自動的に生成する機能を備えてもよい。それらは、ＰＡＳＳアセットリストマニフェストの各静止画アセットのｍｐｖ：ＭＥＴＡＤＡＴＡタグに格納される。
【表３７ａ】
2008530629.tif 000058
【表３７ｂ】
2008530629.tif 000059
（１）ロケーション
これは、撮影場所における被写体の位置に関する情報である。ＤＩＧ３５においては、ロケーションは、画像全体に加えて、人物とイベントの子タグとして埋め込むことができるが、ＰＡＳＳにおいては、画像全体についてだけ埋め込まれる。オリジネイティング・システムは、経度・緯度・高度、住所、コメントの３種の指定方法をサポートするべきである。Ｅｘｉｆ  ＧＰＳ  ＩＦＤはカメラの位置情報であり、それゆえ厳密な意味での被写体の位置とは異なるが、しかし、Ｅｘｉｆタグに含まれているのであれば、使用することができる。また、オリジネイティング・システムは、何らかの方法においてどちらかを自動的に決定する機能を備えてよい。
（２）人物説明（一画像内の複数の人物について）
これは、画像内の被写体に関する情報である。写真は、一般的に一人より多い被写体を含んでおり、それゆえオリジネイティング・システムは何名かの人物の説明を入力すべきである。ＤＩＧ３５における人物説明のうち、以下の３種の説明がＰＡＳＳ仕様において用いられる。
・人物名
これは、オリジネイティング・システムが、名であるか又は姓であるかの属性とともに入力する被写体の名前である。また、正確な被写体名が知れない場合は、オリジネイティング・システムは画像内の被写体に人物名の代わりに何らかの識別子を付してもよい。この場合、これは名として埋め込まれる。
・ポジション
これは、画像内の被写体の位置である。ＤＩＧ３５におけるいくつかの指定方法のうち、長方形領域を用いる方法だけがＰＡＳＳ仕様において使用される。オリジネイティング・システムが何らかの方法にて表示用画像上の長方形ポインターのある領域を特定できることが推奨される。来る方法において自動的に領域を認識する機能を備えてもよい。
・コメント
これは画像内の各人物についてのコメントである。
（３）物体説明（一画像内の複数の物体について）
これは、画像内の物体に関する情報である。一般的に、写真は一つより多い物体を含んでおり、それゆえオリジネイティング・システムはいくつかの物体に関する説明を入力するべきである。ＤＩＧ３５における物体の説明のうち、以下の３種の説明がＰＡＳＳ仕様において使用される。
・物体名
これは、画像内の物体の名前である。オリジネイティング・システムは何らかの識別子を物体名として、画像内の物体に付してもよい。
・ポジション
これは、画像内の物体の位置である。ＤＩＧ３５におけるいくつかの指定方法のうち、長方形領域を用いる方法だけがＰＡＳＳ仕様において用いられる。オリジネイティング・システムがなんらかの方法にて表示用画像上の長方形ポインターのある領域を特定することができることが推奨される。何らかの方法にて自動的に領域を認識する機能を備えてもよい。
・コメント
これは、画像内の各物体についてのコメントである。
（４）イベント説明
これは、撮影された画像のイベントについての情報である。オリジネイティング・システムは、一画像について一イベント説明を入力することができるべきである。ＤＩＧ３５におけるイベント説明のうち、以下の３種の説明がＰＡＳＳ仕様において用いられる。
・イベント種別
これは、遠足、旅行、卒業式、結婚式等の、イベントの種類の情報である。オリジネイティング・システムは、イベント種別を手入力してもよいし、前もって作成されているイベントリストより選択してもよい。何らかの方法にてイベント種別を自動認識してもよい。
・説明
これは、ユーザにより作成される、「２００５年春、箱根への遠足」、「２００６年秋、上海への旅行」等の、特定の名前である。
・コメント
これは、イベントについてのコメントである。
５．２．２  静止画以外
オリジネイティング・システムは、静止画以外のアセットについて、以下のメタデータを作成する。
【表３８】
2008530629.tif 000060
５．２．３  複合アセット
複合アセットの記述は、＜ＳｔｉｌｌＷｉｔｈＡｕｄｉｏ（声付き静止画）＞のような全体記述、及び＜Ｓｔｉｌｌ（静止画）＞、＜Ａｕｄｉｏ（音声）＞等の、全体記述が指し示す各アセットの記述を含む。複合アセットのメタデータは、全体記述として＜ｄｃ：ｔｉｔｌｅ＞及び＜ｄｃ：ｄａｔｅ＞を、その他を複合アセットを構成する各アセットのメタデータとして設定する。
６  データ格納構造
ＰＡＳＳオリジネイティング・システムは、ＰＡＳＳ媒体上のディレクトリ構造として、以下のフォーマットを選択することができる。ＣＤについては、コダックピクチャーＣＤフォーマット、ＤＣＦ／フジカラーＣＤフォーマット、又はコニカミノルタホットアルバムフォーマットであり、ＤＶＤについては、ユニファイドストレージ・フォーマットである。ＰＡＳＳオリジネイティング・システムは、少なくとも二種のフォーマット、つまり、ＣＤについて一つのフォーマット及びＤＶＤユニファイドストレージ・フォーマットをサポートする。ＰＡＳＳオリジネイティング・システムは、操作者がこれらを選択してＰＡＳＳ媒体を作成することができるとすることができる。
７  アセットリストを作成・編集する
７．１  アセットリストを定義する
ＤＣＦフォーマットでの入力について、オリジネイティング・システムはファイル群を１つのアセットロールディレクトリ内の１つのＤＣＦフォルダーの中に格納し、入力されたＤＣＦフォルダー内のファイル群から１つのアセットリストマニフェストを生成する。
その他の場合において、システムは、ユーザの要望または操作者の判断により１つ、又はそれより多いアセットロールディレクトリとアセットリストマニフェストを生成する。
更なる例を後にリストする。
７．２  アセットリスト及びアセットメタデータの編集
７．２．１  アセットメタデータ
この項において選択されるメタデータを各アセットごとに入力する、又はアセットリスト生成後に修正することが推奨される。
７．２．１．１  画像方位
画像方位は静止画を表示するときに重要な情報であるので、オリジネイティング・システムは各静止画アセットについてこれを入力する。自動入力を認証し修正することも必要である。また、オリジネイティング・システムがアセットリストを生成し、アセットリスト内の画像のサムネイル図を表示することにより画像方位を入力又は修正することができることが推奨される。たとえば、曲芸飛行中の飛行機及び眠っている赤ちゃんの画像の画像方位を、まさしく写真撮影者の意図したところにおいて認識することは必ずしもできないので、多少の誤差は許容される。
７．２．１．２  お気に入り
オリジネイティング・システムは、アセットリスト内の各画像についてお気に入りを入力することができるべきである。これは、下手に撮影された画像の優先度を下げ、代表画像の優先度をその他全ての類似画像よりも高く設定するために使用される。
７．２．１．３  その他のメタデータ
オリジネイティング・システムがアセットリスト生成後にその他のメタデータを認証し修正することができること、が推奨される。
７．２．２  アセットリストマニフェストファイルの作成
オリジネイティング・システムは、上述のアセット及びアセットリスト情報に基づいて各アセットリスト（アセットロールディレクトリ）についてアセットリストマニフェストファイルを作成することができる。
８  表示用画像
ＰＡＳＳ媒体の静止画アセットはＤＳＣ及び高解像度スキャナからの画像であり、通常、一般的用途のテレビに表示するには大きすぎる。ＰＡＳＳ仕様においては、表示用画像（サブレンディション）又は縮小した原画像（マスターレンディション）を保存することができる。オリジネイティング・システムは、オプションとしてこの表示用画像を作成し、ＰＡＳＳ媒体に書き込むことができるべきである。また、表示用画像は、これを表示する装置に従って、複数種の解像度を有することができる。表示用画像は、上述の要件以外に以下の要件を満たす。
・表示用画像のフォーマットはＥｘｉｆ／ＪＰＥＧ又はＪＦＩＦ／ＪＰＥＧであるべきである。
・表示用画像の色空間は、原画像の色空間に依らずｓＲＧＢである。
・表示用画像は可能な限り写真撮影者の意図に従って方位設定するべきである。
・表示用画像は全ての静止画について作成され、原画像を含んでいるアセットロールディレクトリのサブディレクトリに置かれる。
・表示用画像は、親アセットロールディレクトリ内のアセットリストマニフェストの中の静止画アセットのサブレンディションとして書き込まれる。
・アセットリストマニフェスト内の表示用画像についての記述は、タイトル、日付、フォーマット、色空間、及び方位のメタデータを含む必要はない。
９  アルバムを作成・編集する
オリジネイティング・システムはアルバムを生成する。
９．１  デフォルトアルバム及びカスタムアルバム
オリジネイティング・システムはデフォルトアルバムを生成することができる。また、カスタムアルバムを生成することができるべきである。デフォルトアルバムは各アセットリスト又は各アセットロールディレクトリに対応したアルバムであり、オリジネイティング・システムはＰＡＳＳ媒体においてアセットリスト数と同数のデフォルトアルバムを生成する。カスタムアルバムは、ユーザの要望に基づき、通常各アセットリストからアセットを選択することにより生成する。
９．２  アセットデータを選択する
アルバムを含むアセット又はアルバムを再現するアセットは、静止画アセット、音声付き静止画アセット、静止画連続撮影シーケンス、静止画パノラマシーケンス、及びムービーアセットである。これらをアルバム再現可能アセットと呼称する。その他の、音楽単独のアセット等は、ＰＡＳＳ仕様においてはアルバムを再現するためのアセットとは特定されない。
オリジネイティング・システムは、各アセットリストについて、全てのアセットを用いてアルバムを再現する。デフォルトアルバムから、写真をユーザの要望に基づいて削除したり、明らかに下手に撮影された写真を削除することができる。
オリジネイティング・システムは、ユーザの要望に基づき各アセットリストからアセットを選択することによりアルバムを生成することができるべきである。
９．３  アルバムのメタデータ
ＰＡＳＳ仕様においては、アルバムについてタイトル及び日付のメタデータを入力することは必須である。オリジネイティング・システムは、各アルバムについてこれらのデータを入力することができる。ユーザにより選択されたタイトルがあればそれを入力し、なければ日付情報に基づき新しいタイトルを生成するべきである。後者の場合、タイトルは「ＹＹＹＹ．ＭＭ．ＤＤ−ＹＹＹＹ．ＭＭ．ＤＤ」のようにフォーマットされる。第１の日付は、アルバムマニフェストに含まれるアセットのうち最も初期に撮影されたものの撮影日であり、第２の日付は直近に撮影されたものの撮影日である。
更に、たとえばフィルムをスキャンした画像のように日付情報のない場合、オリジネイティング・システムは、アルバムタイトルとして、たとえば「Ａｌｂｕｍ００１」及び「Ａｌｂｕｍ００２」のように、「Ａｌｂｕｍ」及びアルバムの媒体内での順序（「００１」、「００２」）を組み合わせたタイトルを作成してもよい。
その他のメタデータはオプションであるが、しかし、ｄｃ：ｄｅｓｃｒｉｐｔｉｏｎによってアルバムに説明を付すことが推奨される。また、システムはアルバムの優先順位を入力することができるべきである。
９．４  バックグラウンドミュージック
ＰＡＳＳ仕様において、ＭＰ３又はＷＡＶフォーマットでの音声ファイルは、アルバムのバックグラウンドミュージックとして定義される。オリジネイティング・システムは、１つのアルバムについて少なくとも１つの音声ファイルを選択し、それをアルバム用に定義することができるべきである。１つのアルバムにつき１つより多くの音声ファイルを選択することができる場合、各音声ファイルとアルバム用の各再現可能アセットとの対応関係を定義することができるべきである。
９．５  トランジション及びデュレーション
ＰＡＳＳ仕様においては、再生アセット間にトランジションフィルタを定義することができる。
オリジネイティング・システムは、各アルバム全体にデフォルトのトランジションを定義することができる。また、アルバム内での間隔を特定することによりトランジションを変化させることができるべきである。
ＰＡＳＳにおいて使用するトランジションの推奨タイプは、ＭＰＶプレゼンテーションプロファイル仕様改訂版１．０１においてと同様に、ｂａｒＷｉｐｅ、ｉｒｉｓＷｉｐｅ、ｃｌｏｃｋＷｉｐｅ、及びｓｎａｋｅＷｉｐｅである。
ＰＡＳＳ仕様においては、各アルバムの再生アセットの再生時間のデュレーションを定義することができる。オリジネイティング・システムは、各アルバム全体についてデフォルトのデュレーションを定義することができる。また、アルバム内の各アセットのデュレーションを変える場合、それを個別に定義することができるべきである。
９．６  アルバムマニフェストファイルの作成
オリジネイティング・システムは、上述のアルバム情報に基づいて、各アルバムについてアルバムマニフェストファイルを作成することができる。
１０  インデックスマニフェストファイルの作成
オリジネイティング・システムは、媒体のルートディレクトリ内に置かれ、かつ、「ＰＡＳＳＩＤＸ．ＰＶＭ」と命名されるインデックスマニフェストファイルを作成することができる。
１１  ビデオアルバム（ＤＶＤビデオ又はビデオＣＤ）
オリジネイティング・システムは、アルバムマニフェスト内に定義される各アルバムをムービーに変換して、媒体のビデオセグメント内にビデオＣＤ又はＤＶＤビデオデータとして書き込むことができる。ビデオアルバムを作成するにあたっては、以下の条件が満たされる。
・画像品質パラメータ、及びＤＶＤビデオ又はビデオＣＤのバージョンはＰＡＳＳ仕様においては定義されない。
・アルバムマニフェストとして作成する全てのアルバムを、各々ムービーにする。
・多数のビデオアルバムから選択するためのメニュー画面が必要である。
・画像ＩＤ（アセットリストＩＤ及びアセットＩＤ）を付加する。
・バックグラウンドミュージック、トランジション、及びデュレーション等のその他のエフェクトは定義されない。
１２  マイグレーション
オリジネイティング・システムは、ＰＡＳＳ媒体を新たなＰＡＳＳ媒体へとマイグレーションすることができる。
・マイグレーションの結果としての新たなＰＡＳＳ媒体は、ＰＡＳＳ仕様に準拠している。
・元の媒体上のアセット及びアルバムについての全てのメタデータは、メタデータ間で一貫性が保たれている限り、移動先のＰＡＳＳ媒体へとマイグレーションされる。
・媒体ＩＤ、ｍｐｖ：ＩＤ等のＩＤは、再発行され、一貫性が保たれるように再度番号が割り振られる。
・オリジネイティング・システムは、レガシーＰＡＳＳ  ＣＤ（たとえば、フジカラーＣＤ  ＰＡＳＳ、ピクチャーＣＤ  ＰＡＳＳ、又はホットアルバム）を、ＰＡＳＳ推奨のディレクトリ／ファイル構造のＤＶＤへとマイグレーションすることができる。
・アセットファイルの質はマイグレーション過程で維持される。将来のＰＡＳＳのバージョンにおいて新たなファイルフォーマットが定義された場合、オリジネイティング・システムは新たなＰＡＳＳのバージョンに基づきアセットファイルを新たなフォーマットへと変換するべきである。
・将来のＰＡＳＳのバージョンにおいて新たな機能が定義された場合、オリジネイティング・システムはそれらを、新たなＰＡＳＳのバージョンに基づき、新たにマイグレーションされたＰＡＳＳ媒体へと適用してもよい。
・元媒体のビデオセグメントはマイグレーションする必要がない。オリジネイティング・システムは、移動先のＰＡＳＳ媒体においてビデオアルバムをアルバムマニフェストから再現することが可能であってもよい。
１３  媒体への書き込み
オリジネイティング・システムは、データを収集し、ディスク画像を作成し、それをＣＤ又はＤＶＤ媒体へと書き込むことができる。
・本ＰＡＳＳ仕様のバージョンにおいては、媒体の種類をＣＤについてはＣＤ−Ｒに、ＤＶＤについてはＤＶＤ−Ｒに制限している。
・オリジネイティング・システムは、書き込みの前に媒体を確認するべきである。
・オリジネイティング・システムは、最も信頼できる方法であると思われる書き込み技術を採用するべきである。
【００９３】
付属書Ａ‐３
ピクチャ・アーカイブ・アンド・シェアリング・システム
（Ｐｉｃｔｕｒｅ  Ａｒｃｈｉｖｅ  ａｎｄ  Ｓｈａｒｉｎｇ  Ｓｙｓｔｅｍ）
共同イニシアチブ
コニカミノルタ、富士フイルム、イーストマン・コダック
バージョン０．８０
レシービング／再生システムの必要仕様
著者：Ｙ．Ｕｅｄａ
寄稿者：
バージョン０．８０
２００５年１月１２日
目次
１．  概要・・・・・・・・・・・・・・・・・・・・・・・・・・・・・・・・・・５
１．１  目的・・・・・・・・・・・・・・・・・・・・・・・・・・・・・・・・５
１．２  対象読者・・・・・・・・・・・・・・・・・・・・・・・・・・・・・・５
１．３  ＰＡＳＳとは？・・・・・・・・・・・・・・・・・・・・・・・・・・・５
１．４  用語および略語について・・・・・・・・・・・・・・・・・・・・・・・５
１．５  参照文献・・・・・・・・・・・・・・・・・・・・・・・・・・・・・・５
２．  システムの概要・・・・・・・・・・・・・・・・・・・・・・・・・・・・・５
２．１  統一された主なＰＡＳＳの特徴・・・・・・・・・・・・・・・・・・・・５
２．２  システムの概要・・・・・・・・・・・・・・・・・・・・・・・・・・・６
２．３  システムの例・・・・・・・・・・・・・・・・・・・・・・・・・・・・８
３．  ＰＡＳＳレシービング／再生／プリントシステムの概要・・・・・・・・・・・９
３．１  レシービングシステム・・・・・・・・・・・・・・・・・・・・・・・・９
３．２  再生コンポーネント・・・・・・・・・・・・・・・・・・・・・・・・・９
３．３  プリントコンポーネント・・・・・・・・・・・・・・・・・・・・・・１０
４．  ＰＡＳＳレシービングシステムの機能に関する必要仕様・・・・・・・・・・１１
４．１  ＰＡＳＳデジアルバム（ｄｉｇｉ−Ａｌｂｕｍ）を確認・・・・・・・・１１
４．２  ＰＡＳＳマニフェスト（ＭＡＮＩＦＥＳＴ）ファイルを読み込んで解釈・１２
５．  ＰＡＳＳ再生コンポーネントの機能に関する必要仕様・・・・・・・・・・・１５
５．１  ＰＡＳＳメニュー画面を表示（オプション機能）・・・・・・・・・・・１５
５．２  ビデオセグメントを再生・・・・・・・・・・・・・・・・・・・・・・１６
５．３  ＰＡＳＳプレイリスト（ＰＬＡＹＬＩＳＴ）マニフェストに従って、ロードするアセット（ＡＳＳＥＴ）ファイルフォーマットを確認・・・・・・・・・・・・・１６
５．４  ＰＡＳＳデジアルバムのアルバムから画像を表示・・・・・・・・・・・１６
５．４．１  アルバムリストを表示・・・・・・・・・・・・・・・・・・・・１６
５．４．２  アルバムを選択・・・・・・・・・・・・・・・・・・・・・・・１７
５．４．３  インデックス表示にて各アルバムの画像を表示・・・・・・・・・１７
５．４．４  スライドショーにて各アルバムの画像を表示・・・・・・・・・・２０
５．４．５  各アルバムの画像を１枚ずつ表示・・・・・・・・・・・・・・・２２
５．４．６  各アセットのメタデータを表示・・・・・・・・・・・・・・・・２６
５．５  画像を検索して表示（オプション機能）・・・・・・・・・・・・・・・２６
５．５．１  日付に基づいて画像を検索して表示・・・・・・・・・・・・・・２６
５．５．２  キーワードに基づいて画像を検索して表示・・・・・・・・・・・２９
５．５．３  気に入りのレベルに応じてアセットを表示・・・・・・・・・・・３３
６．  ＰＡＳＳプリントコンポーネントの機能に関する必要仕様・・・・・・・・・３４
６．１  ＰＡＳＳデジアルバムのアルバムのアセットを表示・・・・・・・・・・３４
６．２  検索されたアセットを表示（オプション機能として）・・・・・・・・・３４
６．３  プリントするアセットを選択してプリント枚数を入力・・・・・・・・・３４
６．４  高解像度アセットと選択方法を対応付ける・・・・・・・・・・・・・・３６
【表３９】
2008530629.tif 000061
１．  概要
１．１  目的
この文献では、ピクチャ・アーカイブ・アンド・シェアリング・システム（Ｐｉｃｔｕｒｅ  Ａｒｃｈｉｖｅ  ＆  Ｓｈａｒｉｎｇ  Ｓｙｓｔｅｍ：ＰＡＳＳ）に対応しておりＰＡＳＳデジアルバムを作成する、ＰＡＳＳレシービング／再生システムの必要仕様を詳細に説明する。ホワイトペーパーを参照されたい。
１．２  対象読者
１．３  ＰＡＳＳとは？
ＰＡＳＳはＰｉｃｔｕｒｅ  Ａｒｃｈｉｖｅ  ＆  Ｓｈａｒｉｎｇ  Ｓｔａｎｄａｒｄの省略である。このシステムの目的は、デジタル写真および動画の保存を目的として、家庭向けイメージング産業における一連のオープン規格を作り上げることにある。この規格が目的とするのは、消費者がデジタル形式で保存した記録が次世代で失われないように保証することである。このような規格は、ピクチャ、動画および関連コンテンツを保存する方法であるＰＡＳＳフォーマットとして実現される。ＰＡＳＳフォーマットでオーサリングされたディスクはデジアルバムと呼ばれる。このフォーマットの目的を以下に示す。
（１）次世代の製品およびサービスにおいてオーサリング、再生およびプリントを可能とするための必要仕様を定義する。
（２）そういったシステムが動作について互換性を有するように構成する。
（３）このような製品及びサービスに基づき、保存、共有及びプリントを容易に行いたいという消費者の要望をより満足させる。
１．４  用語および略語について
＜草案では別に設ける用語集文献を参照する＞
１．５  参照文献
ＰＡＳＳディスクの論理的な仕様（Ｌｏｇｉｃａｌ  Ｄｉｓｃ  Ｓｐｅｃｉｆｉｃａｔｉｏｎ：ＬＤＳ）
ＰＡＳＳシステムの必要仕様
ＰＡＳＳオリジネイティング／オーサリングシステムの必要仕様
ＰＡＳＳオーサリングシステムのソフトウェア開発キット開発者用マニュアル
２．  システムの概要
２．１  統一された主なＰＡＳＳの特徴
統一された主なＰＡＳＳの特徴を以下に示す（Ｆｉｇ．１）。
（１）  家庭用電化製品（ＣＥ）で簡単に再生できる
既存のＤＶＤプレーヤー及びＰＡＳＳ対応のＤＶＤプレーヤーで、写真のスライドショーを簡単に手間をかけずに再生できるようになる。
（２）  テレビ上でプリントを簡単に注文できる
テレビでスライド番号をチェックして注文シートに書き込む。
そのようにして書き込んだ注文シートとＰＡＳＳデジアルバムをショップに持っていくことで、簡単にプリントを注文できる。
（３）  どのプリントショップでも簡単にプリントを注文できる
ＰＡＳＳ対応のプリントショップであればどこでも、ＰＡＳＳデジアルバムからプリントを注文できる。
（４）  簡単に写真を検索できる
日付及びキーワードに基づいて画像を簡単に検索できる。
（５）  安全に移行できる
写真の履歴を移行させると同時に、複数のＰＡＳＳデジアルバムを１つのＰＡＳＳデジアルバムにまとめることができる。
（６）  容易に共有できる
統一された複数のＰＡＳＳデジアルバムを利用することによって、簡単に画像を共有できる。
【表４０】
2008530629.tif 000062
２．２  システムの概要
ＰＡＳＳシステムは主に、以下に挙げるシステムおよびコンポーネントから構成されている。
（１）オリジネイティングシステム
ＰＡＳＳディスクを作成するオリジネイティングシステムは通常、以下の機能を有する：
（ａ）  様々なメディアからユーザのデータを取得し、ＰＡＳＳディスク上で統一されたフォーマットに変換する。
（ｂ）  ＰＡＳＳディスクのユーザの画像についてメタデータ（日付、キーワード等）を取得または生成する。
（ｃ）  ＰＡＳＳディスクに、ＣＥデバイスで再生可能なスライドショーとして、デジタルアルバムを作成する。
（ｄ）  複数のＰＡＳＳディスクを新たな１枚のディスクへ移行する。これを何世代にもわたって繰り返す。
（ｅ）  オプションで、既存のＤＶＤプレーヤーで再生可能なビデオセグメントを作成する。
（２）  レシービングシステム
レシービングシステムは主に以下の機能を有する：
（ａ）  アセットフォーマットを確認する。
（ｂ）  ＰＡＳＳマニフェストファイルを読み込んで解釈する。
レシービングシステムは、再生コンポーネントまたはプリントコンポーネントを備える。
（３）  再生コンポーネント
レシービングシステムに含まれる再生コンポーネントは、主に以下の機能を有する。
（ａ）  ＰＡＳＳマニフェストに従ってアセットを表示する。
（ｂ）  複数のＰＡＳＳプレイリスト・マニフェストからアルバムを選択する。
（ｃ）  オプション機能として、日付およびキーワードに基づいて検索したアセットを表示する。
（４）  プリントコンポーネント
レシービングシステムに含まれるプリントコンポーネントは、主に以下の機能を有する。
（ａ）  プリントするアセットを選択する。
（ｂ）  選択されたアセットをプリントする。
【表４１】
2008530629.tif 000063
２．３  システムの例
【表４２ａ】
2008530629.tif 000064
【表４２ｂ】
2008530629.tif 000065
３．  ＰＡＳＳレシービング／再生／プリントシステムの概要
３．１  レシービングシステム
レシービングシステムはデジアルバムを読み込む必要があり、様々な形態で実現することができる。例えば、ショップ、パソコン、ＤＶＤプレーヤー等が挙げられる。レシービングシステムの主要な役割は、メディアの書き込みがどのように行われたのか判断し、当該メディア上のアセットおよび表示に関する情報が保存されたＰＡＳＳプレイリストマニフェストおよびＰＡＳＳアセットマニフェストにアクセスできるように、ＰＡＳＳインデックス・マニフェストを読み込むことにある。この情報は、再生コンポーネント、プリントコンポーネントまたはコンテンツストレージに対するインターフェースによって利用される。レシービングシステムは以下の機能を担当する：
（１）  メディア上の入力すべきアセットファイルを確認
（２）  ＰＡＳＳインデックスマニフェストを確認して解釈
（３）  ＰＡＳＳプレイリストマニフェストを確認して解釈
（４）  ＰＡＳＳアセットマニフェストを確認して解釈
３．２  再生コンポーネント
再生コンポーネントは、システムが必要とする、メディアで表示を行うための機能に応じて設けられる。ＤＶＤプレーヤーまたはＰＣ上のソフトウェアＤＶＤプレーヤーが含まれる。再生コンポーネントは以下の機能を担当する：
（１）  ＰＡＳＳプレイリストマニフェストまたはビデオセグメントのどちらを再生するのか優先順位を確認
（２）  デジアルバムの表示層（例えば、ＤＶＤ−ビデオ、ビデオ−ＣＤ等）を読み込んで再生
（３）  複数のアルバムを表示
（４）  １つのアルバムを選択
（５）  インデックスとして各アルバムの画像を表示
（６）  スライドショーとして各アルバムの画像を表示
（７）  画像を１枚ずつ表示
（８）  スライドショーを再生している間はＢＧＭを再生
（９）  各アセットのメタデータを表示
（１０）  オプション機能として、日付に基づいて画像を検索して表示
（１１）  オプション機能として、キーワードに基づいて画像を検索して表示
３．３  プリントコンポーネント
プリントコンポーネントは、アセットおよびオプションでメタデータの選択及びプリントを行う。プリントコンポーネントは以下の機能を担当する：
（１）  メディアでの再生または再生コンポーネントの表示方法を通じて、プリントする静止アセットを選択
（２）  高解像度アセットと選択方法を対応付ける
（３）  選択された静止アセットをプリント
４．  ＰＡＳＳレシービングシステムの機能に関する必要仕様
４．１  ＰＡＳＳデジアルバムを確認
４．１．１．  ビデオセグメントがあるかどうか確認（オプション機能）
再生コンポーネントを有するＰＡＳＳレシービングシステムは、ＰＡＳＳデジアルバムのＰＡＳＳマニフェストファイルを確認する前に、挿入されたＰＡＳＳデジアルバムにＤＶＤ−ビデオ（またはビデオ−ＣＤ）といったビデオセグメントがあるかどうか確認することができる。
４．１．２．  ＰＡＳＳマニフェストファイルを確認
ＰＡＳＳレシービングシステムは、ＰＡＳＳデジアルバムを有するメディアのルート位置にある「ＰＡＳＳＩＤＸ．ｐｖｍ」であるＰＡＳＳインデックスマニフェストファイルを読み込んで解釈し、ＰＡＳＳインデックスマニフェスト内のオリジネータ情報（＜ｐａｓｓ：ｏｒｉｇｉｎａｔｏｒ＞）および／またはＰＡＳＳバージョン情報（＜ｐａｓｓ：ｖｅｒｓｉｏｎ＞）を確認する。
この情報に従ってＰＡＳＳレシービングシステムは、挿入されたＰＡＳＳデジアルバムを受け取り可能かどうか認定する。ＰＡＳＳレシービングシステムが挿入されたＰＡＳＳデジアルバムを受け取ることができる場合、ＰＡＳＳレシービングシステムは３種類のＰＡＳＳマニフェストファイルの解釈を試みる。その３種類のファイルとは、ＰＡＳＳインデックスマニフェスト、ＰＡＳＳプレイリストマニフェストおよびＰＡＳＳアセットマニフェストである。
挿入されたＰＡＳＳデジアルバムの確認フローを以下に例示する：
【表４３ａ】
2008530629.tif 000066
【表４３ｂ】
2008530629.tif 000067
４．２  ＰＡＳＳマニフェストファイルを読み込んで解釈
レシービングシステムは、処理を行うべく「ＰＡＳＳＩＤＸ．ｐｖｍ」を「ＰＡＳＳインデックスマニフェスト（１）」ファイルとして開く。このファイルは、プレイリストファイル「ＰＡＳＳプレイリストマニフェスト（２）」への参照を有する。「ＰＡＳＳプレイリストマニフェスト」は、アセットマニフェストファイルである「ＰＡＳＳアセット・マニフェスト（３Ａ）」への参照および共有マニフェストファイル（３Ｃ）への参照を有する。「ＰＡＳＳアセットマニフェスト」は、アセットロールディレクトリもしく当該アセットロールディレクトリの下位にある表示ディレクトリから必要なアセットを表示するために必要な情報（４Ａ）および（４Ｂ）を有する。
ＰＡＳＳマニフェストファイル間の順序及び関係を以下に示す；
【表４４】
2008530629.tif 000068
ＰＡＳＳレシービングシステムは、ＰＡＳＳインデックスマニフェスト、ＰＡＳＳプレイリストマニフェストおよびＰＡＳＳアセットマニフェストという３種類のＰＡＳＳマニフェストファイルに記述されたメタデータを全て読み込み解釈する。
ＰＡＳＳレシービングシステム、再生コンポーネントおよびプリントコンポーネントが必須としてもしくはオプションで支持している、ＰＡＳＳインデックスマニフェスト、ＰＡＳＳプレイリストマニフェストおよびＰＡＳＳアセットマニフェスト、およびこれら３種類のＰＡＳＳマニフェストファイルに記述されたメタデータの例については、ＰＡＳＳディスクの論理的な仕様（ＬＤＳ）において詳細に説明している。
５．  ＰＡＳＳ再生コンポーネントの機能に関する必要仕様
５．１  ＰＡＳＳメニュー画面を表示（オプション機能）
ＰＡＳＳ再生コンポーネントは、挿入された作成ＰＡＳＳデジアルバムにおいてＰＡＳＳマニフェストファイルおよびＤＶＤ−ビデオ（もしくはビデオ−ＣＤ）等のビデオセグメントがどちらも存在するとＰＡＳＳレシービングシステムによって認識された場合に、ＰＡＳＳメニュー画面を表示することができる。
＜ＰＡＳＳメニュー画面上の機能＞
【表４５】
2008530629.tif 000069
＜ＰＡＳＳメニュー画面の一例＞
【表４６】
2008530629.tif 000070
５．２  ビデオセグメントを再生
再生コンポーネントは、挿入された作成ＰＡＳＳデジアルバムにおいてＤＶＤ−ビデオ（もしくはビデオ−ＣＤ）等のビデオセグメントも存在するとＰＡＳＳレシービングシステムが認識した場合に、ＤＶＤ−ビデオ（もしくはビデオ−ＣＤ）等のビデオセグメントを再生することができる。
５．３  ＰＡＳＳプレイリストマニフェストに従って、ロードするアセットファイルフォーマットを確認
再生コンポーネントは、ＰＡＳＳアセットマニフェストファイルに記述されているアセットファイルフォーマットをそれぞれ確認する。
作成されたＰＡＳＳデジアルバムから再生コンポーネントがデコードと表示を必須として行うべきアセットのファイルフォーマットを以下に示す：
【表４７】
2008530629.tif 000071
５．４  ＰＡＳＳデジアルバムのアルバムから画像を表示
５．４．１  アルバムリストを表示
再生コンポーネントは、ＰＡＳＳデジアルバムのＰＡＳＳプレイリストマニフェストを解釈して、アルバムリスト領域に各アルバムボタンを表示する。この際、ＰＡＳＳプレイリストマニフェストから得た以下に示す情報を表示する。
＜各アルバムボタンに表示する項目＞
【表４８ａ】
2008530629.tif 000072
【表４８ｂ】
2008530629.tif 000073
＜各アルバムボタンの表示の一例＞
【表４９】
2008530629.tif 000074
５．４．２  アルバムを選択
再生コンポーネントは、ＰＡＳＳデジアルバムに基づいて表示されたアルバムリストの中からアルバムを選択する機能を有する。
５．４．３  インデックス表示にて各アルバムの画像を表示
再生コンポーネントは、インデックス表示にて、ＰＡＳＳデジアルバムの各アルバムすべてのアセットファイルを表示する。
＜インデックス表示画面上にアセットを表示する方法＞
再生コンポーネントは、ＰＡＳＳアセットマニフェストを読み込み、ＰＡＳＳアセットマニフェストに基づき表示する各画像ファイルへのパスを認識し、表示を試みる。
アセットファイルが静止画もしくは音声付静止画の場合、表示ディレクトリにおける静止画のアクセラレータファイルもしくはｅｘｉｆサムネイルを用いてインデックス表示を行う。
アセットファイルが動画の場合、アセットロールディレクトリのオリジナルモーションファイルを用いてインデックス表示を行う。
アセットファイルが動画もしくは音声付静止画である場合、動画もしくは音声付静止画であることを示す注釈もしくは記号のアイコンを、再生コンポーネントは表示することができる。
＜インデックス表示画面に表示する項目＞
【表５０】
2008530629.tif 000075
＜インデックス表示画面における機能＞
【表５１ａ】
2008530629.tif 000076
【表５１ｂ】
2008530629.tif 000077
アルバムリスト領域の各アルバムボタンを選択すると、各アルバムのＰＡＳＳプレイリストマニフェストに従ってすべてのアセットが表示される。
＜インデックス表示画面の一例＞
【表５２】
2008530629.tif 000078
５．４．４  スライドショーにて各アルバムの画像を表示
再生コンポーネントは、選択されたアルバムについてスライドショーの再生を開始するための機能ボタンを提供する。
＜スライドショー再生画面でアセットを表示する方法＞
再生コンポーネントは、上述例のようなインデックス表示画面上に例えば「スライドショー再生」ボタンを提供することができる。
スライドショー再生機能を開始することによって、選択されたアルバムのＰＡＳＳプレイリストマニフェストおよびＰＡＳＳプレイリストマニフェストに関連付けられたＰＡＳＳアセットマニフェストに従ってスライドショーが開始される。
アセットファイルが静止画の場合、表示ディレクトリの静止画のアクセラレータファイルもしくはアセットロールディレクトリのオリジナル静止アセットファイルを用いて静止アセットのスライドショー表示を行う。
アセットファイルが動画の場合、アセットロールディレクトリのオリジナルモーションファイルを用いてモーションアセットのスライドショー表示を行う。
アセットファイルが音声付静止画の場合、表示ディレクトリの静止画のアクセラレータファイルもしくはアセットロールディレクトリのオリジナル静止アセットファイルを用いるとともに、ＰＡＳＳプレイリストマニフェストに従って当該静止アセットを表示している間に当該静止アセットと関連付けられた音声ファイルが再生される。
＜スライドショーの再生＞
再生コンポーネントは、選択されたアルバムのＰＡＳＳプレイリスト・マニフェストを解釈して、記述されているアセット順序、各アセットの再生時間、移行エフェクトおよびＢＧＭに従ってスライドショーを再生する。アセット順序、各アセットの再生時間、移行エフェクトおよびＢＧＭの記述については、ＭＰＶ仕様書を参照されたい。
＜スライドショー再生時に表示される項目＞
【表５３】
2008530629.tif 000079
＜スライドショー再生画面における機能＞
【表５４】
2008530629.tif 000080
＜スライドショー再生画面の一例＞
【表５５】
2008530629.tif 000081
５．４．５  各アルバムの画像を１枚ずつ表示
再生コンポーネントは、選択されたアセットを１枚ずつ表示する機能を有する。
＜アセットを１枚ずつ表示する方法＞
インデックス表示画面でアセットを選択することによって、選択されたアセットを１枚ずつ表示することができる。
表示するアセットファイルが静止画の場合、表示ディレクトリの静止画のアクセラレータファイルもしくはアセットロールディレクトリのオリジナル静止アセットファイルを用いる。
アセットファイルが動画の場合、アセットロールディレクトリのオリジナルモーションファイルを用いてモーションアセットのスライドショー表示を行う。
アセットファイルが音声付静止画の場合、表示ディレクトリの静止画のアクセラレータファイルもしくはアセットロールディレクトリのオリジナル静止アセットファイルが用いられる。
再生コンポーネントは、ＰＡＳＳアセットマニフェストの配向情報に従って当該静止アセットを回転させ、回転させた画像を表示する。
＜アセットを１枚ずつ表示する場合の画面に表示される項目＞
【表５６ａ】
2008530629.tif 000082
【表５６ｂ】
2008530629.tif 000083
＜選択されたアセットを１枚ずつ表示する場合の機能＞
【表５７】
2008530629.tif 000084
＜静止セットを１枚ずつ表示する一例＞
【表５８】
2008530629.tif 000085
＜モーションアセットまたは音声付静止アセットを１枚ずつ表示する一例＞
【表５９】
2008530629.tif 000086
５．４．６  各アセットのメタデータを表示
再生コンポーネントは、インデックス表示画面、スライドショー再生画面もしくは１枚ずつ表示する場合の表示画面等において、ＰＡＳＳデジアルバムのＰＡＳＳアセット・マニフェストに記述されたメタデータを表示することができる。
５．５  画像を検索して表示（オプション機能）
再生コンポーネントは、アセットが撮像された日付、各アセットのキーワードおよび各アセットの気に入りのレベルに基づいて検索されたアセットを表示することができる。
５．５．１  日付に基づいて画像を検索して表示
＜日付に基づいて検索したアセットをインデックス表示画面に表示する方法＞
再生コンポーネントは、ＰＡＳＳアセットマニフェストを読み込んで、各アセットを撮像した日付に関する情報を、ＰＡＳＳアセットマニフェストもしくはｅｘｉｆオリジナルデータ作成日時（３６８６７）から認識する。
再生コンポーネントは、日付情報に従ってアセットを分類し、表示する機能を有することができる。
日付情報として利用可能なカテゴリーを以下に示す（オプション機能）：
年
月
週
日
再生コンポーネントは、検索するよう選択された日付に関連するＰＡＳＳアセットマニフェストに基づき表示すべき各画像ファイルのパスを認識し、当該画像ファイルの表示を試みることができる。
アセットファイルが静止画もしくは音声付静止画の場合、表示ディレクトリにおける静止画のアクセラレータファイルもしくはｅｘｉｆサムネイルを用いてインデックス表示を行う。
アセットファイルが動画の場合、アセットロールディレクトリにおけるオリジナルモーションファイルを用いてインデックス表示を行う。
アセットファイルが動画もしくは音声付静止画の場合、動画もしくは音声付静止画であることを示す注釈もしくは記号のアイコンを、再生コンポーネントは表示することができる。
＜日付に基づいて画像を検索する場合にインデックス表示画面に表示される項目＞
【表６０ａ】
2008530629.tif 000087
【表６０ｂ】
2008530629.tif 000088
＜インデックス表示画面上の機能＞
【表６１】
2008530629.tif 000089
アルバムリスト領域の各日付ボタンを選択することによって、ＰＡＳＳアセットマニフェストの日付情報もしくはｅｘｉｆのオリジナルデータ作成日時（３６８６７）に従って、すべてのアセットを表示することができる。
＜月毎に検索されたアセットをインデックス表示画面で表示する一例＞
【表６２】
2008530629.tif 000090
＜日付毎に検索されたアセットをインデックス表示画面に表示する一例＞
【表６３】
2008530629.tif 000091
５．５．２  キーワードに基づいて画像を検索して表示
再生コンポーネントは、ＰＡＳＳアセットマニフェストに基づきアセットを検索するためのキーワード用のメタデータを認識することができる。
＜キーワードに基づいてアセットを検索する方法＞
ＰＡＳＳアセットマニフェストのアセットを検索するためのキーワードとして利用することができるメタデータを以下に示す：
【表６４】
2008530629.tif 000092
再生コンポーネントは、上述したキーワードの一部を入力する機能、またはキーワード辞書から上述したキーワードの一部を選択する機能を有することができる。
再生コンポーネントは、キーワードを認識して、ＰＡＳＳアセット・マニフェストから取得したそのキーワードに対応するメタデータが同一であるアセットを表示する機能を有することができる。
再生コンポーネントは、検索のためのキーワードとして入力されたメタデータに関連するＰＡＳＳアセットマニフェストに基づき表示すべき各画像ファイルのパスを認識し、当該画像ファイルの表示を試みることができる。
アセットファイルが静止画もしくは音声付静止画の場合、表示ディレクトリにおける静止画のアクセラレータファイルもしくはｅｘｉｆサムネイルを用いてインデックス表示を行う。
アセットファイルが動画の場合、アセットロールディレクトリにおけるオリジナルモーションファイルを用いてインデックス表示を行う。
アセットファイルが動画もしくは音声付静止画の場合、動画もしくは音声付静止画であることを示す注釈もしくは記号のアイコンを、再生コンポーネントは表示することができる。
＜キーワードに基づいて画像を検索する場合にインデックス表示画面に表示される項目＞
【表６５ａ】
2008530629.tif 000093
【表６５ｂ】
2008530629.tif 000094
＜キーワードに基づいて画像を検索する場合のインデックス表示画面の機能＞
【表６６ａ】
2008530629.tif 000095
【表６６ｂ】
2008530629.tif 000096
＜キーワードに基づいて検索したアセットをインデックス表示画面に表示する一例＞
【表６７】
2008530629.tif 000097
５．５．３  気に入りのレベルに応じてアセットを表示
再生コンポーネントは、ＰＡＳＳアセットマニフェストに記述された気に入りのレベルに従ってアセットを表示することができる。
再生コンポーネントは、気に入りのレベルを選択し、レベル１からレベル５の間で選択された気に入りのレベルのアセットを表示することができる。
＜アセットの気に入りのレベルを選択する一例＞
【表６８】
2008530629.tif 000098
６．  ＰＡＳＳプリントコンポーネントの機能に関する必要仕様
６．１  ＰＡＳＳデジアルバムのアルバムのアセットを表示
プリントコンポーネントは、プリントするアセットを選択する目的で、ＰＡＳＳデジアルバムの各アルバムのアセットをインデックス表示にて表示する、「ＰＡＳＳ再生コンポーネントの機能に関する必要仕様の５．２．３．」で説明された機能と同一の機能を有する。
プリントコンポーネントは、選択されたアセットを１枚ずつ表示する、「ＰＡＳＳ再生コンポーネントの機能に関する必要仕様の５．２．５．」で説明された機能と同一の機能を有する。
６．２  検索したアセットを表示（オプション機能）
プリントコンポーネントは、プリントするアセットを選択する目的で、日付情報に基づいて検索したアセットを表示する、「ＰＡＳＳ再生コンポーネントの機能に関する必要仕様の５．３．１」で説明された機能と同一の機能を有することができる。
プリントコンポーネントは、プリントするアセットを選択する目的で、キーワードに基づいて検索したアセットを表示する、「ＰＡＳＳ再生コンポーネントの機能に関する必要仕様の５．３．２」で説明された機能と同一の機能を有することができる。
６．３  プリントするアセットを選択してプリント枚数を入力
プリントコンポーネントは、プリントするアセットを選択し、選択された静止アセットについてプリント枚数を入力する機能を提供する。
＜プリントのためのアセット選択画面においてプリント注文情報を入力する機能＞
【表６９】
2008530629.tif 000099
＜プリントのためのアセット選択画面において各アルバムからプリントするアセットを選択する一例＞
【表７０】
2008530629.tif 000100
６．４  高解像度アセットと選択方法を対応付ける
プリントコンポーネントは、ＰＡＳＳアセットマニフェストからプリントすべく選択されたアセットの高解像度ファイルを対応付ける。
【図面の簡単な説明】
【００９４】
【図１】図１は、本発明の実施形態に係る画像利用システムの一例である画像利用システム１０の構成の一例を示す図である。
【００９５】
【図２】図２は、本発明の実施形態に係る記録媒体３０のディレクトリ構成及びファイル構成の一例を示す図である。
【００９６】
【図３】図３は、本発明の実施形態に係る画像記録装置２０の機能構成の一例を示すブロック図である。
【００９７】
【図４】図４は、本発明の実施形態に係る画像読み取り装置４０の機能構成の一例を示すブロック図である。
【００９８】
【図５】図５は、本発明の実施形態に係る画像記録装置２０を用いる画像記録方法における処理の流れの一例を示すフローチャートである。
【００９９】
【図６】図６は、本発明の実施形態に係る画像読み取り装置４０を用いる画像読み取り方法における処理の流れの一例を示すフローチャートである。
【０１００】
【図７】図７は、本発明の実施形態に係る画像記録装置２０を用いる画像記録方法における処理の流れの他の例を示すフローチャートである。
【０１０１】
【図８】図８は、本発明の実施形態に係る画像利用システムの他の例である画像利用システム５０の構成の一例を示す。
【０１０２】
【図９】図９は、本発明の実施形態に係る画像記録装置７０を用いる画像記録方法における処理の流れの一例を示すフローチャートである。
【図１】
2008530629.tif 000101
【図２】
2008530629.tif 000102
【図３】
2008530629.tif 000103
【図４】
2008530629.tif 000104
【図５】
2008530629.tif 000105
【図６】
2008530629.tif 000106
【図７】
2008530629.tif 000107
【図８】
2008530629.tif 000108
【図９】
2008530629.tif 000109
【手続補正書】
【提出日】平成19年11月9日(2007.11.9)
【手続補正１】
【補正対象書類名】特許請求の範囲
【補正対象項目名】全文
【補正方法】変更
【補正の内容】
【特許請求の範囲】
【請求項１】
撮像された複数の原画像が記録されている記録媒体から、複数の原画像を読み取る画像読み取り装置であって、
前記記録媒体からインデックスマニフェストファイルを読み取るインデックス読み取り部と、
読み取られた前記インデックスマニフェストファイルに格納されているアセットマニフェストファイルへのパスを用いて、前記記録媒体から前記アセットマニフェストファイルを読み取るアセットマニフェスト読み取り部と、
読み取られた前記アセットマニフェストファイルに格納されている前記複数の原画像のそれぞれへのパスを用いて、前記記録媒体から前記複数の原画像の少なくとも一部を読み取る画像読み取り部と
を備え、
前記記録媒体は、
前記記録媒体に前記複数の原画像を記録した画像記録装置を識別可能な装置識別子に基づいて前記装置識別子毎に異なるように決定され、さらにアセットロールディレクトリが生成された日時に基づいて前記日時毎に異なるように決定されたディレクトリ名を有し、前記複数の原画像を格納するアセットロールディレクトリと、
前記複数の原画像のそれぞれへの前記パスを格納している前記アセットマニフェストファイルと、
前記アセットマニフェストファイルへの前記パスを格納している前記インデックスマニフェストファイルと
を有し、
前記インデックスマニフェストファイルは、前記記録媒体毎に異なることのない、予め定められたパスに記録されている画像読み取り装置。
【請求項２】
読み取られた表示用画像を表示する画像表示部
を更に備え、
前記記録媒体は、前記複数の原画像の解像度を下げることによって生成された複数の表示用画像を更に有し、
前記アセットマニフェストファイルは、前記複数の表示用画像のそれぞれへのパスを更に格納しており、
前記画像読み取り部は、読み取られた前記アセットマニフェストファイルに格納されている前記複数の表示用画像のそれぞれへのパスを用いて、前記記録媒体から前記複数の表示用画像の少なくとも一部を読み取る請求項１に記載の画像読み取り装置。
【請求項３】
読み取られた前記インデックスマニフェストファイルに格納されているアルバムマニフェストファイルへのパスを用いて、前記記録媒体から前記アルバムマニフェストファイルを読み取るアルバムマニフェスト読み取り部
を更に備え、
前記記録媒体は、前記複数の原画像のうち少なくとも一部の表示順序を定める前記アルバムマニフェストファイルを更に有し、
前記インデックスマニフェストファイルは、前記アルバムマニフェストファイルへのパスを更に格納しており、
前記画像読み取り部は、読み取られた前記アルバムマニフェストファイルが定める前記表示順序に従って、表示されるべき前記原画像のそれぞれについて、当該原画像から生成された前記表示用画像への前記パスが前記アセットマニフェストファイルに格納されている場合には、当該表示用画像を読み取り、当該原画像から生成された前記表示用画像への前記パスが前記アセットマニフェストファイルに格納されていない場合には、当該原画像を読み取り、
前記画像表示部は、前記表示用画像または前記原画像を表示する請求項２に記載の画像読み取り装置。
【請求項４】
撮像された複数の原画像が記録されている記録媒体から、複数の原画像を読み取る画像読み取り方法であって、
前記記録媒体からインデックスマニフェストファイルを読み取るインデックス読み取り段階と、
読み取られた前記インデックスマニフェストファイルに格納されているアセットマニフェストファイルへのパスを用いて、前記記録媒体から前記アセットマニフェストファイルを読み取るアセットマニフェスト読み取り段階と、
読み取られた前記アセットマニフェストファイルに格納されている前記複数の原画像のそれぞれへのパスを用いて、前記記録媒体から前記複数の原画像の少なくとも一部を読み取る画像読み取り段階と
を備え、
前記記録媒体は、
前記記録媒体に前記複数の原画像を記録した画像記録装置を識別可能な装置識別子に基づいて前記装置識別子毎に異なるように決定され、さらにアセットロールディレクトリが生成された日時に基づいて前記日時毎に異なるように決定されたディレクトリ名を有し、前記複数の原画像を格納するアセットロールディレクトリと、
前記複数の原画像のそれぞれへの前記パスを格納している前記アセットマニフェストファイルと、
前記アセットマニフェストファイルへの前記パスを格納している前記インデックスマニフェストファイルと
を有し、
前記インデックスマニフェストファイルは、前記記録媒体毎に異なることのない、予め定められたパスに記録されている画像読み取り方法。
【請求項５】
読み取られた表示用画像を表示する画像表示段階
を更に備え、
前記記録媒体は、前記複数の原画像の解像度を下げることによって生成された複数の表示用画像を更に有し、
前記アセットマニフェストファイルは、前記複数の表示用画像のそれぞれへのパスを更に格納しており、
前記画像読み取り段階は、読み取られた前記アセットマニフェストファイルに格納されている前記複数の表示用画像のそれぞれへのパスを用いて、前記記録媒体から前記複数の表示用画像の少なくとも一部を読み取る請求項４に記載の画像読み取り方法。
【請求項６】
読み取られた前記インデックスマニフェストファイルに格納されているアルバムマニフェストファイルへのパスを用いて、前記記録媒体から前記アルバムマニフェストファイルを読み取るアルバムマニフェスト読み取り段階
を更に備え、
前記記録媒体は、前記複数の原画像のうち少なくとも一部の表示順序を定める前記アルバムマニフェストファイルを更に有し、
前記インデックスマニフェストファイルは、前記アルバムマニフェストファイルへの前記パスを更に格納しており、
前記画像読み取り段階は、読み取られた前記アルバムマニフェストファイルが定める前記表示順序に従って、表示されるべき原画像のそれぞれについて、当該原画像から生成された前記表示用画像への前記パスが前記アセットマニフェストファイルに格納されている場合には、当該表示用画像を読み取り、当該原画像から生成された前記表示用画像への前記パスが前記アセットマニフェストファイルに格納されていない場合には、当該原画像を読み取り、
前記画像表示段階は、前記表示用画像または前記原画像を表示する請求項５に記載の画像読み取り方法。
【請求項７】
撮像された複数の原画像が記録されている記録媒体であって、
前記記録媒体に前記複数の原画像を記録した画像記録装置を識別可能な装置識別子に基づいて前記装置識別子毎に異なるように決定され、さらにアセットロールディレクトリが生成された日時に基づいて前記日時毎に異なるように決定されたディレクトリ名を有し、前記複数の原画像を格納するアセットロールディレクトリと、
前記複数の原画像のそれぞれへのパスを格納しているアセットマニフェストファイルと、
前記アセットマニフェストファイルへのパスを格納しているインデックスマニフェストファイルと
を有し、
前記インデックスマニフェストファイルは、当該記録媒体毎に異なることのない、予め定められたパスに記録されている記録媒体。
【請求項８】
前記複数の原画像の解像度を下げることによって生成された複数の表示用画像
を更に有し、
前記アセットマニフェストファイルは、前記複数の表示用画像のそれぞれへのパスを更に格納している請求項７に記載の記録媒体。
【請求項９】
前記複数の原画像のうち少なくとも一部の表示順序を定めるアルバムマニフェストファイルを更に有し、
前記インデックスマニフェストファイルは、前記アルバムマニフェストファイルへの前記パスを更に格納している請求項８に記載の記録媒体。
【手続補正書】
【提出日】平成20年5月16日(2008.5.16)
【手続補正１】
【補正対象書類名】特許請求の範囲
【補正対象項目名】全文
【補正方法】変更
【補正の内容】
【特許請求の範囲】
【請求項１】
複数の原画像が記録されている記録媒体から、複数の原画像を読み取る画像読み取り装置であって、
前記記録媒体毎に異なることのない予め定められたパスに記録されているインデックスマニフェストファイルを、前記記録媒体から読み取るインデックス読み取り部と、
前記インデックス読み取り部によって読み取られた前記インデックスマニフェストファイルに格納されているアセットマニフェストファイルへのパスを用いて、前記記録媒体から前記アセットマニフェストファイルを読み取るアセットマニフェスト読み取り部と、
前記アセットマニフェスト読み取り部によって読み取られた前記アセットマニフェストファイルに格納されている前記複数の原画像のそれぞれへのパスまたは前記複数の原画像のそれぞれの解像度が下げられることによって生成された複数の表示用画像のそれぞれへのパスを用いて、前記記録媒体から前記複数の原画像または前記複数の表示用画像の少なくとも一部を読み取る画像読み取り部と、
前記画像読み取り部によって読み取られた前記原画像または前記表示用画像を表示する画像表示部と
を備え、
前記画像読み取り部は、前記原画像の解像度に比べて前記画像表示部の解像度が低い場合に、前記原画像の代わりに、当該原画像に対応する前記表示用画像を読み取り、
前記画像表示部は、前記原画像の解像度に比べて前記画像表示部の解像度が低い場合に、前記画像読み取り部によって前記原画像の代わりに読み取られた前記表示用画像を表示し、
前記記録媒体は、
前記記録媒体に前記複数の原画像を記録した画像記録装置を識別可能な装置識別子に基づいて前記装置識別子毎に異なるように決定され、さらにアセットロールディレクトリが生成された日時に基づいて前記日時毎に異なるように決定された、同一のディレクトリ名が生成されることのないディレクトリ名を有し、前記複数の原画像および前記複数の表示用画像を格納するアセットロールディレクトリと、
前記複数の原画像のそれぞれへの前記パスおよび前記複数の表示用画像のそれぞれへの前記パスを格納している前記アセットマニフェストファイルと、
前記アセットマニフェストファイルへの前記パスを格納している前記インデックスマニフェストファイルと
を有する画像読み取り装置。
【請求項２】
前記インデックス読み取り部によって読み取られた前記インデックスマニフェストファイルに格納されているアルバムマニフェストファイルへのパスを用いて、前記記録媒体から前記アルバムマニフェストファイルを読み取るアルバムマニフェスト読み取り部
をさらに備え、
前記記録媒体は、
前記複数の原画像のうち少なくとも一部の表示順序を定める前記アルバムマニフェストファイル
をさらに有し、
前記インデックスマニフェストファイルは、前記アルバムマニフェストファイルへのパスをさらに格納しており、
前記画像読み取り部は、前記アルバムマニフェスト読み取り部によって読み取られた前記アルバムマニフェストファイルが定める前記表示順序に従って、表示されるべき前記原画像のそれぞれに対応する前記表示用画像を読み取り、
前記画像表示部は、前記画像読み取り部によって読み取られた前記表示用画像を表示する請求項１に記載の画像読み取り装置。
【請求項３】
複数の原画像が記録されている記録媒体から、複数の原画像を読み取る画像読み取り方法であって、
前記記録媒体毎に異なることのない予め定められたパスに記録されているインデックスマニフェストファイルを、前記記録媒体から読み取るインデックス読み取り段階と、
前記インデックス読み取り段階において読み取られた前記インデックスマニフェストファイルに格納されているアセットマニフェストファイルへのパスを用いて、前記記録媒体から前記アセットマニフェストファイルを読み取るアセットマニフェスト読み取り段階と、
前記アセットマニフェスト読み取り部によって読み取られた前記アセットマニフェストファイルに格納されている前記複数の原画像のそれぞれへのパスまたは前記複数の原画像のそれぞれの解像度が下げられることによって生成された複数の表示用画像のそれぞれへのパスを用いて、前記記録媒体から前記複数の原画像または前記複数の表示用画像の少なくとも一部を読み取る画像読み取り段階と、
前記画像読み取り段階において読み取られた前記原画像または前記表示用画像を画像表示部が表示する画像表示段階と
を備え、
前記画像読み取り段階は、前記原画像の解像度に比べて前記画像表示部の解像度が低い場合に、前記原画像の代わりに、当該原画像に対応する前記表示用画像を読み取る段階を有し、
前記画像表示段階は、前記原画像の解像度に比べて前記画像表示部の解像度が低い場合に、前記画像読み取り段階において前記原画像の代わりに読み取られた前記表示用画像を前記画像表示部に表示する段階を有し、
前記記録媒体は、
前記記録媒体に前記複数の原画像を記録した画像記録装置を識別可能な装置識別子に基づいて前記装置識別子毎に異なるように決定され、さらにアセットロールディレクトリが生成された日時に基づいて前記日時毎に異なるように決定された、同一のディレクトリ名が生成されることのないディレクトリ名を有し、前記複数の原画像および前記複数の表示用画像を格納するアセットロールディレクトリと、
前記複数の原画像のそれぞれへの前記パスおよび前記複数の表示用画像のそれぞれへの前記パスを格納している前記アセットマニフェストファイルと、
前記アセットマニフェストファイルへの前記パスを格納している前記インデックスマニフェストファイルと
を有する画像読み取り方法。
【請求項４】
前記インデックス読み取り段階において読み取られた前記インデックスマニフェストファイルに格納されているアルバムマニフェストファイルへのパスを用いて、前記記録媒体から前記アルバムマニフェストファイルを読み取るアルバムマニフェスト読み取り段階
をさらに備え、
前記記録媒体は、
前記複数の原画像のうち少なくとも一部の表示順序を定める前記アルバムマニフェストファイル
をさらに有し、
前記インデックスマニフェストファイルは、前記アルバムマニフェストファイルへの前記パスをさらに格納しており、
前記画像読み取り段階は、前記アルバムマニフェスト読み取り段階において読み取られた前記アルバムマニフェストファイルが定める前記表示順序に従って、表示されるべき原画像のそれぞれに対応する前記表示用画像を読み取り、
前記画像表示段階は、前記画像読み取り部によって読み取られた前記表示用画像を表示する請求項３に記載の画像読み取り方法。
【国際調査報告】
2008530629.tif 000110
2008530629.tif 000111
2008530629.tif 000112